(57)【要約】  投射層を含むシステムであり、該投射層は、複数のピクセルを含み、該複数のピクセルは、投射層に投射されるイメージと共に複数のピクセルのうち少なくとも１つの外観を変化させるように電気的に制御可能である。
2019525234.tif 000002
【特許請求の範囲】
【請求項１】
複数のピクセルを含む投射層を含み、
前記複数のピクセルは、前記投射層に投射されるイメージと共に、前記複数のピクセルのうち少なくとも１つの外観を変化させるように、電気的に制御可能なシステム。
【請求項２】
前記投射層は、前記投射層に投射される前記イメージと共に、同期化及び整列されたイメージを表示することを特徴とする請求項１に記載のシステム。
【請求項３】
前記投射層は、少なくとも１つの非透明ディスプレイを含むことを特徴とする請求項１に記載のシステム。
【請求項４】
前記投射層は、少なくとも１つの透明ディスプレイを含むことを特徴とする請求項１に記載のシステム。
【請求項５】
前記透明ディスプレイは、非発光型であることを特徴とする請求項４に記載のシステム。
【請求項６】
前記非発光型ディスプレイは、前記複数のピクセルのうち染料を含む１以上のピクセルを含むことを特徴とする請求項５に記載のシステム。
【請求項７】
前記非発光型ディスプレイは、前記複数のピクセルのうち染料を含まず、実質的に白色に見える１以上のピクセルを含むことを特徴とする請求項５に記載のシステム。
【請求項８】
前記投射層は、複数の非発光型及び透明ディスプレイを含むことを特徴とする請求項１に記載のシステム。
【請求項９】
前記投射層は、
光を検出するように構成された以上の第１センサと、
前記投射層に対してユーザの距離を検出するように構成された第２センサと、
前記投射層の既定距離内でユーザ属性を検出するように構成された第３センサと、を含み、
前記複数のピクセルは、前記第１センサによって検出された光に少なくとも部分的に基づいて、電気的に制御可能であり、
前記複数のピクセルは、前記第２センサによって検出された距離に少なくとも部分的に基づいて、電気的に制御可能であり、
前記複数のピクセルは、前記第３センサによって検出されたユーザ属性に少なくとも部分的に基づいて、電気的に制御可能であることを特徴とする請求項１に記載のシステム。
【請求項１０】
前記投射層に前記イメージを投射するように構成されたプロジェクタをさらに含むことを特徴とする請求項１に記載のシステム。
【請求項１１】
前記プロジェクタは、前記投射層に投射された前記イメージのイメージデータをキャプチャするように構成されたカメラを含み、
前記プロジェクタは、前記カメラからの前記イメージデータに基づいて、前記投射層に投射された前記イメージを調整するように構成されたことを特徴とする請求項１０に記載のシステム。
【請求項１２】
複数のピクセルを含む投射層を提供する段階を含み、
前記複数のピクセルは、前記投射層に投射されたイメージと共に複数のピクセルのうち少なくとも１つの外観を変化させるように、電気的に制御可能であり、
前記投射層は、前記投射層に投射されたイメージと共に同期化及び整列し、イメージを表示する方法。
【請求項１３】
前記投射層は、
光を検出するように構成された１以上の第１センサと、
前記投射層に対してユーザの距離を検出するように構成された第２センサと、
前記投射層の既定距離内でユーザ属性を検出するように構成された第３センサと、を含み、
前記複数のピクセルは、前記第１センサによって検出された光に少なくとも部分的に基づいて、電気的に制御可能であり、
前記複数個のピクセルは、前記第２センサによって検出された距離に少なくとも部分的に基づいて、電気的に制御可能であり、
前記複数のピクセルは、前記第３センサによって検出されたユーザ属性に少なくとも部分的に基づいて、電気的に制御可能なことを特徴とする請求項１２に記載の方法。
【請求項１４】
前記投射層に前記イメージを投射するように構成されたプロジェクタを提供する段階をさらに含むことを特徴とする請求項１２に記載の方法。
【請求項１５】
前記投射層に投射された前記イメージのイメージデータをキャプチャするように構成されたカメラを提供する段階をさらに含み、
前記プロジェクタは、前記カメラからの前記イメージデータに基づいて、前記投射層に投射された前記イメージを調整するように構成されたことを特徴とする請求項１４に記載の方法。
【発明の詳細な説明】
【技術分野】
【０００１】
本発明は、電子ディスプレイに関する。
【背景技術】
【０００２】
多種の電子的視覚ディスプレイ、例えば、液晶ディスプレイ（ＬＣＤｓ）、発光ダイオード（ＬＥＤ）ディスプレイ、有機発光ダイオード（ＯＬＥＤ）ディスプレイ、ポリマー拡散液晶ディスプレイ（polymer-dispersed liquid-crystal displays）、電子クロムディスプレイ（electrochromic displays）、電気泳動ディスプレイ（electrophoretic displays）及び電気湿潤ディスプレイ（electrowetting displays）などがある。いくつかのディスプレイは、特定フレーム率で、カラーイメージまたはビデオを再生するように構成される一方、他のディスプレイは、カラー、または黒色及び白色で、静的または半静的なコンテンツをディスプレイすることもできる。該ディスプレイは、デスクトップコンピュータ、ラップトップコンピュータ、タブレットコンピュータ、個人用携帯情報端末機（ＰＤＡ）、スマートフォン、ウェアラブル装置（すなわち、スマートウォッチ）、衛星航法装置、携帯用メディア再生装置、携帯型ゲーム機、デジタル信号系、ビルボード（billboard）、キオスクコンピュータ、販売促進用装置、または他の適切な装置の一部としても提供される。自動車、家庭、または他の機器において、制御パネルまたは状態スクリーンは、ディスプレイを含む。該ディスプレイは、タッチ、または対象体（例えば、ユーザの指またはスタイラス）の存在または位置を感知するタッチセンサを含む。該タッチセンサは、ユーザをして、ディスプレイにディスプレイされるところと直接に相互作用させる。
【発明の概要】
【発明が解決しようとする課題】
【０００３】
本発明が解決しようとする課題は、投影層（projection layer）を含むシステムであって、該投影層は複数個のピクセルを含み、該複数個のピクセルは、投影層上に投影されたイメージと協力し、複数のピクセルのうち少なくとも１つの外観を変化させるように電気的に制御されるシステムを提供することである。
【課題を解決するための手段】
【０００４】
１以上の実施形態は、装置に係わる。一様態において、該装置は、イメージを生成するように構成された第１ディスプレイ及び第２ディスプレイを含んでもよい。該第２ディスプレイは、非放出型（non-emissive）及び透明でもある。該第２ディスプレイは、該第１ディスプレイによって生成されたイメージと関連する光を選択的に拡散させるように、電気的に制御可能な複数のピクセルを含んでもよい。
【０００５】
１以上の実施形態は、方法に係わる。一特徴として、該方法は、イメージを生成するように構成された第１ディスプレイを提供する段階、及び第２ディスプレイを提供する段階を含んでもよい。該第２ディスプレイは、非放出型及び透明でもある。該第２ディスプレイは、該第１ディスプレイによって生成されたイメージと関連する光を選択的に拡散させるように、電気的に制御可能な複数のピクセルを含んでもよい。
【０００６】
１以上の他の実施形態は、方法に係わる。一様態において、該方法は、第１ディスプレイ上に、イメージを生成する段階を含んでもよい。該方法は、また第２ディスプレイの複数の電気的に制御可能なピクセルを利用し、第１ディスプレイによって生成されたイメージに係わる光を選択的に拡散させる段階を含んでもよい。該第２ディスプレイは、非放出及び透明でもある。
【０００７】
該要約セクションは、特定概念を、単に紹介するだけのものであり、請求された権利範囲の核心または必須特徴を識別しないように提供される。本発明の多くの他の特徴及び実施形態は、添付された図面、及び下記の詳細な説明から明らかになるであろう。
【図面の簡単な説明】
【０００８】
【図１】海底用イメージを示すディスプレイを有する例示的なディスプレイ装置を図示した図面である。
【図２】ディスプレイを有する図１の例示的ディスプレイ装置が半静的モードで情報を提供するところを図示する図面である。
【図３】ディスプレイを有する例示的ディスプレイ装置が異なるディスプレイモードで動作するように構成された他の領域（region）を有することを図示した図面である。
【図４】ディスプレイを有する例示的ディスプレイ装置が異なるディスプレイモードで動作するように構成された他の領域（region）を有することを図示した図面である。
【図５】例示的ディスプレイ領域に係わる分解図を図示した図面である。
【図６】例示的ディスプレイ領域に係わる分解図を図示した図面である。
【図７】例示的ディスプレイの（左側上の）分解図、及び前記例示的ディスプレイを有する例示的ディスプレイ装置の（右側上の）正面図を図示した図面である。
【図８】例示的ディスプレイの（左側上の）分解図、及び前記例示的ディスプレイを有する例示的ディスプレイ装置の（右側上の）正面図を図示した図面である。
【図９】他の例示的ディスプレイの（左側上の）分解図、及び前記例示的ディスプレイを有する例示的ディスプレイ装置の（右側上の）正面図を図示した図面である。
【図１０】他の例示的ディスプレイの（左側上の）分解図、及び前記例示的ディスプレイを有する例示的ディスプレイ装置の（右側上の）正面図を図示した図面である。
【図１１】さらに他の例示的ディスプレイの（左側上の）分解図、及び前記例示的ディスプレイを有する例示的ディスプレイ装置の（右側上の）正面図を図示した図面である。
【図１２】さらに他の例示的ディスプレイの（左側上の）分解図、及び前記例示的ディスプレイを有する例示的ディスプレイ装置の（右側上の）正面図を図示した図面である。
【図１３】さらに他の例示的ディスプレイの分解図を図示した図面である。
【図１４】さらに他の例示的ディスプレイの分解図を図示した図面である。
【図１５】さらに他の例示的ディスプレイの分解図を図示した図面である。
【図１６】さらに他の例示的ディスプレイの分解図を図示した図面である。
【図１７】例示的な部分発光型ディスプレイの領域を図示した図面である。
【図１８Ａ】例示的な部分発光型ピクセルを図示した図面である。
【図１８Ｂ】例示的な部分発光型ピクセルを図示した図面である。
【図１８Ｃ】例示的な部分発光型ピクセルを図示した図面である。
【図１８Ｄ】例示的な部分発光型ピクセルを図示した図面である。
【図１８Ｅ】例示的な部分発光型ピクセルを図示した図面である。
【図１９】例示的ディスプレイの分解図を図示した図面である。
【図２０】例示的ディスプレイの分解図を図示した図面である。
【図２１】例示的ディスプレイの分解図を図示した図面である。
【図２２】例示的ディスプレイの分解図を図示した図面である。
【図２３】例示的ディスプレイの分解図を図示した図面である。
【図２４Ａ】例示的ポリマー拡散液晶（ＰＤＬＣ）ピクセルの側面図を図示した図面である。
【図２４Ｂ】例示的ポリマー拡散液晶（ＰＤＬＣ）ピクセルの側面図を図示した図面である。
【図２５】例示的電子クロムピクセルの側面図を図示した図面である。
【図２６】例示的電気分散ピクセルの斜視図を図示した図面である。
【図２７】図２６の例示的電気分散ピクセルの平面図を図示した図面である。
【図２８Ａ】例示的電気分散ピクセルの平面図を図示した図面である。
【図２８Ｂ】例示的電気分散ピクセルの平面図を図示した図面である。
【図２８Ｃ】例示的電気分散ピクセルの平面図を図示した図面である。
【図２９】例示的電気湿潤ピクセルの斜視図を図示した図面である。
【図３０】図２９の例示的電気湿潤ピクセルの平面図を図示した図面である。
【図３１Ａ】例示的電気湿潤ピクセルの平面図を図示した図面である。
【図３１Ｂ】例示的電気湿潤ピクセルの平面図を図示した図面である。
【図３１Ｃ】例示的電気湿潤ピクセルの平面図を図示した図面である。
【図３２】例示的コンピュータシステムを図示した図面である。
【図３３】例示的ディスプレイの断面図である。
【図３４】例示的ディスプレイの断面図である。
【図３５Ａ】例示的液晶について説明する図面である。
【図３５Ｂ】例示的液晶について説明する図面である。
【図３５Ｃ】例示的液晶について説明する図面である。
【図３５Ｄ】例示的液晶について説明する図面である。
【図３６Ａ】散乱状態におけるスメクチックＡ液晶の例を図示する図面である。
【図３６Ｂ】透明状態におけるスメクチックＡ液晶の例を図示する図面である。
【図３７Ａ】例示的な投影システムを図示する図面である。
【図３７Ｂ】例示的な投影システムを図示する図面である。
【図３７Ｃ】例示的な投影システムを図示する図面である。
【図３７Ｄ】例示的な投影システムを図示する図面である。
【図３８】図３７のプロジェクタに係わる例示的なアーキテクチャを図示する図面である。
【図３９】図３７の投影装置に係わる例示的なアーキテクチャを図示する図面である。
【図４０】図３９の投影層の一例を示す分解図である。
【図４１】投影システムを具現する例示的な方法を図示する図面である。
【図４２】プロジェクションデバイスに係わる動作の例示的な方法を図示する図面である。
【図４３】ディスプレイを有する他の例示的なディスプレイ装置を図示する図面である。
【図４４】図４１のディスプレイ装置の例示的なディスプレイの分解図を図示する図面である。
【図４５Ａ】アルファチャネル（alpha channel）を有する部分的に発光するピクセルの例を図示する図面である。
【図４５Ｂ】アルファチャネル（alpha channel）を有する部分的に発光するピクセルの例を図示する図面である。
【図４５Ｃ】アルファチャネル（alpha channel）を有する部分的に発光するピクセルの例を図示する図面である。
【図４５Ｄ】アルファチャネル（alpha channel）を有する部分的に発光するピクセルの例を図示する図面である。
【図４５Ｅ】アルファチャネル（alpha channel）を有する部分的に発光するピクセルの例を図示する図面である。
【図４６】図４３及び図４４のディスプレイの他の具現例を図示する図面である。
【図４７】カメラを含む例示的なディスプレイ装置の分解図である。
【図４８】ディスプレイを具現するための例示的な方法を図示する図面である。
【図４９】ディスプレイ動作のための例示的な方法を図示する図面である。
【図５０】例示的なディスプレイの分解図を図示する図面である。
【図５１】他の例示的なディスプレイを図示する図面である。
【図５２】さらに他の例示的なディスプレイを図示する図面である。
【図５３】さらに他の例示的なディスプレイを図示する図面である。
【図５４Ａ】図５０ないし図５３の例示的なディスプレイによって具現された視覚効果の例を図示する図面である。
【図５４Ｂ】図５０ないし図５３の例示的なディスプレイによって具現された視覚効果の例を図示する図面である。
【図５４Ｃ】図５０ないし図５３の例示的なディスプレイによって具現された視覚効果の例を図示する図面である。
【図５４Ｄ】図５０ないし図５３の例示的なディスプレイによって具現された視覚効果の例を図示する図面である。
【図５４Ｅ】図５０ないし図５３の例示的なディスプレイによって具現された視覚効果の例を図示する図面である。
【図５４Ｆ】図５０ないし図５３の例示的なディスプレイによって具現された視覚効果の例を図示する図面である。
【図５４Ｇ】図５０ないし図５３の例示的なディスプレイによって具現された視覚効果の例を図示する図面である。
【図５４Ｈ】図５０ないし図５３の例示的なディスプレイによって具現された視覚効果の例を図示する図面である。
【図５４Ｉ】図５０ないし図５３の例示的なディスプレイによって具現された視覚効果の例を図示する図面である。
【図５４Ｊ】図５０ないし図５３の例示的なディスプレイによって具現された視覚効果の例を図示する図面である。
【図５４Ｋ】図５０ないし図５３の例示的なディスプレイによって具現された視覚効果の例を図示する図面である。
【図５４Ｌ】図５０ないし図５３の例示的なディスプレイによって具現された視覚効果の例を図示する図面である。
【図５５】コンテンツ検出及びその視覚効果の適用例を図示する図面である。
【図５６】ディスプレイを具現するための例示的な方法を図示する図面である。
【図５７】ディスプレイ動作のための例示的な方法を示す図面である。
【図５８】ディスプレイ装置の例を示す図面である。
【図５９】図５８のディスプレイ装置の例示的な視差具現の分解図である。
【図６０Ａ】図５９のディスプレイの視差構成の例について説明する図面である。
【図６０Ｂ】図５９のディスプレイの視差構成の例について説明する図面である。
【図６０Ｃ】図５９のディスプレイの視差構成の例について説明する図面である。
【図６１】図５８のディスプレイ装置の体積具現例を図示する図面である。
【図６２】カラーフィルター構成の他の例を図示する図面である。
【図６３】カラーフィルター構成の他の例を図示する図面である。
【図６４】他の例示的なディスプレイ装置を図示する図面である。
【図６５】ディスプレイ装置具現のための例示的な方法を図示する図面である。
【図６６】ディスプレイ装置の動作のための例示的な方法を図示する図面である。
【発明を実施するための形態】
【０００９】
添付された図面は、１以上の実施形態を図示する。しかし、添付された図面は、本発明を、図示された実施形態でもって制限するようにしてはならない。多様な様態及び利点は、以下の詳細な説明の検討及び図面を参照して明らかになるであろう。
【００１０】
本開示は、新たな特徴を定義する特許請求の範囲でもって結論を結ぶが、そこで説明された多様な特徴は、図面に係わる説明の考慮から、さらに理解されると見られる。本開示の内容内で説明された工程、機械、製造及びその変形は、説明の目的に提供される。記述された任意の特定構造的及び機能的細部事項は、制限として解釈されるものではなく、単に特許請求の範囲の基として、そして事実上任意の適切に詳細な構造として記述された特徴を多様に利用するように、当業者に教示するための代表的な基としてのみ解釈されるものでなければならない。また、本開示内で使用される用語及び文言は、制限するものではなく、記述された特徴に係わる理解可能な説明を提供するためのものである。
【００１１】
図１は、潜水艦のイメージを示すディスプレイ１１０を有する例示的なディスプレイ装置１００を図示する。非制限的な例として、図１のディスプレイ１１０は、秒当たり３０フレーム（ＦＰＳ）のフレーム速度で、高画質ビデオでカラーで動画を示すことができる。特定実施形態において、ディスプレイ装置１００は、電子書籍読み取り機、ＧＰＳ（global positioning system）装置、カメラ、ＰＤＡ（personal digital assistant）、コンピュータモニタ、テレビ、ビデオスクリーン、会議室ディスプレイ、携帯型電子装置、携帯電話またはスマートフォンのようなモバイル装置、タブレット装置、着用式装置（例えば、スマートウォッチ）、ヘッド装着型ディスプレイ（例えば、仮想現実ヘッドセット、拡張されたディスプレイ現実的なヘッドセットなど）、電子窓（例えば、電子的に制御される不透明度またはグラフィックを有する窓）、電子ディスプレイシステム、他の適する電子装置、またはそれらの任意の適切な組み合わせによって動作するようにも構成される。特定実施形態において、ディスプレイ装置１００は、ディスプレイスクリーン、またはディスプレイ１１０と呼ばれる電子ビジュアルディスプレイ１１０を含んでもよい。特定実施形態において、ディスプレイ装置１００は、電源（例えば、バッテリ）、無線通信プロトコルを利用して情報を送受信するための無線装置（例えば、ブルートゥース（登録商標）、Ｗｉ−Ｆｉ（wireless fidelity）またはセルラ）、プロセッサ、コンピュータシステム、タッチセンサ、ディスプレイ１１０を制御するためのディスプレイ制御機、または任意の他の適切な装置またはコンポーネントを含んでもよい。非制限的な例として、ディスプレイ装置１００は、例えば、スタイラス、またはユーザの指を使用し、ディスプレイ１１０上に表示されたものと、ユーザが相互作用を行うことができるようにするタッチセンサ及びディスプレイ１１０を含んでもよい。特定実施形態において、ディスプレイ装置１００は、ディスプレイ装置１００の１以上の構成要素または部品を維持または収容する、例えば、エンクロージャ、シャーシまたはケースのような装置本体を含んでもよい。非制限的な例として、ディスプレイ１１０は、（後述する）前方ディスプレイ及び後方ディスプレイを含み、前方ディスプレイ及び後方ディスプレイ（並びに他の装置）は、それぞれディスプレイ装置１００の装置本体にも結合される（例えば、エポキシと共に、または１以上の機械的ファスナと共に、機械的に付着されたり連結されたり付けられたりする）。
【００１２】
特定実施形態において、ディスプレイ１１０は、任意の適切な類型のディスプレイ、例えば、任意の位相状態（例えば、ツイストネマチック（ＴＮ）、スーパースメクチックＡ（ＳｍＡ）、スメクチックＢ（ＳｍＢ）、スメクチックＣ（ＳｍＣ）またはコレステリック）の液晶ディスプレイ（ＬＣＤ）、発光ダイオード（ＬＥＤ）ディスプレイ、有機発光ダイオード（ＯＬＥＤ）ディスプレイ、量子点ディスプレイ（ＱＤ）、ポリマー分散型液晶（ＰＤＬＣ）ディスプレイ、電気変色ディスプレイ、電気泳動ディスプレイ、電気分散ディスプレイまたは電気湿潤ディスプレイを含んでもよい。
【００１３】
液晶（ＬＣ）ネマチックの例としては、一次元的に配向されるカラミチック（calamitic）形状（例えば、バー状）分子を含むＬＣ物質が含まれる。例えば、カラミチック分子は、長軸が概略的に平行に、長い範囲の指向性順序を有するようにも自己整列（self-align）される。ＬＣ物質に電場を加え、分子配向を制御することができる。また、カラミチック分子は、位置順序が弱かったり、なかったりもする。
【００１４】
ＴＮシステムの液晶ディスプレイは、ネマチック液晶から製造され、ネマチック液晶分子は、ＬＣ物質を通過する光を偏光させることができるように、第１状態において、正確にねじれている（例えば、螺旋形）。例えば、ＴＮＬＣは、９０°ねじれた構造を有している。第２状態において、印加された電場は、ネマチック液晶分子を、電場と整列させるように再構成する。そのような構成で、ＬＣ材料は、ＬＣ材料を通過する光の偏光を変化させない。
【００１５】
ＳＴＮシステムの液晶ディスプレイは、ＴＮシステムと類似している。しかし、ＳＴＮシステムのネマチック液晶分子は、約１８０°から約２７０°まで正確にねじれている。
【００１６】
液晶（ＬＣ）スメクチックの例としては、一方向に沿って位置順序が決まり、それによって層が定義される液晶物質がある。該ＬＣ物質は、層内において、液体のような形態でもある。例えば、ＳｍＡ ＬＣは、分子が層法線に沿って配向される。ＬＣ物質に電場を加えれば、分子配向を制御することができる。異なるスメクチック相が存在し、それぞれは、位置及び配向順序を有するということが分かるであろう。
【００１７】
ネマチック液晶及びスメクチック液晶の例は、下記物質のうち１以上のようなビフェニル（biphenyl）及び類似体を含むが、それらに限定されるものではない：ＣＡＳ（Chemical Abstracts Service）番号：６１２０４−０１−１（４−（trans−４−amylcyclohexyl）benzonitrile）；ＣＡＳ番号：６８０６５−８１−６（４’−（trans−４−amylcyclohexyl）biphenyl−４−carbonitrile）；ＣＡＳ番号：５２７０９−８７−２（４−butoxy−４’−cyanobiphenyl）；ＣＡＳ番号：５２７０９−８３−８（４−butyl−４’−cyanobiphenyl）；ＣＡＳ番号：６１２０４−００−０（４−（trans−４−butylcyclohexyl）benzonitrile）；ＣＡＳ番号：８２８３２−５８−４（trans，trans−４’−butyl−４−（３，４−difluorophenyl）bicyclohexyl）；ＣＡＳ番号：４０８１７−０８−１（４−cyano−４’−pentylbiphenyl）；ＣＡＳ番号：５２３６４−７１−３（４−cyano−４’−pentyloxybiphenyl）；ＣＡＳ番号：５２３６４−７２−４（４−cyano−４’−heptyloxybiphenyl）；ＣＡＳ番号：５２３６４−７３−５（４−cyano−４’−ｎ−octyloxybiphenyl）；ＣＡＳ番号：５４２１１−４６−０（４−cyano−４”−pentyl−ｐ−terphenyl）；ＣＡＳ番号：５２７０９−８６−１（４−cyano−４’−propoxy−１，１’−biphenyl；ＣＡＳ番号：６３７９９−１１−１（（Ｓ）−４−cyano−４’−（２−methylbutyl）biphenyl））；ＣＡＳ番号：５８７４３−７８−５（４−cyano−４’−ethoxybiphenyl）；ＣＡＳ番号：４１４２４−１１−７（４’−cyano−４−hexyloxybiphenyl）；ＣＡＳ番号：５２７０９−８４−９（４−cyano−４’−ｎ−octylbiphenyl）；ＣＡＳ番号：５７１２５−４９−２（４−cyano−４’−dodecylbiphenyl）；ＣＡＳ番号：５２７０９−８５−０（４−cyano−４’−nonylbiphenyl）；ＣＡＳ番号：７０２４７−２５−５（４’−cyano−４−decyloxybiphenyl）；ＣＡＳ番号：５７１２５−５０−５（４’−cyano−４−dodecyloxybiphenyl）；ＣＡＳ番号：５４２９６−２５−２（４−cyano−４”−propyl−ｐ−terphenyl）；ＣＡＳ番号：５８９３２−１３−１（４’−cyano−４−nonyloxybiphenyl）；ＣＡＳ番号：１３４４１２−１７−２（３，４−difluoro−４’−（trans−４−pentylcyclohexyl）biphenyl）；ＣＡＳ番号：８５３１２−５９−０（３，４−difluoro−４’−（trans−４−propylcyclohexyl）biphenyl）；ＣＡＳ番号：８２８３２−５７−３（trans，trans−４−（３，４−difluorophenyl）−４’−propylbicyclohexyl）；ＣＡＳ番号：１１８１６４−５１−５（trans，trans−４−（３，４−difluorophenyl）−４’−pentylbicyclohexyl）；ＣＡＳ番号：１３４４１２−１８−３（３，４−difluoro−４’−（trans−４−ethylcyclohexyl）biphenyl）；ＣＡＳ番号：１３７３１１６−００−７（２，３−difluoro−４−［（trans−４−propylcyclohexyl）ｍethoxy］anisole）；ＣＡＳ番号：１３９２１５−８０−８（trans，trans−４’−ethyl−４−（３，４，５−trifluorophenyl）bicyclohexyl）；ＣＡＳ番号：１２３５６０−４８−５（trans，trans−４−（４−ethoxy−２，３−difluorophenyl）−４’−propylbicyclohexyl）；ＣＡＳ番号：１８９７５０−９８−９（４−ethoxy−２，３−difluoro−４’−（trans−４−propylcyclohexyl）biphenyl）；ＣＡＳ番号：８４５４０−３７−４（４−ethyl−４’−（trans−４−propylcyclohexyl）biphenyl）；ＣＡＳ番号：１３５７３４−５９−７（trans，trans−４’−ethyl−４−（４−trifluoroｍethoxyphenyl）bicyclohexyl）；Ｃ��Ｓ番号：９５７５９−５１−６（２’−fluoro−４−pentyl−４”−propyl−１，１’：４’，１”−terphenyl）；ＣＡＳ番号：４１１２２−７１−８（４−cyano−４’−heptylbiphenyl）；ＣＡＳ番号：６１２０３−９９−４（４−（trans−４−propylcyclohexyl）benzonitrile）；ＣＡＳ番号：１５４１０２−２１−３（（Ｒ）−１−phenyl−１，２−ethanediyl bis［４−（trans−４−pentylcyclohexyl）benzoate］）；ＣＡＳ番号：１３１８１９−２３−３（trans，trans−４’−propyl−４−（３，４，５−trifluorophenyl）bicyclohexyl）；ＣＡＳ番号：１３７６４４−５４−３（trans，trans−４’−pentyl−４−（３，４，５−trifluorophenyl）bicyclohexyl）；ＣＡＳ番号：９６１８４−４０−６（４−［trans−４−［（Ｅ）−１−propenyl］cyclohexyl］benzonitrile）；ＣＡＳ番号：１３２１２３−３９−８（３，４，５−trifluoro−４’−（trans−４−propylcyclohexyl）biphenyl）；ＣＡＳ番号：１７３８３７−３５−９（２’、３，４，５−tetrafluoro−４’−（trans−４−propylcyclohexyl）biphenyl）；及びＣＡＳ番号：１３７５２９−４１−０（trans，trans−３，４，５−trifluoro−４’−（４’−propylbicyclohexyl−４−ｙｌ）biphenyl）。
【００１８】
ネマチック液晶及びスメクチック液晶の追加的な例は、下記物質のうち１以上のようなカーボネート（carbonate）を含むが、それらに限定されるものではない：ＣＡＳ番号：３３９２６−４６−４（amyl ４−（４−ethoxyphenoxycarbonyl）phenylcarbonate）；ＣＡＳ番号：３３９２６−２５−９（４−（４−ethoxyphenoxycarbonyl）phenylethylcarbonate）。
【００１９】
ネマチック液晶及びスメクチック液晶の追加の例は、下記物質のうち１以上のようなフェニルエステル（phenyl esters）を含むが、それらに限定されるものではない：ＣＡＳ番号：６２７１６−６５−８（４−ethoxyphenyl４−butylbenzoate）；ＣＡＳ番号：３８４５４−２８−３（４−（hexyloxy）phenyl４−butylbenzoate）；ＣＡＳ番号：４２８１５−５９−８（４−ｎ−octyloxyphenyl４−butylbenzoate［liquid crystal］）；ＣＡＳ番号：１１４４８２−５７−４（４−cyanophenyl４−（３−butenyloxy）benzoate）；ＣＡＳ番号：３８６９０−７６−５（４−cyanophenyl４−heptylbenzoate Ｍ２１０６ ４−methoxyphenyl ４−（３−butenyloxy）benzoate）；ＣＡＳ番号：１３３６７６−０９−２（（Ｒ）−２−octyl ４−［４−（hexyloxy）benzoyloxy］benzoate）；ＣＡＳ番号：８７３２１−２０−８（（Ｓ）−２−octyl ４−［４−（hexyloxy）benzoyloxy］benzoate）；ＣＡＳ番号：５１１２８−２４−６（４−butoxyphenyl４−pentylbenzoate）；ＣＡＳ番号：５０８０２−５２−３（４−hexyloxyphenyl４−pentylbenzoate）；ＣＡＳ番号：５０６４９−６４−４（４−ｎ−octyloxyphenyl４−pentylbenzoate）；及びＣＡＳ番号：２５１２−５６−３（４−octylphenyl salicylate）。
【００２０】
ネマチック液晶及びスメクチック液晶の追加の例は、下記物質のうち１以上のようなシッフ（shiff）塩基を含むが、それらに限定されるものではない：ＣＡＳ番号：３０６３３−９４−４（Ｎ−（４−methoxy−２−hydroxybenzylidene）−４−butylaniline）；ＣＡＳ番号：３６４０５−１７−１（４’−butoxybenzylidene−４−cyanoaniline）；ＣＡＳ番号：３７０７５−２５−５（４’−（amyloxy）benzylidene−４−cyanoaniline）；ＣＡＳ番号：１６８３３−１７−３（butyl ４−［（４−methoxybenzylidene）amino］cinnamate）；ＣＡＳ番号：１７２２４−１８−９（Ｎ−（４−butoxybenzylidene）−４−acetylaniline）；ＣＡＳ番号：１７６９６−６０−５（terephthal bis（ｐ−phenetidine））；ＣＡＳ番号：５５８７３−２１−７（４’−cyanobenzylidene−４−butoxyaniline）；ＣＡＳ番号：３４１２８−０２−４（４’−cyanobenzylidene−４−ethoxyaniline）；ＣＡＳ番号：２４７４２−３０−１（４’−ethoxybenzylidene−４−cyanoaniline）；ＣＡＳ番号：１７２２４−１７−８（Ｎ−（４−ethoxybenzylidene）−４−acetylaniline）；ＣＡＳ番号：２９７４３−０８−６（４’−ethoxybenzylidene−４−butylaniline）；ＣＡＳ番号：３５２８０−７８−５（４’−hexyloxybenzylidene−４−cyanoaniline）；ＣＡＳ番号：２６２２７−７３−６（Ｎ−（４−methoxybenzylidene）−４−butylaniline）；ＣＡＳ番号：１０４８４−１３−６（Ｎ−（４−methoxybenzylidene）−４−acetoxyaniline）；ＣＡＳ番号：８３６−４１−９（Ｎ−（４−methoxybenzylidene）aniline）；ＣＡＳ番号：６４２１−３０−３（ethyl４−［（４−methoxybenzylidene）amino］cinnamate）；ＣＡＳ番号：３２２４１３−１２−７（４−［（methoxybenzylidene）amino］stilbene）；及びＣＡＳ番号：１３０３６−１９−６（４−［（４−methoxybenzylidene）amino］benzonitrile）。
【００２１】
ネマチック液晶及びスメクチック液晶の追加の例は、下記物質のうち１以上のようなアゾキシベンゼン類（azoxybenzenes）を含むが、それらに限定されるものではない：ＣＡＳ番号：１５６２−９４−３（４，４’−azoxydianisole）；ＣＡＳ番号：４７９２−８３−０（４，４’−azoxydiphenetole）；ＣＡＳ番号：６４２１−０４−１（diethyl azoxybenzene−４，４’−dicarboxylate）；ＣＡＳ番号：２３１２−１４−３（４，４’−didodecyloxyazoxybenzene）；ＣＡＳ番号：２５８７−４２−０（４，４’−bis（hexyloxy）azoxybenzene）；ＣＡＳ番号：１９４８２−０５−４（４，４’−diamyloxyazoxybenzene）；ＣＡＳ番号：２３３１５−５５−１（４，４’−dipropoxyazoxybenzene）；ＣＡＳ番号：２３３１５−５５−１（４，４’−dibutoxyazoxybenzene）；ＣＡＳ番号：２５７２９−１２−８（４，４’−di−ｎ−octyloxyazoxybenzene）；及びＣＡＳ番号：２５７２９−１３−９（４，４’−dinonyloxyazoxybenzene）。
【００２２】
ネマチック液晶及びスメクチック液晶の追加の例は、次の物質のような、他の化学的基を含むが、それらに限定されるものではない：liquid crystal，ＴＫ−ＬＱ ２０４０ Electric effect type，mesomorphic range：２０−４０℃［nematic liquid crystal］from ＴＣＩ AMERICA（Portland，Oregon）製品番号Ｔ０６９７；及びliquid crystal，ＴＫ−ＬＱ ３８５８ Electric effect type，mesomorphic range：３８−５８℃［nematic liquid crystal］from ＴＣＩ AMERICA（Portland，Oregon）as Product番号Ｔ０６９９。
【００２３】
コレステリック液晶の例としては、例えば、下記物質のようなコレステリル化合物を含むが、それらに限定されるものではない：ＣＡＳ番号：６０４−３５−３（cholesterol acetate）；ＣＡＳ番号：６０４−３２−０（cholesterol benzoate）；ＣＡＳ番号：６０４−３３−１（cholesterol linoleate）；ＣＡＳ番号：１１８２−４２−９（cholesterol ｎ−octanoate）；ＣＡＳ番号：３０３−４３−５（cholesterol oleate）；ＣＡＳ番号：１１８３−０４−６（cholesterol decanoate）；ＣＡＳ番号：１９０８−１１−８（cholesterol laurate）；ＣＡＳ番号：４３５１−５５−７（cholesterol formate）；ＣＡＳ番号：１５１０−２１−０（cholesterol hydrogen succinate）；ＣＡＳ番号：６３３−３１−８（cholesterol propionate）；ＣＡＳ番号：６７３２−０１−０（cholesterol hydrogen phthalate）；ＣＡＳ番号：３２８３２−０１−２（cholesterol ２，４−dichlorobenzoate）；及びＣＡＳ番号：１１８２−６６−７（cholesterol pelargonate）。
【００２４】
コレステリック液晶の例としては、例えば、下記物質のようなコレステリックカーボネートを含むが、それらに限定されるものではない：ＣＡＳ番号：１５４５５−８３−１（cholesterol nonyl carbonate）；ＣＡＳ番号：１５４５５−８１−９（cholesterol heptyl carbonate）；ＣＡＳ番号：１７１１０−５１−９（cholesterol oleyl carbonate）；ＣＡＳ番号：２３８３６−４３−３（cholesterol ethyl carbonate）；ＣＡＳ番号：７８９１６−２５−３（cholesterol isopropyl carbonate）；ＣＡＳ番号：４１３７１−１４−６（cholesterol butyl carbonate）；ＣＡＳ番号：１５４５５−７９−５（cholesterol amyl carbonate）；ＣＡＳ番号：１５４５５−８２−０（cholesterol ｎ−octyl carbonate）；及びＣＡＳ番号：１５４５５−８０−８（cholesterol hexyl carbonate）。
【００２５】
コレステリック液晶の例としては、例えば、下記物質のような円盤状（discotic）液晶を含むが、それらに限定されるものではない：ＣＡＳ番号：７０３５１−８６−９（２，３，６，７，１０，１１−hexakis（hexyloxy）triphenylene）；及びＣＡＳ番号：７０３５１−８７−０（２，３，６，７，１０，１１−hexakis［（ｎ−octyl）oxy］triphenylene）。
【００２６】
特定実施形態において、ディスプレイ１１０は、２以上の適するディスプレイ類型の任意の適切な組み合わせを含んでもよい。非制限的な例として、ディスプレイ１１０は、電気泳動，電気湿潤またはＬＣ ＳｍＡディスプレイと結合されたＬＣＤ，ＯＬＥＤまたはＱＤディスプレイを含んでもよい。特定実施形態において、ディスプレイ１１０は、発光型ディスプレイを含み、ここで、該発光型ディスプレイは、可視光を放出または変調するように構成された発光型ピクセルを含む。本開示は、例えば、ＬＣＤ，ＬＥＤディスプレイまたはＯＬＥＤディスプレイのような任意の適する類型の発光型ディスプレイを考慮する。特定実施形態において、ディスプレイ１１０は、非発光型ディスプレイを含み、非発光型ディスプレイは、周辺の可視光を吸収、伝送または反射するように構成された非発光型ピクセルを含む。本開示は、例えば、ＰＤＬＣディスプレイ、ＬＣ ＳｍＡディスプレイ、電気変色ディスプレイ、電気泳動ディスプレイ、電気分散ディスプレイまたは電気湿潤ディスプレイのような任意の適する類型の非発光性ディスプレイを考慮する。特定実施形態において、非発光型ディスプレイは、実質的に透明になるようにも構成される非発光型ピクセルを含んでもよい（例えば、該ピクセルは、ディスプレイに入射された光の７０％、８０％、９０％、９５％、または任意の適切な比率の光を透過させる）。実質的に透明になるようにも構成されるピクセルを有するディスプレイは、高透明度を有するディスプレイまたは高透明度ディスプレイとも呼ばれる。特定実施形態において、周辺光は、例えば、室内光または太陽光のような、ディスプレイ装置１００の外部に位置した１以上の光源から発生する光を指すことができる。特定実施形態において、可視光（または、光）は、肉眼に見える光、例えば、波長が約４００ないし７５０ｎｍである光を指すことができる。本開示は、特定ディスプレイ類型を有する特定ディスプレイについて説明して例示するが、本開示は、任意の適するディスプレイ類型を有する任意の適するディスプレイを考慮する。
【００２７】
特定実施形態において、ディスプレイ１１０は、例えば、デジタルイメージ、ビデオ（例えば、映画またはライブビデオチャット）、ウェブサイト、テキスト（例えば、電子書籍またはテキストメッセージ）、アプリケーション（例えば、テレビゲーム）またはメディアコンテンツの任意の適切な組み合わせでもある。特定実施形態において、ディスプレイ１１０は、カラー、白黒、及びカラーと白黒との組み合わせで情報をディスプレイすることができる。特定実施形態において、ディスプレイ１１０は、頻繁に変化する情報（例えば、３０または６０ＦＰＳのフレームレートを有するビデオ）をディスプレイしたり、比較的まれに変化する半静的（semi-static）である情報をディスプレイすることができる（例えば、時間当り約１回、分当たり１回、秒当たり１回、または適切なアップデート間隔でアップデートされるテキストまたはデジタルイメージ）。１つのディスプレイ１１０の部分は、ビデオをカラーでディスプレイするようにも構成され、ディスプレイ１１０の１以上の他の部分は、白黒で半静的情報をディスプレイするようにも構成される（例えば、秒当たり１回または分当たり１回アップデートされる時計）。本開示は、特定の方式で特定情報をディスプレイするように構成された特定ディスプレイについて説明して例示するが、任意の適する方式で任意の適する情報をディスプレイするように構成された任意の適するディスプレイを考慮する。
【００２８】
図２は、図１の半静的モードの情報を示すディスプレイ１１０を有する例示的なディスプレイ装置１００を図示する。特定実施形態において、ディスプレイ１１０は、動的（または、発光）モード及び半静的（または、非発光）モードの２つの動作モードを有するようにも構成される。図２の例においては、図１に図示された例において、ディスプレイ１１０は、動的モード（例えば、ビデオ示し）でも動作することができ、図２に図示されているように、ディスプレイ１１０は、時間、日付、天気、月刊プランナ及びマップをディスプレイする半静的モードでも動作することができる。図２において、半静的モードでディスプレイされた情報は、比較的長い間隔（例えば、１，１０または６０秒ごと）でもアップデートされる。
【００２９】
動的モード（図１に図示されているように）で動作するとき、ディスプレイ１１０は、次の属性のうち１以上を有することができる：ディスプレイ１１０は、内容（例えば、テキスト、イメージまたはビデオ）を明るかったり鮮やかであったりする色相、高い解像度、または速いフレーム速度（例：２０ＦＰＳ以上のフレーム速度）でディスプレイすることができる。または、ディスプレイ１１０は、ディスプレイ装置１００またはディスプレイ１１０が、光源または照明ソースを含む発光モードで動作することができる。発光モードで動作するのは、ディスプレイ１１０が外部光ソース（例えば、ディスプレイ１１０を暗い室内で見ることができる）を必要とせず、情報をディスプレイさせる。ＬＣＤの場合、光源は、イメージを生成（または、放出）するために、光源を変調するＬＣＤを照明するフロントライトまたはバックライトでもある。ＯＬＥＤディスプレイの場合、ＯＬＥＤディスプレイのピクセルは、放出されたイメージを生成する光（例えば、赤色、緑色及び青色のサブピクセルから）をそれぞれ生成することができる。特定実施形態において、動的モードで動作するとき、ディスプレイ１１０は、カラー、白黒、及びカラーと白黒とのいずれもでコンテンツをディスプレイすることができる。
【００３０】
半静的モードで動作するとき（（図２に図示されているように）、ディスプレイ１１０は、次の属性のうち１以上を有することができる：ディスプレイ１１０は、テキストまたはイメージをカラーまたは白黒でディスプレイすることができる；ディスプレイ１１０は、非発光モードで動作することができる；ディスプレイ１１０は、反射型として見せることができる；ディスプレイ１１０は、相対的に低いアップデートレート（例えば、０．１，１または１０ＦＰＳより低いフレームレートまたはアップデートレート）を有することができる；またはディスプレイ１１０は、電力をほとんどまたは全く消費しない。以下に制限されない他の例ではあるが、動的モードで動作するディスプレイ１１０は、例えば、（ディスプレイ１１０の類型及び大きさに少なくとも部分的に依存して）約１−５０ワットの電力を消費することができるが、半静的モードにおいて、ディスプレイ１１０は、０．１，１，１０または１００ミリワット未満の電力を消費することができる。以下に制限されない他の例ではあるが、半静的モードで動作するディスプレイ１１０は、ディスプレイされるコンテンツをアップデートするとき、電力を消耗してしまうが、静的であって、変更されずにディスプレイする間、電力、それも無視できるほどの電力（例えば、１０μＷ未満）も消費しない。非発光モードで動作するディスプレイ１１０は、ディスプレイ装置１００、またはディスプレイ１１０に含まれた内部光源を使用せずに、ディスプレイ１１０に照明を提供するために、外部の周辺光（例えば、室内光または太陽光）の使用を指す。ディスプレイ１１０は、周辺光源を照明ソースとして使用する電気分散ディスプレイまたは電気湿潤ディスプレイを含んでもよい。特定実施形態において、非発光モードで動作するディスプレイ１１０は、非発光ピクセルでディスプレイされる情報を指す。特定実施形態において、非発光ピクセルは、光を吸収、伝送または反射するピクセルを指す。特定実施形態において、非発光ピクセルは、可視光を放出しないピクセル、光量（例えば、強度）、または可視光線の特定カラー量を変調しないピクセルを指す。
【００３１】
特定実施形態において、ディスプレイ装置１００は、会議室ディスプレイまたは情報表示としても構成され、半静的モードで動作するとき、ディスプレイ１１０は、時計、天気情報、会議こよみ、アートワーク、ポスター、会議メモまたは会社ロゴ、あるいはその他適する情報、または適切な情報組み合わせをディスプレイすることができる。特定実施形態において、ディスプレイ装置１００は、個人用ディスプレイ装置（例えば、テレビ、タブレットまたはスマートフォン）でも構成される、半静的モードで動作するとき、ディスプレイ１１０は、例えば、好きなＴＶショー予告、家族写真アルバム、あつらえウィジェットタイル、ヘッドラインニュース、株価、ソーシャルネットワークフィード、一日クーポン、好きなスポーツ競技点数、時計、天気情報、交通状況、あるいはその他適切な情報、または適切な情報組み合わせのような、あつらえコンテンツをディスプレイすることができる。以下に制限される例ではないが、朝仕事を準備する間、テレビまたはスマートフォンは、（半静的モードで）人の通勤に係わる時間、天気または交通状況をディスプレイすることができる。特定実施形態において、ディスプレイ装置１００は、タッチセンサを含み、ディスプレイ１１０は、ユーザがタッチセンサを介して相互作用することができる本棚またはホワイトボードを（半静的モードで）ディスプレイすることができる。特定実施形態において、ユーザは、ディスプレイ１１０に係わる特定動作モードを選択したり、ディスプレイ１１０は、動的モード及び半静的モードの間で自動にスイッチングしたりすることができる。ディスプレイ装置１００が非活動状態になるとき、ディスプレイ１１０は、低電力モード、半静的モードで動作するように、自動的に転換される。特定実施形態において、半静的モードで動作するとき、ディスプレイ１１０は、反射型でもあり、鏡としても作用することができる。制限されない例として、ディスプレイ１１０の１以上の表面または層は、リフレクタまたは反射コーティングされた面を含み、ディスプレイ１１０が半静的モードにあるとき、ディスプレイ１１０は、鏡として作用することができる。
【００３２】
特定実施形態において、ディスプレイ１１０は、１つのディスプレイが、他のディスプレイの後ろに位置し、互いに実質的に平行に配置された２以上類型のディスプレイの組み合わせを含んでもよい。ディスプレイ１１０は、ＰＤＬＣディスプレイの後ろに位置したＬＣＤ、電気湿潤ディスプレイの後ろに位置したＯＬＥＤディスプレイ、電気湿潤ディスプレイの後ろに位置したＬＣＤ、またはＳｍＡディスプレイの後ろのＬＣＤを含んでもよい。特定実施形態において、ディスプレイ１１０は、２個の異なるタイプのディスプレイを含み、ディスプレイ１１０は、デュアルモードディスプレイまたはデュアルディスプレイとも呼ばれる。特定実施形態において、デュアルモードディスプレイ１１０は、動的（または、発光）ディスプレイ及び半静的（または、非発光）ディスプレイを含んでもよい。例えば、以下に限定されるものではないが、ディスプレイ１１０は、図１に図示されているように、発光モード及び高フレームレート（例えば、２４，２５，３０，６０，１２０または２４０ＦＰＳ、２４ＦＰＳ、あるいは任意の他の適切なフレームレート）でビデオを表示するように構成された動的カラーディスプレイを含んでもよい。また、ディスプレイ１１０は、図２に図示されているように、相対的に低いフレームレートまたはアップデートレート（例えば、０．１，１または１０ＦＰＳ）で、低電力非発光モードで情報を白黒またはカラーで表示するように構成された半静的ディスプレイを含んでもよい。そのような例示的なデュアルモードディスプレイ１１０に対して、動的ディスプレイは、半静的ディスプレイの前方または裏側に位置することができる。制限的ではない例として、動的ディスプレイは、半静的ディスプレイの後ろに位置することができ、動的ディスプレイが活性である場合、半静的ディスプレイは、動的ディスプレイが見えるように、実質的に透明にもなるように構成される。また、ディスプレイ１１０が半静的モードで動作するとき、半静的ディスプレイは、情報（例えば、テキストまたはイメージ）をディスプレイすることができ、動的ディスプレイは、非活性になったり、電源がオフになったりする。特定実施形態において、動的ディスプレイは、動的ディスプレイが非活性になったり電源がオフになったりしたとき、白色、反射、暗いか黒色（例えば、光学的に吸収する）、または実質的に透明に見える。特定実施形態において、非活性であったり電源がオフになったりしたディスプレイは、電力がほとんどまたは全く（例えば、ディスプレイ制御機から）受信されないディスプレイを指すことができ、非活性または電源がオフになった状態でディスプレイは、電力を消費しないか、あるいはほとんど消費しない（例えば、例えば、１０μＷ未満）。特定実施形態において、動的ディスプレイは、発光型ディスプレイとも呼ばれ、半静的ディスプレイは、非発光型ディスプレイと呼ばれる。本開示が特定ディスプレイ類型の特定組み合わせについて説明して例示するが、本開示は、任意の適するディスプレイ類型の任意の適切な組み合わせを考慮する。
【００３３】
特定実施形態において、デュアルモードディスプレイ１１０は、２以上の動作モード（例えば、動的ディスプレイモード、及び低電力、半静的ディスプレイモード）を有する単一類型のディスプレイを含んでもよい。限定ではない例として、ディスプレイ１１０は、動的動作モードにおいて、バックライトまたはフロントライトからの光を変調する発光型ディスプレイとして動作するＬＣＤを含んでもよい。半静的動作モードにおいて、ディスプレイ１１０は、周辺光（例えば、室内光または太陽光）を使用し、ＬＣＤに対する照明を提供する（バックライトまたはフロントライトがオフになった状態で）低電力非発光型ディスプレイとして動作することができる。
【００３４】
図３及び図４は、異なるディスプレイモードで動作するように構成された異なる領域を有するディスプレイ１１０を有する例示的なディスプレイデバイス１００を図示する。特定実施形態、並びに図３及び図４に図示されているように、デュアルモードディスプレイ１１０は、ハイブリッドディスプレイモードで動作することができ、ディスプレイ１１０は、多数の部分、区域または領域を含み、ディスプレイ１１０の各部分は、動的モードまたは半静的モードで動作するように構成される。特定実施形態において、ディスプレイ１１０の１以上の動的部分１２０は、動的モード（例えば、ディスプレイ装置１００またはディスプレイ１１０によって生成された光を使用し、イメージまたはビデオをディスプレイ）で動作し、１以上の半静的部分ディスプレイ１１０のディスプレイ１３０は、半静的モード（例えば、低いアップデート速度で、非発光モードのテキストまたはイメージをディスプレイ）で動作するようにも構成される。ディスプレイ１１０の動的部分１２０は、イメージまたはビデオを高解像度、または生き生きとしていたり明るかったりするカラーでディスプレイすることができ、ディスプレイ１１０の半静的部分１３０は、白黒で、相対的に低いアップデート速度（例えば、秒当たり約１回、または１分当たり１回アップデートされるテキスト、ゲームボードまたは時計）で情報をディスプレイすることができる。半静的部分１３０は、例えば、周辺の室内光のような外部光源を使用しても照明される。特定実施形態において、デュアルモードディスプレイ１１０は、動的部分１２０をディスプレイするための動的ディスプレイ、及び半静的部分１３０をディスプレイするための半静的ディスプレイを含んでもよい。半静的ディスプレイ及び動的部分１２０の真ん前に位置した半静的ディスプレイの部分は、動的部分１２０が半静的ディスプレイの部分を介して見えるように、実質的に透明になるようにも構成される。また、動的部分１２０外部に位置した動的ディスプレイの領域は、非活性であったりオフであったりする。他の例として、以下に制限されるものではないが、半静的ディスプレイは、動的ディスプレイの後ろに位置することができ、半静的部分１３０の真ん前に位置した動的ディスプレイの部分は、実質的に透明になるように構成され、半静的部分１３０は、動的ディスプレイのそれら部分を介して見える。
【００３５】
図３の例においては、ディスプレイ装置１００は、本「白鯨（Moby Dick）」からのイメージ及びテキストの一部を示す電子書籍読み取り機として動作する。ディスプレイ１１０は、生き生きとしていたり明るかったりするカラーの発光モードでもディスプレイされるイメージを示す動的部分１２０を有し、ディスプレイ１１０は、白黒及び非発光モード（例えば、周辺光によって照明される）でテキストを示す半静的部分１３０を有する。特定実施形態において、動的部分１２０外部の動的ディスプレイの領域は、非活性であったりオフであったりする（例えば、動的部分１２０外部に位置したピクセルまたはバックライトがオフになる）。図４の例においては、ディスプレイ装置１００は、２人のプレイヤが遠隔でプレイすることができるチェスゲームとして動作する。ディスプレイ１１０は、他のプレイヤのライブビデオを示す動的部分１２０を有し、それは、２人のプレイヤがチェス競技中に相互作用することができるようにする。ディスプレイ１１０は、また、チェスボード、タイマ及びゲーム制御を示す２個の半静的部分１３０を有する。特定実施形態において、ディスプレイ１１０は、ディスプレイ装置１００上で駆動されるアプリケーションにより、動的な部分１２０及び半静的な部分１３０が移動されたり、大きさが再調整されたりするように再構成される。制限されない例として、図３及び図４に図示されたディスプレイ装置１００は、ｅ−読み取り機（図３）及び遠隔ゲームプレイヤ（図４）として動作するように構成された同一装置でもある。特定実施形態において、ディスプレイ１１０は、任意の適切な個数の動的部分１２０、及び任意の適切な個数の半静的部分１３０を有することができ、それぞれの動的部分１２０及び半静的部分１３０は、任意の適するサイズ、及び任意の適切な形態を有することができる。一例として、制限的なものではなく、動的部分１２０または半静的部分１３０は、ディスプレイ１１０の約１／１６、１／８、１／４、１／２または全部をカバーすることができ、四角形、直方形または円形の形態でもある。非制限的な他の例として、動的部分１２０または半静的部分１３０は、１、２、１０、１００、または任意の適切な数のピクセルを含んでもよい。本開示は、特定ディスプレイモードで作動し、特定のサイズ及び形状を有する特定数の領域を有する特定ディスプレイについて説明して例示するが、本開示は、任意の適するディスプレイモードで動作し、任意の適するサイズ及び形態を有する任意の適切な数の領域を有する任意の適するディスプレイを考慮する。
【００３６】
図５及び図６は、例示的なディスプレイ１００の一部の分解図を図示する。特定実施形態において、ディスプレイ１１０は、前方ディスプレイ１５０及び後方ディスプレイ１４０を含み、後方ディスプレイ１４０は、前方ディスプレイ１５０の後ろに位置する。一例として、以下に制限されるものではないが、前方ディスプレイ１５０は、電気湿潤ディスプレイでもあり、後方ディスプレイ１４０は、前方ディスプレイ１５０のすぐ後ろに位置したＯＬＥＤディスプレイでもある。前方ディスプレイ１５０または後方ディスプレイ１４０は、それぞれ層と呼ばれ、ディスプレイ１１０の各層は、１以上のディスプレイを含んでもよい。一例として、そして以下に限定されるものではないが、ディスプレイ１１０の第１層は、前方ディスプレイ１５０を含むか、あるいは前方ディスプレイ１５０とも呼ばれ、ディスプレイ１１０の第２層は、後方ディスプレイ１４０を含むか、あるいは後方ディスプレイ１４０とも呼ばれる。特定実施形態において、ディスプレイ１１０は、図５及び図６に図示されていない他の表面、層または装置を含み、他の表面、層または装置は、ディスプレイ１４０及び１５０間、後方ディスプレイ１４０の後方、または前方ディスプレイ１５０の前方にも配置される。他の例として、以下に制限されるものではないが、ディスプレイ１１０は、保護カバー、眩しさ防止層（例えば、偏光子または反射防止コーティングを有する層）、または前方ディスプレイ１５０前に位置したタッチセンサ層を含んでもよい。他の例として、以下に制限されるものではないが、ディスプレイ１１０は、後方ディスプレイ１４０の後ろに位置したバックライト、またはディスプレイ１４０及び１５０の間に位置したフロントライトを含んでもよい。
【００３７】
特定実施形態において、ディスプレイ装置１００のディスプレイ１１０は、関連したビューイングコーン（viewing cone）、例えば、ディスプレイ１１０が合理的に見える角度領域または立体角を有することができる。特定実施形態において、ディスプレイ１１０の表面、層または装置の相対的な位置は、関連ビューイングコーン内において、ディスプレイ１００を見る視聴者に係わって参照される。図５の例においては、ポイント１６４から見るディスプレイ１１０は、ビューイングコーン内からのビューイングディスプレイ１１０ともされ、ディスプレイ１１０の前方からのビューイングディスプレイ１１０ともされる。図５のポイント１６４に係わり、前方ディスプレイ１５０は、後方ディスプレイ１４０の前方に配置または位置し、同様に、後方ディスプレイ１４０は、前方ディスプレイ１５０の後に配置されたり位置したりする。
【００３８】
特定実施形態において、ディスプレイ１１０は、層をなす方式で共に結合されたディスプレイ１４０及び１５０（並びにディスプレイ１１０の一部である任意の追加表面、層または装置）を含むサンドイッチ型構造を形成することができる。一例として、以下に限定されるものではないが、ディスプレイ１４０及び１５０は、対向する表面（例えば、ディスプレイ１４０の前面及びディスプレイ１５０の背面）の間の小さいエアギャップに互いに重畳されるか、あるいは接着または接合される。特定実施形態において、ディスプレイ１４０及び１５０は、例えば、光学的に透明な接着剤のような実質的に透明な接着剤と共に結合される。本開示が、特定層及び特定構造を有する特定ディスプレイを記述して例示するが、本開示は、任意の適する層、及び任意の適切な構造を有する任意の適するディスプレイを考慮する。また、本開示は、前方ディスプレイの後ろにある後方ディスプレイの特定例について説明するが、本開示は、任意の適切な数の他のディスプレイの後ろに配置された任意の適切な数のディスプレイを考慮する。例えば、本開示は、図１のディスプレイ１４０及び１５０間に位置した任意の適切な数のディスプレイを考慮する。それらディスプレイは、本明細書に記載されたディスプレイの任意の適する特性を有することができるということを理解しなければならない。従って、例えば、該装置は、前方ディスプレイ、前方ディスプレイの後ろの中間ディスプレイ、及び中間ディスプレイの後ろの後方ディスプレイの３個のディスプレイを含んでもよい。中間ディスプレイの一部分は、前方ディスプレイの対応部分が透明であるとき、前方ディスプレイを介して見られ、中間ディスプレイ及び前方ディスプレイの対応部分が透明であるとき、後方ディスプレイの一部は、中間及び前方ディスプレイを介して見ることができる。
【００３９】
特定実施形態において、前方ディスプレイ１５０及び後方ディスプレイ１４０は、それぞれディスプレイ１４０または１５０の表面にかけて、規則的または反復的なパターンに配列された多数のピクセル１６０を含んでもよい。本開示は、例えば、発光型ピクセル（例えば、ＬＣＤピクセルまたはＯＬＥＤピクセル）または非発光型ピクセル（例えば、電気泳動ピクセルまたは電気湿潤ピクセル）のような任意の適切な類型のピクセル１６０を考慮する。また、ピクセル１６０は、任意の適するサイズ（例えば、２５μｍ、５０μｍ、１００μｍ、２００μｍ、あるいは５００μｍの幅または高さ）、及び任意の適する形状（例えば、正方形、直方形または円形）を有することができる。特定実施形態において、各ピクセル１６０は、ピクセル１６０の状態が異なるピクセル１６０の状態と独立しても（例えば、ディスプレイ制御器により）設定されるように、ディスプレイ１４０または１５０の個別的にアドレッシング可能であるか、あるいは制御可能な要素でもある。一実施形態において、それぞれのピクセル１６０のアドレッシング能力は、各ピクセル１６０からディスプレイ制御器に連結された１以上の制御ラインによっても提供される。特定実施形態において、それぞれのピクセル１６０は、それ自体の専用制御ラインを有することができるか、あるいはそれぞれのピクセル１６０は、１以上の制御ラインを、他のピクセル１６０と共有することができる。一例として、以下に限定されるものではないが、各ピクセル１６０は、ディスプレイ制御器に連結された１以上の電極または電気的コンタクトを有することができ、ディスプレイ制御器によってピクセル１６０に提供される１以上の相応する電圧または電流が、ピクセル１６０の状態を設定することができる。特定実施形態において、ピクセル１６０は、黒色、白色、部分的に透明、透明、反射または不透明である多様な状態にも設定される白黒ピクセルである。非制限的な例として、１つの制御信号を使用し、白黒ピクセルにアドレッシングすることができる（例えば、０Ｖがピクセル制御ラインに印加されるとき、ピクセルがオフになったり黒色になったりし、５Ｖが印加されるとき、ピクセルである白色になったり透明になったりする）。特定実施形態において、ピクセル１６０は、３個以上のサブピクセル（例えば、赤色、緑色及び青色のサブピクセル）を含むカラーピクセルでもあり、ピクセル１６０は、黒色、白色、部分的に透明、透明、反射または不透明の状態だけではなく、多様なカラー状態（例えば、赤色、黄色、オレンジ色など）にも設定される。限定的ではない例として、カラーピクセルは、カラーピクセルの対応するサブピクセルそれぞれに、制御信号を提供する関連制御ラインを有することができる。
【００４０】
特定実施形態において、ディスプレイ制御器は、前方ディスプレイ１５０及び後方ディスプレイ１４０の各ピクセル１６０を、個別的または分割的にアドレッシングするようにも構成される。一例として、以下に限定されるものではないが、ディスプレイ制御器は、前方ディスプレイ１５０の１以上の対応するピクセル１６０を、活性状態または発光状態で構成することができ、後方ディスプレイ１４０の１以上の対応するピクセル１６０を、オフ状態または非活性状態に構成することができる。特定実施形態において、ピクセル１６０は、行及び列に沿っても配列され、アクティブマトリックス方式は、各ピクセル１６０（または、各ピクセル１６０のサブピクセル）に駆動信号を提供するところにも使用される。該アクティブマトリックス方式において、それぞれのピクセル１６０（または、それぞれのサブピクセル）は、関連したキャパシタ及びトランジスタがディスプレイの基板上に蒸着されるが、ここで、該キャパシタは（例えば、１つのスクリーンリフレッシュサイクルの間）、電荷を維持し、該トランジスタは、電流をピクセルに供給する。特定ピクセル１６０を活性化させるために、適切な行制御ラインは、駆動信号が対応する列制御ラインに沿って伝送される間にオンになる。他の特定実施形態において、パッシブマトリックスは、ピクセル１６０のアドレッシングにも使用されるが、パッシブマトリックスは、各ピクセルを選択的に活性化させるように構成された導電性金属からなる行及び列の格子を含む。特定ピクセル１６０をターンオンするために、特定列が活性化され（例えば、電荷がその列に伝送される）、特定行が接地に連結される。特定の行及び列は、指定されたピクセル１６０において交差し、ピクセル１６０が活性化される。本開示は、特定方式によって処理される特定ピクセルについて説明して図示するが、本開示は、任意の適する方式によってアドレッシングされる任意の適するピクセルを考慮する。
【００４１】
特定実施形態において、前方ディスプレイ１５０または後方ディスプレイ１４０は、それぞれカラーディスプレイまたは白黒ディスプレイでもあり、前方ディスプレイ１５０または後方ディスプレイ１４０は、それぞれ発光型または非発光型のディスプレイでもある。非制限的な例として、前方ディスプレイ１５０は、非発光型白黒ディスプレイでもあり、後方ディスプレイ１４０は、発光型カラーディスプレイでもある。特定実施形態において、カラーディスプレイは、カラーイメージまたはテキストを生成するために、加算または減算のカラー技術を使用することができ、該カラーディスプレイは、例えば、赤色／緑色／青色または青緑色／紫紅色／黄色／黒色のような任意の適するカラーシステムに基づいて、カラーを生成することができる。特定実施形態において、発光型カラーディスプレイの各ピクセルは、３個以上のサブピクセルを有することができ、それぞれのサブピクセルは、特定カラー（例えば、赤色、緑色または青色）を発光するように構成される。特定実施形態において、非発光型カラーディスプレイの各ピクセルは、３個以上のサブピクセルを有することができ、各サブピクセルは、特定カラー（例えば、赤色、緑色または青色）を吸収、反射または散乱するように構成される。
【００４２】
特定実施形態において、前方ディスプレイ１５０のピクセル１６０の大きさまたは寸法は、後方ディスプレイ１４０のピクセル１６０の相応する大きさまたは寸法の整数倍であるか、あるいは逆でもある。一例として、制限のためではなく、前方ディスプレイ１５０のピクセル１６０は、後方ディスプレイ１４０のピクセル１６０と同一サイズでもあるか、あるいは前方ディスプレイ１５０のピクセル１６０は、後方ディスプレイ１４０のピクセル１６０の２倍、３倍、または任意の適切な整数倍にもなる。他の例として、以下に限定されるものではないが、後方ディスプレイ１４０のピクセル１６０は、前方ディスプレイ１５０のピクセル１６０の２倍、３倍、または任意の適切な整数倍にもなる。図５の例において、前方ディスプレイ１５０のピクセル１６０は、後方ディスプレイ１４０のピクセル１６０とほぼ同一サイズである。図６の例において、後方ディスプレイ１４０のピクセル１６０は、前方ディスプレイ１５０のピクセル１６０の大きさの約４倍（例えば、面積の４倍）である。本開示は、特定サイズを有する特定ピクセルについて説明して例示するが、適するサイズを有する任意の適するピクセルを考慮する。
【００４３】
特定実施形態において、前方ディスプレイ１５０及び後方ディスプレイ１４０は、互いに対しても実質的に整列される。前方ディスプレイ１５０の１以上のピクセル１６０が、後方ディスプレイ１４０の１以上のピクセル１６０に重なったり重畳したりするように、前方ディスプレイ１５０及び後方ディスプレイ１４０が共に結合され、ディスプレイ１１０を形成することができる。図５及び図６において、前方ディスプレイ１５０のピクセル１６０は、後方ディスプレイピクセル１６０の境界の一部が、前方ディスプレイピクセル１６０の境界の対応する部分すぐ下に位置するように、後方ディスプレイ１４０のピクセル１６０に対して整列される。図５に図示されているように、前方ディスプレイ１５０及び後方ディスプレイ１４０のピクセル１６０は、ほぼ同一サイズ及び形状を有し、４個の点線によって図示されているように、ピクセル１６０は、前方ディスプレイ１５０の各ピクセル１６０が、後方ディスプレイ１４０の対応するピクセルの真上に配置され、その枠が実質的に整列されるように重なる。図６に図示されているように、前方ディスプレイ１５０及び後方ディスプレイ１４０は、後方ディスプレイ１４０のそれぞれのピクセル１６０が、前方ディスプレイ１５０の４個の対応するピクセル１６０のすぐ下に位置し、後方ディスプレイピクセル１６０の枠が、前方ディスプレイピクセル１６０の枠のすぐ下に位置するように整列される。本開示は、特定方式によって整列された特定ピクセルを有する特定ディスプレイについて説明して例示するが、任意の適する方式で整列された任意の適するピクセルを有する任意の適するディスプレイを考慮する。
【００４４】
特定実施形態において、前方ディスプレイ１５０は、１以上の部分を含み、それぞれの部分は、１以上の前方ディスプレイピクセル１６０を含む前方ディスプレイ１５０の領域または一部を含んでもよい。非制限的な例として、前方ディスプレイ部分は、単一ピクセル１６０、または多数の隣接したピクセル（例えば、２，４、１０、１００、１，０００、または任意の適切な数のピクセル１６０）のグループを含んでもよい。非制限的な他の例として、前方ディスプレイ部分は、前方ディスプレイ１５０の領域、例えば、前方ディスプレイの約１／１０、１／４、１／２、または実質的に全ての領域を占めることができる。特定実施形態において、前方ディスプレイ部分は、多重モード部分と呼ばれ、それぞれ多重モードで動作するように構成された１以上の前方ディスプレイピクセルを含んでもよい。非制限的な例として、前方ディスプレイ１５０の多重モード部分は、ピクセルが可視光を、発光、変調、吸収または反射する第１モードで作動する１以上の前方ディスプレイピクセルを有することができる。また、多重モード部分は、１以上の前方ディスプレイピクセルが、可視光に対して実質的に透明な第２モードで動作する１以上の前方ディスプレイピクセルを有することができる。特定実施形態において、後方ディスプレイ１４０は、少なくとも１つの多重モード部分後ろに位置する１以上の後方ディスプレイ部分を含み、それぞれの後方ディスプレイ部分は、可視光線を発光、変調、吸収または反射するように構成されたピクセルを含む。非制限的な例として、図５に図示されているように、前方ディスプレイ１５０のピクセル１６０は、実質的に透明になるようにも構成され、対応する後方ディスプレイピクセル１６０（前方ディスプレイピクセル１６０のすぐ後ろに位置する）は、可視光を放出するようにも構成される。制限的なものではない、他の例として、図５に図示されているように、前方ディスプレイ１５０のピクセル１６０は、入射する可視光を、吸収または反射するようにも構成され（例えば、ピクセル１６０は、半静的部分１３０によっても構成される）、後方ディスプレイ１４０のピクセル１６０は、非活性化されたりターンオフされたりもする。図６に図示されているように、後方ディスプレイ１４０のピクセル１６０は、可視光を放出、変調、吸収または反射するようにも構成され、前方ディスプレイ１５０の４個の重畳されたピクセル１６０は、実質的に透明になるようにも構成される。図３の例においては、ディスプレイ１１０は、発光型後方ディスプレイ（例えば、ＬＣＤ）及び非発光型前方ディスプレイ（例えば、電気湿潤ディスプレイ）を含んでもよい。図３の部分１２０において、後方ディスプレイのピクセルは、図３に図示されたイメージを発光するようにも構成され、対応する多重モード前方ディスプレイ部分のピクセルは、実質的に透明になるようにも構成される。図３の部分１３０において、前方ディスプレイのピクセルは、図示されたテキストをディスプレイするようにも構成され、対応する後方ディスプレイ部分のピクセルは、非活性またはターンオフされるようにも構成される。
【００４５】
図７及び図８は、例示的なディスプレイ１１０の分解図（左側）、及び例示的なディスプレイ１１０を有する例示的なディスプレイ装置１００の正面図（右側）を図示する。図７及び図８を参照すれば、分解された図面は、例示的なディスプレイ１１０を構成する多様な層またはデバイスを図示し、正面図は、ディスプレイデバイス１００の全面から見るとき、いかようにディスプレイ１１０が示されるかということを図示する。特定実施形態において、ディスプレイ１１０は、前方ディスプレイ１５０、後方ディスプレイ１４０（前方ディスプレイ１５０の後ろに位置する）及びバックライト１７０（後方ディスプレイ１４０の後ろに位置する）を含んでもよい。図７及び図８の例において、前方ディスプレイ１５０は、半静的ディスプレイであり、後方ディスプレイ１４０は、動的ディスプレイとして動作するように構成されたＬＣＤである。図７において、ディスプレイ１１０は、動的モードで動作し、図８において、ディスプレイ１１０は、半静的モードで動作する。図７において、ＬＣＤ １４０は、熱帯場面のイメージを図示し、バックライト１７０は、ＬＣＤ １４０によって選択的に変調される光を提供する照明源として作用する。
【００４６】
特定実施形態において、該ＬＣＤは、２個の光学偏光器間に位置した液晶分子層を含んでもよい。非制限的な例として、該ＬＣＤピクセルは、ツイストネマチック効果を使用することができ、ここで、該ツイストネマチックセルは、その偏光軸が互いに直角に配置される２個の直線偏光子間に位置する。印加された電場に基づいて、該ＬＣＤピクセルの液晶分子は、ピクセルを介して伝播される光の偏光を変更させ、偏光器のうち一つにより、光が遮断、通過、または部分的に通過されるようにする。特定実施形態において、該ＬＣＤピクセルは、マトリックス（例えば、行及び列）にも配列され、個別ピクセルは、パッシブマトリックス方式またはアクティブマトリックス方式を使用してもアドレッシングされる。特定実施形態において、各ＬＣＤピクセルは、３個以上のサブピクセルを含み、それぞれのサブピクセルは、白色光照明源のカラー成分を選択的に変調することにより、特定カラー成分（例えば、赤色、緑色または青色）を生成するように構成される。限定的ではない例として、バックライトからの白色光は、ＬＣＤを照明することができ、ＬＣＤピクセルの各サブピクセルは、特定カラー（例えば、赤色、緑色または青色）を通過させ、他のカラー成分を除去したりフィルタリングしたりするカラーフィルタを含んでもよい（例えば、赤色フィルタが赤色を伝送し、緑色成分及び青色成分を除去することができる）。該ＬＣＤピクセルのサブピクセルは、それぞれ関連カラー成分を選択的に変調することができ、該ＬＣＤピクセルは、特定カラーを発光することができる。該ＬＣＤピクセルによる光の変調は、特定量の特定カラー成分を入射照明源からフィルタリングしたり除去したりするＬＣＤピクセルを指す。一例として、該ＬＣＤピクセルは、それぞれのサブピクセル（例えば、赤色、緑色及び青色のサブピクセル）がそれぞれの色成分の実質的に全ての入射光を伝送するように構成されるとき、白色で示され、該ＬＣＤピクセルが入射光の実質的に全てのカラー成分をフィルタリングしたり遮断したりするとき、ブラックでも示される。非制限的な他の例として、該ＬＣＤピクセルは、照明源から他のカラー成分を除去したりフィルタリングしたりし、特定カラー成分は、ほとんどまたは全く減衰されないようにピクセルを通過させるとき、特定カラーでも示される。該ＬＣＤピクセルは、青色サブピクセルが実質的に全ての青色光を透過させ、赤色及び緑色のサブピクセルは、実質的に全ての光を遮断するように構成されるとき、青色でも示される。本開示は、特定方式で動作するように構成された特定液晶ディスプレイを記述して説明するが、本開示は、任意の適する方式で動作するように構成された任意の適する液晶ディスプレイを考慮する。
【００４７】
特定実施形態において、入射光は、例えば、ディスプレイまたはピクセルの表面のような表面と相互作用したり表面にぶつかったりする、１以上の光源からの光を指す。非制限的な例として、ピクセルに入射する入射光は、ピクセルを部分的に透過したり、ピクセルから部分的に反射または散乱したりもする。特定実施形態において、該入射光は、表面におよそ直角である角度でぶつかったり、該入射光は、角度範囲内（例えば、表面の法線に対して４５°以内）で表面にぶつかったりする。該入射光のソースは、外部光源（例えば、周辺光）または内部光源（例えば、バックライトまたはフロントライトからの光）を含んでもよい。
【００４８】
特定実施形態において、バックライト１７０は、ＬＣＤ １４０上に位置した、実質的に不透明であったり透明ではなかったりする照明層でもある。特定実施形態において、バックライト１７０は、ＬＣＤ １４０の照明を生成するために、１以上のＬＥＤまたは蛍光ランプを使用することができる。そのような照明源は、ＬＣＤ １４０のすぐ後にあると、あるいはバックライト１７０の側面上またはコーナー上に位置し、１以上の光ガイド、拡散器または反射器により、ＬＣＤ １４０にも指向される。他の特定実施形態において、ディスプレイ１１０は、バックライト１７０の代わり、あるいはそれに付加し、フロントライト（図７または図８に図示せず）を含んでもよい。非制限的な例として、該フロントライトは、前方ディスプレイ１４０，１５０の間、またはディスプレイ１５０の前方にも配置され、ＬＣＤ １４０に照明を提供することができる。特定実施形態において、該フロントライトは、光をして該フロントライトを通過させる、実質的に透明な層を含んでもよい。また、該フロントライトは、１以上のコーナーに位置した照明源（例えば、ＬＥＤ）を含み、該照明源は、フロントライト内の１以上の表面からの反射を介して、ＬＣＤ １４０に光を提供することができる。本開示は、特定構成を有する特定フロントライト及びバックライトについて説明して図示するが、本開示は、任意の適する構成を有する任意の適するフロントライト及びバックライトを考慮する
【００４９】
図７は、動的モードで動作し、イメージをディスプレイするディスプレイ１１０を図示し、該イメージは、デジタル画像またはビデオの一部でもあり、照明源としてバックライト１７０を使用し、生き生きとしたカラーでもディスプレイされる。ディスプレイ１１０が動的モードで動作するとき、半静的ディスプレイ１５０は、実質的に透明になるように構成され、バックライト１７０及びＬＣＤ １４０からの光が、半静的ディスプレイ１５０を通過し、ＬＣＤ １４０からのイメージが見えるようにする。特定実施形態において、実質的に透明なディスプレイ１４０または１５０は、入射する可視光線の７０％、８０％、９０％、９５％または９９％以上を透過させるか、あるいは入射光の任意の適切な比率を透過させるディスプレイ１４０または１５０を指す。非制限的な例として、透明モードで動作するとき、半静的ディスプレイ１５０は、約９０％の可視光を、ＬＣＤ １４０からディスプレイ１１０のビューイングコーンに伝送することができる。図８は、半静的ディスプレイ１５０が、時間、日付及び天気を示す半静的モードで動作する、図７の例示的なディスプレイ１１０を図示する。特定実施形態において、ディスプレイ１１０が半静的モードで動作するとき、ＬＣＤ １４０及びバックライト１７０は、非活性になったり、ターンオフされたりし、ＬＣＤ １４０またはバックライト１７０は、実質的に透明であるか、あるいは実質的に黒色（例えば、光学的に吸収する）、実質的に白色（例えば、光学的に反射されたり散乱されたりする）でもある。非制限的な例として、オフ状態にあるとき、ＬＣＤ １４０は、実質的に透明でもあり、バックライト１７０は、実質的に黒色にも示される。非制限的な他の例として、バックライト１７０及びＬＣＤがターンオフされるとき、ＬＣＤ １４０は、ＬＣＤ １４０が反射されたり、白色に見える部分反射コーティングを（例えば、前面または背面の表面上に）有することができる。
【００５０】
特定実施形態において、図７及び図８に図示された半静的ディスプレイ１５０は、ＬＣ ＳｍＡディスプレイでもあり、図７及び図８に図示されたデュアルモードディスプレイ１１０は、ＬＣＤ １４０と（バックライト１７０と共に）ＬＣ ＳｍＡディスプレイ１５０との組み合わせを含んでもよい。以下でさらに詳細に説明するように、ＳｍＡディスプレイ１５０は、実質的に透明に見えるか、あるいは実質的に白色または黒色（例えば、印加電圧なし）で示されるように構成されたピクセル１６０を有することができる。ＳｍＡピクセルは、電場を適用しない状態（両安定性）を維持することができるか、あるいは状態を維持するために電場が必要でもある。該電場を印加すれば、実質的に透明な状態で、実質的に白色または黒色に変わる。図７に図示されているように、ディスプレイ１１０が動的モードで動作する場合、ＳｍＡディスプレイ１５０のピクセルは、ＬＣＤ １４０が見えるように、実質的に透明に示されるように構成される。特定実施形態において、図８に図示されているように、ディスプレイ１１０は、半静的モードで動作するとき、ＳＭＡディスプレイ１５０のピクセルは、個別的にアドレスされ（例えば、ディスプレイ制御器により）、透明または白色の表示画素状態を（必要な場合）変更したり維持したりすることができる。図８のＳｍＡディスプレイ１５０によってディスプレイされたテキスト、及び太陽／雲イメージを形成するピクセルは、実質的に透明になるようにも構成される。それら透明画素は、ＬＣＤ １４０またはバックライト１７０の黒色、または光学的に吸収する表面を示すので、暗かったり黒色であったりするように見える。ＳｍＡディスプレイ１５０の他の画素は、実質的に白背景を形成するために、オフ状態にも構成される。他の特定実施形態において、ディスプレイ１１０が半静的モードで動作するとき、ＳｍＡディスプレイ１５０のピクセルは、各ピクセルが透明であるか、あるいは黒色に示されるようにアドレッシングされる。ＳＭＡディスプレイ１５０の白色背景の画素を形成するピクセルは、オン状態になり、実質的に透明に構成される一方、テキスト及び太陽／雲イメージを形成するピクセルは、実質的に黒色（または、光吸収）にも構成される。ＬＣＤ １４０またはバックライト１７０は、入射光を反射または散乱させるように構成され、ＳｍＡディスプレイ１５０の対応する透明な画素が白色に見える。
【００５１】
特定実施形態において、図７及び図８に図示された半静的ディスプレイ１５０は、ＰＤＬＣディスプレイでもあり、図７及び図８に図示されたデュアルモードディスプレイ１１０は、ＬＣＤ １４０（バックライト１７０と共に）とＰＤＬＣディスプレイ１５０との組み合わせを含んでもよい。図７及び図８に図示されているように、ＬＣＤ １４０は、ＰＤＬＣディスプレイ１５０の後ろにも位置する。以下でさらに詳細に説明するように、ＰＤＬＣディスプレイ１５０は、ピクセル１６０に電圧が印加されるとき、実質的に透明に見えるように構成され、オフ状態（例えば、印加電圧なし）において、実質的に白色または黒色に見えるように構成されたピクセル１６０を有することができる。ディスプレイ１１０が動的モードで動作する図７において、ＰＤＬＣディスプレイ１５０のピクセルは、ＬＣＤ １４０が見えるように、実質的に透明に示されるように構成される。特定実施形態としては、図８に図示されているように、ディスプレイ１１０が半静的モードで動作するとき、ＰＤＬＣディスプレイ１５０のピクセルは、それぞれのピクセルが、透明であるか、あるいは白色に見えるように（例えば、ディスプレイ制御器により）、個別的にもアドレッシングされる。図８のＰＤＬＣディスプレイ１５０によってディスプレイされたテキスト及び太陽／雲イメージを形成するピクセルは、実質的に透明になるようにも構成される。それら透明ピクセルは、ＬＣＤ １４０またはバックライト１７０の黒色、または光学的に吸収性である表面を示すので、暗いか、あるいは黒色に見える。ＰＤＬＣディスプレイ１５０の他のピクセルは、実質的に白背景を形成するために、オフ状態にも構成される。他の特定実施形態において、ディスプレイ１１０が半静的モードで動作するとき、ＰＤＬＣディスプレイ１５０のピクセルは、各ピクセルが透明であるか、あるいは黒色に示されるようにアドレッシングされる。テキスト及び太陽／雲イメージを形成するピクセルは、実質的に黒色（または、光学的に吸収する）に構成される一方、ＰＤＬＣディスプレイ１５０の白色背景ピクセルを形成するピクセルは、オン状態に構成されるので、実質的に透明である。ＬＣＤ １４０またはバックライト１７０は、入射光を反射または散乱させ、ＰＤＬＣディスプレイ１５０の対応透明ピクセルが白色に見えるようにも構成される。
【００５２】
特定実施形態において、図７及び図８に図示された半静的ディスプレイ１５０は、電気変色ディスプレイでもあり、図７及び図８に図示されたデュアルモードディスプレイ１１０は、（バックライト１７０を有する）ＬＣＤ １４０と電気変色ディスプレイ１５０との組み合わせでもある。図７及び図８に図示されているように、ＬＣＤ １４０は、電気変色ディスプレイ１５０の後ろに位置することができる。以下でさらに詳細に説明するように、電気変色ディスプレイ１５０は、実質的に透明であるか、あるいは実質的に青色、銀色、黒色または白色に示されるように構成されたピクセル１６０を有することができ、電気変色ディスプレイ１５０ピクセルは、ピクセルの電極にバースト（burst）電荷を加えることにより（例えば、透明から白色に）、変更される。ディスプレイ１１０が動的モードで動作する図７において、電気変色ディスプレイ１５０のピクセルは、ＬＣＤ １４０が見えるように、実質的に透明に示されるように構成される。ディスプレイ１１０が半静的モードで動作する図８において、電気変色ディスプレイ１５０のピクセルは、それぞれのピクセルが透明であるか、あるいは白色に見えるように（例えば、ディスプレイ制御器により）個別的にアドレッシングされる。図８の電気変色ディスプレイ１５０によってディスプレイされるテキスト及び太陽／雲イメージを形成するピクセルは、実質的に透明になるようにも構成される。それら透明ピクセルは、ＬＣＤ １４０またはバックライト１７０が、黒色、または光学吸収表面を示すために、暗かったり黒色に見えたりする。電気変色ディスプレイ１５０の他のピクセルは、実質的に白色に示されるようにも構成される。
【００５３】
特定実施形態において、図７及び図８に図示された半静的ディスプレイ１５０は、電気分散ディスプレイでもあり、図７及び図８に図示されたデュアルモードディスプレイ１１０は、（バックライト１７０を有する）ＬＣＤ １４０と電気分散ディスプレイ１５０との組み合わせを含んでもよい。図７及び図８に図示されているように、ＬＤＣ１４０は、電気分散ディスプレイ１５０の後ろに位置することができる。以下でさらに詳細に説明するように、電気分散ディスプレイ１５０のピクセル１６０は、色、動きまたは位置に基づいて、実質的に透明、不透明、黒色または白色にも示される。電気分散ディスプレイ１５０のピクセル１６０内に含まれた小さい粒子の移動や位置は、ピクセルの１以上の電極に印加される電圧によっても制御される。ディスプレイ１１０が動的モードで動作する図７において、電気分散ディスプレイ１５０のピクセルは、ＬＣＤ １４０が見えるように、実質的に透明に示されるように構成される。特定実施形態としては、図８に図示されているように、ディスプレイ１１０が半静的モードで動作するとき、電気分散ディスプレイ１５０のピクセルは、それぞれのピクセルが透明であるか、あるいは白色に見えるように（例えば、ディスプレイ制御器により）、個別的にもアドレッシングされる。図８の電気分散ディスプレイ１５０によってディスプレイされるテキスト及び太陽／雲イメージを形成するピクセルは、実質的に透明になるようにも構成される。それら透明画素は、ＬＣＤ １４０またはバックライト１７０が黒色、または光学的に吸収する表面を示すので、暗かったり黒色に見えたりする。電気分散ディスプレイ１５０の他の画素は、実質的に不透明であるか、あるいは白色に示されるようにも構成される（例えば、ピクセル内に含まれた小さい粒子は、白色または反射型でもあり、それら粒子は、ピクセルが白色に見えるようにも配置される）。他の特定実施形態において、ディスプレイ１１０が半静的モードで動作するとき、図８の電気分散ディスプレイ１５０によってディスプレイされるテキスト及び太陽／雲イメージを形成するピクセルは、実質的に暗いか、あるいは黒色にも構成される（例えば、ピクセル内に含まれた小さい粒子が黒色でもあり、ピクセルが黒色に示されるようにも配置される）。また、電気分散ディスプレイ１５０の他のピクセルは、実質的に透明になるようにも構成され、そのような透明ピクセルは、ＬＣＤ １４０またはバックライト１７０の表面が、白色または反射面を示すので、白色にも示される。特定実施形態において、ＬＣＤ １４０またはバックライトは、反射または部分反射のフロントコーティングを有するか、あるいはＬＣＤ １４０またはバックライト１７０は、非活性になるか、あるいはターンオフされるとき、白色に示されるようにも構成される。
【００５４】
特定実施形態において、図７及び図８に図示された半静的ディスプレイ１５０は、電気湿潤ディスプレイでもあり、図７及び図８に図示されたデュアルモードディスプレイ１１０は、ＬＣＤ １４０（バックライト１７０を具備）と電気湿潤ディスプレイ１５０との組み合わせを含んでもよい。図７及び図８に図示されているように、ＬＤＣ１４０は、電気湿潤ディスプレイ１５０の後ろに位置することができる。以下でさらに詳細に説明するように、電気湿潤ディスプレイ１５０は、ピクセル１６０が、実質的に透明、不透明、黒色、白色と見えるようにも制御される電気湿潤流体をそれぞれ含むピクセル１６０を有することができる。電気湿潤ピクセルの電極に印加された１以上の電圧に基づいて、ピクセル内に含まれた電気湿潤流体は、ピクセルの外観を変化させるようにも移動される。ディスプレイ１１０が動的モードで動作する図７において、電気湿潤ディスプレイ１５０のピクセルは、ＬＣＤ １４０からの光が電気湿潤ディスプレイ１５０を通過し、ディスプレイ装置１００の正面に見えるように、実質的に透明に見えるように構成される。図８に図示されているように、ディスプレイ１１０が半静的モードで動作するとき、電気湿潤ディスプレイ１５０のピクセルは、各ピクセルが、透明であるか、あるいは白色に見えるように（例えば、ディスプレイ制御器により）、個別的にもアドレッシングされる。図８の電気湿潤ディスプレイ１５０によってディスプレイされたテキスト及び太陽／雲イメージを形成するピクセルは、実質的に透明になるようにも構成される。そのような透明画素は、ＬＣＤ １４０またはバックライト１７０が、黒色、または光学的に吸収する表面を示すので、暗かったり黒色に見えたりする。電気湿潤ディスプレイ１５０の他の画素は、実質的に不透明であるか、あるいは白色に示されるようにも構成される（例えば、電気湿潤流体は、白色であり、ピクセルが白色に見えるように位置することができる）。他の特定実施形態において、ディスプレイ１１０が半静的モードで動作するとき、図８の電気湿潤ディスプレイ１５０によってディスプレイされるテキスト及び太陽／雲イメージを形成するピクセルは、実質的に暗いか、あるいは黒色にも構成される（例えば、電気湿潤流体は、黒色であるか、あるいは光学的吸収性を有することができる）。また、電気湿潤ディスプレイ１５０の他のピクセルは、実質的に透明になるようにも構成され、そのような透明ピクセルは、ＬＣＤ １４０またはバックライト１７０の表面が、白色または反射表面を示すので、白色にも示される。
【００５５】
図９及び図１０は、それぞれ異なる例示的なディスプレイ１００に係わる分解図（左側）、及び例示的なディスプレイ装置１１０の正面図（右側）を図示する。特定実施形態において、ディスプレイ１１０は、前方ディスプレイ１５０（それは、半静的または非発光ディスプレイでもある）と後方ディスプレイ１４０（それは、ＬＥＤ，ＯＬＥＤ，ＱＤディスプレイのような発光ディスプレイでもある）とを含んでもよい。図８の例においては、ディスプレイ１１０は、動的モードで動作し、熱帯場面のイメージを示し、図１０において、ディスプレイ１１０は、半静的モードで動作する。図９及び図１０に図示されているように、後方ディスプレイ１４０は、各ピクセルが電流に応答し、光を放出する１以上の有機化合物膜を含むＯＬＥＤディスプレイでもある。非制限的な例として、各ＯＬＥＤピクセルは、３個以上のサブピクセルを含み、各サブピクセルは、電流が通過するとき（例えば、赤色、緑色または青色）、特定色成分を放出するように構成された特定有機化合物を含むサブピクセルを介して、ＯＬＥＤピクセルの赤色、緑色及び青色のサブピクセルがそれぞれ同一量でターンオンされるとき、該ピクセルは、白色にも示される。ＯＬＥＤピクセルの１以上のサブピクセルがそれぞれ特定量の電流でターンオンされるとき、該ピクセルは、特定カラー（例えば、赤色、緑色、黄色、オレンジ色など）でも示される。本開示が特定方式で動作するように構成された特定ＯＬＥＤディスプレイについて説明して図示するが、本開示は、任意の適する方式で動作するように構成された任意の適するＯＬＥＤディスプレイを考慮する。
【００５６】
図９は、ＯＬＥＤディスプレイ１４０でもって、動的モードで動作するディスプレイ１１０が、デジタル画像またはビデオの一部でもある画像を図示する図面である。ディスプレイ１１０が動的モードで動作するとき、半静的ディスプレイ１５０は、ＯＬＥＤディスプレイ１４０からの光が、半静的ディスプレイ１５０を通過するように、実質的に透明になるように構成され、ＯＬＥＤディスプレイ１４０からのイメージが見える。図１０は、半静的なモードで動作し、時間、日付及び天気を示す半静的ディスプレイ１５０を有する図９の例示的なディスプレイ１１０を図示する。特定実施形態において、ディスプレイ１００が半静的モードで動作するとき、ＯＬＥＤディスプレイ１４０は、実質的に透明であるか、実質的に黒色（例えば、光学的に吸収する）、あるいは実質的に白色（例えば、光学的に反射または散乱される）に見える。非制限的な例として、ターンオフされたとき、ＯＬＥＤディスプレイ１４０は、その前面に入射されるほとんどの光を吸収することができ、ＯＬＥＤディスプレイ１４０は、暗いか、あるいは黒色に見える。制限のためではない他の例として、ターンオフされたとき、ＯＬＥＤディスプレイ１４０は、ほとんどの入射光を反射または散乱させることができ、ＯＬＥＤディスプレイ１４０は、反射型または白色にも示される。
【００５７】
図９及び図１０に図示されているように、前方ディスプレイ１５０は、例えば、ＰＤＬＣディスプレイ、電気変色ディスプレイ、電気分散ディスプレイ、任意相（例えば、ネマチック、ＴＮ、ＳＴＮ、ＳｍＡなど）を有する状態のＬＣＤ、または電気湿潤ディスプレイのような任意の適切な非発光型（または、半静的）ディスプレイでもある。図９及び図１０を参照すれば、前方ディスプレイ１５０は、ＰＤＬＣディスプレイ、電気変色ディスプレイ、電気分散ディスプレイまたは電気湿潤ディスプレイでもあり、前方ディスプレイ１５０のピクセルは、ＯＬＥＤディスプレイ１４０によって発光された光が、前方ディスプレイ１５０を通過するように、ＯＬＥＤ１４０が動作するとき、実質的に透明になるように構成される。図１０に図示されているように、特定実施形態において、ディスプレイ１１０が半静的モードで動作するとき、前方ディスプレイ１５０（ＰＤＬＣディスプレイ、電気変色ディスプレイ、電気分散ディスプレイ、任意相状態のＬＣＤ（ネマチック、ＴＮ、ＳＴＮ、ＳｍＡなど））のピクセルが個別的にアドレッシングされ、各ピクセルが透明であるか、あるいは白色にも示される。図１０の前方ディスプレイ１５０によってディスプレイされるテキスト及び太陽／雲イメージを形成するピクセルは、実質的に透明になるように構成される。そのような透明ピクセルは、ＯＬＥＤディスプレイ１４０が黒色、または光学的に吸収性である表面を示すことにより、暗かったり黒色に見えたりする。前方ディスプレイ１５０の他のピクセルは、図１０に図示された白色の背景を形成しながら、実質的に、不透明にまたは白色に示されるようにも構成される。他の特定実施形態において、ディスプレイ１１０が半静的モードで動作するとき、前方ディスプレイ１５０（ＰＤＬＣディスプレイ、電気変色ディスプレイ、電気分散ディスプレイ、任意相状態のＬＣＤ（ネマチック、ＴＮ、ＳＴＮ、ＳｍＡなど））は、各ピクセルが透明であるか、あるいは黒色に示されるようにも処理される。テキスト及び太陽／雲イメージを形成するピクセルは、実質的に黒色（または、光学的に吸収する）にも構成される一方、前方ディスプレイ１５０の白色背景ピクセルを形成するピクセルは、実質的に透明になるようにも構成される。ＯＬＥＤディスプレイ１４０は、前方ディスプレイ１５０の対応する透明画素が白色に見えるように、入射光を反射させたり散乱させたりするようにも構成される。
【００５８】
図１１及び図１２は、他の例示的なディスプレイ１１０に係わる分解図（左側）と、（右側の）例示的なディスプレイ１１０を有するディスプレイ装置１００の正面図とを図示する。図１１及び図１２において、後方ディスプレイ１４０は、電気泳動ディスプレイである。特定実施形態において、電気泳動ディスプレイ１４０の各ピクセルは、白色及び黒色の粒子またはカプセルが懸濁された液体で充填された体積を含んでもよい。白色及び黒色の粒子は、電気的に制御され、ピクセルの体積内において粒子を移動させることにより、該ピクセルは、白色または黒色に示されるようにも構成される。本明細書において、白色物体（例えば、粒子またはピクセル）は、入射光を実質的に反射または散乱されるか、あるいは白色に示される物体を指し、黒色物体は、実質的に入射光を吸収するか、あるいは暗く見える物体を指す。特定実施形態において、２種色相の電気泳動粒子は、それぞれ正電荷または負電荷に対して異なる親和力を有することができる。非制限的な例として、白色粒子は、電場の正電荷または正極側に引っ張られる一方、黒色粒子は、負電荷、または電場の負極側にも引っ張られる。電気泳動画素の視野面に、直角である電界を印加することにより、ある１色の粒子が画素の前面に移動される一方、他色は、後から見えないように隠される。一例として、そして制限的なものではなく、電気泳動ピクセルに印加された＋５Ｖ信号は、白色粒子を前面に引き寄せ、ピクセルを白色に見えるようにする。類似して、−５Ｖ信号は、ピクセルの前面表面に向けて黒色粒子を引き寄せ、ピクセルを黒色に見えるようにでする。
【００５９】
図１１及び図１２において、前方ディスプレイ１５０は、透明なＯＬＥＤディスプレイである。特定実施形態において、該透明ＯＬＥＤディスプレイは、また実質的に透明な発光ディスプレイでもある。特定実施形態において、透明ＯＬＥＤディスプレイは、実質的に透明な要素を含むＯＬＥＤディスプレイを指す。一例として、以下に制限されるものではないが、該透明ＯＬＥＤピクセルのカソード電極は、例えば、マグネシウム・銀合金のような半透明（semitransparent）金属からも製造され、アノード電極は、インジウムスズ酸化物（ＩＴＯ）でもある。非制限的な他の例として、透明ＯＬＥＤピクセルは、亜鉛・スズ酸化物の薄層によっても製造される透明薄膜トランジスタ（ＴＦＴ）を含んでもよい。図１１は、イメージまたはビデオの一部を示す透明なＯＬＥＤディスプレイ１５０でもって、動的（または、発光）モードで動作するディスプレイ１１０を図示する。ディスプレイ１１０が動的モードで動作するとき、電気泳動ディスプレイ１４０は、透明ＯＬＥＤディスプレイ１５０に黒い背景を提供し、ディスプレイ１１０のコントラストを向上させるために、実質的に暗くも構成される。図１２は、半静的モードで動作するディスプレイ１１０を図示する。電気泳動ディスプレイ１４０のピクセルは、白色または黒色に示され、図１２に図示されたテキスト及びイメージを生成するように構成される一方、透明なＯＬＥＤディスプレイ１５０は、電力が遮断され、実質的に透明である。
【００６０】
図１３及び１４のそれぞれは、さらに他の例のディスプレイ１１０の分解図を図示する。図１３に図示された例において、ディスプレイ１１０は、動的モードで動作し、熱帯場面のイメージを示し、図１４において、ディスプレイ１１０は、半静的モードで動作する。特定実施形態において、ディスプレイ１１０は、（半静的または非発光のディスプレイでもある）前方ディスプレイ１５０及び（ＬＣＤでもある）後方ディスプレイ１４０を含んでもよい。図１３及び図１４に図示されているように、前方ディスプレイ１５０は、例えば、ＰＤＬＣディスプレイ、電気変色ディスプレイ、電気分散ディスプレイ、任意相状態のＬＣＤ（ネマチック、ＴＮ、ＳＴＮ、ＳｍＡなど）のような適切な非発光性（または半静的）ディスプレイでもある。ディスプレイ１１０が動的モードで動作するとき、半静的ディスプレイ１５０は、ＬＣＤ １４０からの光が、半静的ディスプレイ１５０を通過することができるように、実質的に透明になるように構成され、ＬＣＤ １４０からのイメージが見える。
【００６１】
特定実施形態においては、図１４に図示されているように、ディスプレイ１１０が半静的モードで動作するとき、前方ディスプレイ１５０（それは、ＰＤＬＣディスプレイ、電気変色ディスプレイ、電気分散ディスプレイ、任意相状態のＬＣＤ（ネマチック、ＴＮ、ＳＴＮ、ＳｍＡなど）でもある）のピクセルを個別的に処理し、各ピクセルを、透明であるか、あるいは白色に見えるようにする。図１４の前方ディスプレイ１５０によってディスプレイされたテキスト及び太陽／雲イメージを形成するピクセルは、実質的に透明になるようにも構成される。そのような透明ピクセルは、ＬＣＤ １４０の黒色、または光学的に吸収する表面を示すことにより、暗かったり黒色に見えたりする。前方ディスプレイ１５０の他のピクセルは、図１４の白色背景を形成しながら、実質的に、不透明にまたは白色に示されるようにも構成される。他の特定実施形態において、ディスプレイ１１０が半静的モードで動作するとき、前方ディスプレイ１５０（それは、ＰＤＬＣディスプレイ、電気変色ディスプレイ、電気分散ディスプレイ、任意相状態のＬＣＤ（ネマチック、ＴＮ、ＳＴＮ、ＳｍＡなど）でもある）は、各ピクセルが透明であるか、あるいは黒色に示されるようにも処理される。テキスト及び太陽／雲イメージを形成するピクセルは、実質的に黒色（または、光学的に吸収性）でも構成され、一方、前方ディスプレイ１５０の白色背景ピクセルを形成するピクセルは、実質的に透明になるようにも構成される。ＬＣＤ １４０または表面１８０は、前方ディスプレイ１５０の対応する透明なピクセルが、白色に示されるように、入射光を反射または散乱させるようにも構成される。
【００６２】
特定実施形態において、ディスプレイ１１０は、ＬＣＤ １４０の後ろに位置したバックレイヤ１８０を含み、バックレイヤ１８０は、反射器またはバックライトでもある。例えば、以下に制限されるものではないが、バックレイヤ１８０は、反射面（例えば、反射金属または誘電体コーティングがある表面）または入射光のほとんどを実質的に散乱させて白色に見えるように構成された不透明表面のような反射器でもある。特定実施形態において、ディスプレイ１１０は、半静的ディスプレイ１５０、ＬＣＤ １４０、及びバックレイヤ１８０を含み、バックレイヤ１８０は、周囲光をＬＣＤ １４０のピクセルに反射させることにより、ＬＣＤ １４０に照明を提供する反射器として構成される。反射器１８０からの光は、イメージまたはテキストを生成するために、反射器１８０からの光を変調するＬＣＤ １４０のピクセルにも送られる。特定実施形態において、ディスプレイ１１０は、ＬＣＤ １４０に対する照明を提供するように構成されたフロントライト１９０を含み、フロントライト１９０は、フロントライト１９０の１以上のコーナー上に位置した照明源を有する実質的に透明な層を含む。一例として、以下に制限されるものではないが、ディスプレイ１１０は、ＬＣＤ １４０、半静的ディスプレイ１５０、反射器１８０及びフロントライト１９０を含み、反射器１８０とフロントライト１９０は、共に、ＬＣＤ １４０に照明を提供することができる。反射器１８０は、入射する周辺光、またはフロントライト１９０からの光をＬＣＤ １４０のピクセルに反射させるか、あるいは散乱させることにより、ＬＣＤ １４０に対する照明を提供することができる。ＬＣＤ １４０を照明するのに利用可能な十分な周辺光があるならば、フロントライト１９０は、ターンオフされるか、あるいは低減された設定で動作することができる。ＬＣＤ １４０を照明するのに利用可能な周辺光が不十分であるならば（例えば、暗い室内で）、照明を提供するために、フロントライト１９０をオンにし、フロントライト１９０からの光が反射器１８０で反射した後、ＬＣＤ １４０のピクセルを照明することができる。特定実施形態において、フロントライト１９０によって提供された光量は、存在する周辺光量に基づいて、高くも低くも調整される（例えば、フロントライトは、周辺光が低減されることにって増大された照明を提供することができる）。特定実施形態において、半静的ディスプレイ１５０によって散乱されたり反射されたりする十分な周辺光が存在しない場合、半静的ディスプレイ１５０に照明を提供するために、フロントライト１９０が使用される。例えば、以下に制限されるものではないが、暗い室内において、半静的ディスプレイ１５０を照明するために、フロントライト１９０がオンにもなる。
【００６３】
図１３及び図１４の例において、バックレイヤ１８０は、ＬＣＤ１８０に照明を提供するように構成されたバックライトでもある。例えば、以下に制限されるものではないが、ディスプレイ１１０は、ＬＣＤ １４０、半静的ディスプレイ１５０、バックライト１８０及びフロントライト１９０を含んでもよい。特定実施形態において、ＬＣＤ １４０に対する照明は、主にバックライト１８０によっても提供され、ＬＣＤ １４０が作動中であるとき、フロントライト１９０は、オフにもなる。ディスプレイ１１０が半静的モードで動作するとき、半静的ディスプレイ１５０に照明を提供するために、バックライト１８０は、オフにもなり、フロントライト１９０は、オフにもなり、オンにもなる。
【００６４】
図１５及び１６のそれぞれは、さらに他の例のディスプレイ１１０の分解図を図示する。図１５において、ディスプレイ１１０は、動的モードで動作し、熱帯場面のイメージを示し、図１６において、ディスプレイ１１０は、半静的モードで動作する。特定実施形態において、ディスプレイ１１０は、（半静的または非発光型のディスプレイでもある）前方ディスプレイ１５０及び（ＬＥＤ，ＯＬＥＤまたはＱＤディスプレイでもある）後方ディスプレイ１４０を含んでもよい。図１５及び図１６に図示されているように、前方ディスプレイ１５０は、例えば、ＰＤＬＣディスプレイ、電気変色ディスプレイ、電気分散ディスプレイ、電気湿潤ディスプレイ、または任意相状態にあるＬＣＤ（例えば、ネマチック、ＴＮ、ＳＴＮ、ＳｍＡなど）のような任意の適切な非発光型（または、半静的）ディスプレイでもある。図１５及び図１６において、後方ディスプレイ１４０は、ＯＬＥＤディスプレイでもあり、ディスプレイ１１０が動的モードで動作するとき、半静的ディスプレイ１５０は、ＯＬＥＤディスプレイ１４０によって発光された光が、半静的ディスプレイ１５０を通過し、ＯＬＥＤディスプレイ１４０からのイメージが見えるように、実質的に透明にも構成される。
【００６５】
特定実施形態においては、図１６に図示されているように、ディスプレイ１１０が半静的モードで動作するとき、前方ディスプレイ１５０（ＰＤＬＣディスプレイ、電気変色ディスプレイ、電気分散ディスプレイディスプレイ、電気湿潤ディスプレイ、任意相状態にあるＬＣＤ（ネマチック、ＴＮ、ＳＴＮ、ＳｍＡなど））のピクセルは、個別的にアドレッシングされ、各ピクセルが透明であるか、あるいは白色に示され、ＯＬＥＤディスプレイ１４０は、オフになり、実質的に黒色に示されるようにも構成される。他の特定実施形態において、ディスプレイ１１０が半静的モードで動作するとき、前方ディスプレイ１５０のピクセルは、各ピクセルが、透明であるか、あるいは黒色に見えるようにもアドレッシングされ、ＯＬＥＤディスプレイ１４０は、オフになり、実質的に白色に示されるようにも構成される。特定実施形態において、図１５及び図１６に図示されているように、ディスプレイ１１０は、ＯＬＥＤディスプレイ１４０、半静的ディスプレイ１５０及びフロントライト１９０を含んでもよい。図１６の例において、ディスプレイ１１０は、半静的ディスプレイ１５０によって散乱されたり反射されたりする十分な周辺光が存在しない場合、半静的ディスプレイ１５０に照明を提供するフロントライト１９０を含んでもよい。ディスプレイ１１０が半静的モードで動作するとき、半静的ディスプレイ１５０を照明するのに利用可能な十分な周囲光が存在すれば、フロントライト１９０は、オフになるか、あるいは低減された設定で動作することができる。半静的ディスプレイ１５０を照明するのに利用する周辺光が不十分である場合、フロントライト１９０は、半静的ディスプレイ１５０に照明を提供するために、フロントライト１９０は、オンになる。特定実施形態において、フロントライト１９０によって半静的ディスプレイ１５０に提供される光量は、周辺光量により、高くも低くも調整される。
【００６６】
図１７は、例示的な部分発光型ディスプレイの一部を図示する。特定実施形態において、部分発光型ディスプレイ２００は、部分発光型ピクセル１６０を含み、それぞれの部分発光型ピクセル１６０は、１以上の実質的に透明な領域と、可視光を変調するか、あるいは発光するように構成されたアドレッシング可能な領域と、を含む。図１７において、点線は、例示的な部分発光型ピクセル１６０を取り囲み、それは、実質的に透明な領域（「透明」と表示される）と、赤色（「Ｒ」）、緑色（「Ｇ」）及び青色（「Ｂ」）のサブピクセルを含むアドレッシング可能領域と、を含む。部分発光型ディスプレイ２００は、部分発光型ＬＣＤでもあり、部分発光型ＬＣＤピクセル１６０は、ＬＣＤサブピクセルを含み、各ＬＣＤサブピクセルは、特定カラー成分（例えば、赤色、緑色または青色）を変調するように構成される。他の特定実施形態において、部分発光型ディスプレイ２００は、それぞれ部分発光型のＬＥＤピクセルまたはＯＬＥＤピクセル１６０を有する部分発光型のＬＥＤディスプレイまたはＯＬＥＤディスプレイでもある。それぞれの部分発光のＬＥＤピクセルまたはＯＬＥＤピクセル１６０は、特定カラー成分（例えば、赤色、緑色または青色）を放出するように構成されたサブピクセルを含んでもよい。
【００６７】
特定実施形態において、透明領域及びアドレッシング可能領域は、部分的に発光するピクセル１６０の領域の任意の適切な部分を占めることができる。一例として、制限的なものではないが、透明領域は、１／４、１／３、１／２、２／３、３／４の部分、あるいはある部分で発光するピクセル１６０の領域の任意の適切な部分を含んでもよい。類似して、アドレッシング可能領域は、１／４、１／３、１／２、２／３、３／４の部分、あるいはある部分で発光するピクセル１６０の領域の一部分である。図１７に図示されているように、透明な領域、及びアドレッシング可能な領域のそれぞれは、部分的に発光するピクセル１６０の面積のおよそ半分を占有する。特定実施形態において、部分的に発光するディスプレイは、部分的なディスプレイと呼ばれ、部分的に発光するＬＣＤディスプレイまたはＯＬＥＤディスプレイは、部分ＬＣＤディスプレイまたは部分ＯＬＥＤディスプレイとそれぞれ表示される。さらには、部分的に発光するピクセルは、部分ピクセルと呼ばれ、部分的に発光するＬＣＤ，ＯＬＥＤまたはＱＤピクセルは、それぞれ部分的ＬＣＤピクセルまたは部分ＯＬＥＤピクセルと呼ばれる。
【００６８】
図１８Ａないし図１８Ｅに図示された例示的な部分発光型ピクセル１６０は、多様な配列、形態及び大きさを有するサブピクセル及び透明領域を有する。特定実施形態において、部分的に発光するピクセル１６０は、例えば、正方形、直方形または円形のような任意の適する形状を有することができる。図１８Ａは、図１７に図示された部分発光型ピクセル１６０と類似した部分発光型ピクセル１６０を図示する。図１８Ａに図示されているように、部分発光型ピクセル１６０は、３つの隣接した直方形サブピクセル（「Ｒ」、「Ｇ」及び「Ｂ」）、並びに３つのサブピクセルの下に位置する透明領域を含み、該透明領域は、３つのサブピクセルとほぼ同一サイズを有する。図１８Ｂにおいて、部分発光型ピクセル１６０は、３つの隣接した直方形サブピクセル、及び青色サブピクセルに隣接して位置した透明領域を含み、該透明領域は、サブピクセルそれぞれとほぼ同一サイズ及び形状を有する。図１８Ｃに図示されているように、部分発光型ピクセル１６０は、四分面のうち三つを占める３つのサブピクセル、及び第４四分面に位置した透明領域を有する４つの四分面に細分される。図１８Ｄに図示されているように、部分発光型ピクセル１６０は、４つのサブピクセルの間、及びその周辺に位置した透明領域を有する４つの正方形サブピクセルを有する。図１８Ｅに図示されているように、部分発光型ピクセル１６０は、４つのサブピクセルの間、及びその周辺に位置した透明領域を有する４つの円形サブピクセルを有する。本開示は、特定サブピクセル、並びに特定の配列、形態及び大きさを有する透明領域を有する特定部分発光型ピクセルを記述して例示するが、任意の適する構成、形態及び大きさを有する任意の適するサブピクセル及び透明領域を有する任意の適する部分発光型ピクセルを考慮する。
【００６９】
図１９ないし図２３のそれぞれは、例示的なディスプレイ１１０の分解図を図示する。図１９ないし図２３のディスプレイにおいて、それぞれは、前方ディスプレイ１５０または後方ディスプレイ１４０で構成された部分発光型ディスプレイを含む。特定実施形態において、部分発光型ディスプレイは、発光型ディスプレイとして機能することができ、さらには、部分発光型ディスプレイの透明領域は、周囲光の一部、フロントライトまたはバックライトからの光が、部分発光型ディスプレイを介しても透過される。特定実施形態において、周辺光（例えば、ディスプレイ１１０外部に位置した１以上の光源からの光）は、部分発光型ディスプレイの透明領域を通過することができ、該周辺光は、部分発光型ディスプレイのピクセル、または他のディスプレイ（例えば、電気泳動ディスプレイ）のピクセルを照明するところにも使用される。
【００７０】
特定実施形態において、ディスプレイ１１０は、前方ディスプレイ１５０または後方ディスプレイ１４０として構成された部分的に透明なディスプレイを含んでもよい。部分的に透明なディスプレイの各ピクセルは、白色、黒色、または透明に見えるように構成された半静的アドレッシング可能領域を含む。また、部分的に透明なディスプレイの各ピクセルは、周辺光、またはフロントライトまたはバックライトからの光を通過させる１以上の実質的に透明な領域を有することができる。限定的ではない例として、部分的に透明な電気泳動ディスプレイは、白色または黒色に示されるように構成されたピクセルを有する半静的ディスプレイとして機能することができる。また、部分的に透明な電気泳動ディスプレイの各ピクセルは、周辺光の一部、またはフロントライトまたはバックライトからの光を伝送することができる１以上の透明領域（前述の部分発光ピクセルと類似する）を有することができる。特定実施形態において、ディスプレイ１１０は、部分発光型ディスプレイ、及び部分的に透明な電気泳動ディスプレイを含み、２つのディスプレイのピクセルは、それらそれぞれのアドレッシング可能領域が、実質的に重畳されずに、それらそれぞれの透明領域が、実質的に重畳されないように、互いに対して整列される。制限的ではない例として、部分発光型ピクセルの透明領域は、部分的に透明なピクセルの電気泳動領域を照明する光を透過させることができ、同様に、部分的に透明なピクセルの透明な領域は、部分発光型ＬＣＤピクセルのサブピクセルを照明する光を透過させることができる。特定実施形態において、部分的に透明な電気泳動ディスプレイは、部分電気泳動ディスプレイとも呼ばれる。
【００７１】
特定実施形態において、ディスプレイ１１０は、照明光を生成するように構成された領域、及び光を生成しないように構成された他の領域を有する分割されたバックライトを含んでもよい。特定実施形態において、分割されたバックライトは、部分ＬＣＤに対して整列され、分割されたバックライトの光生成領域が、部分ＬＣＤのサブピクセルを照明するようにも整列される。制限的ではない例として、分割されたバックライトは、ストリップ形態で光を生成することができ、それぞれの光ストリップは、部分ＬＣＤのサブピクセルの対応するストリップを照明するようにも整列される。本開示が、部分発光型ディスプレイ、部分的に透明なディスプレイ、及び分割されたバックライトの特定組み合わせを含む特定ディスプレイについて説明して例示するが、本開示は、部分発光型ディスプレイ、部分的に透明なディスプレイ、または分割されたバックライトの任意の適する組み合わせを含む任意の適するディスプレイを考慮する。
【００７２】
図１９の例示的なディスプレイ１１０は、部分ＬＣＤ １５０、層２１０及び層２２０を含む。図１９において、層２１０は、反射器（例えば、入射光を反射するように構成された反射表面）でもあり、層２２０は、フロントライトでもある。該反射器は、入射光の約７０％、８０％、９０％、９５％、または任意の適切な比率を反射することができる。図１９のディスプレイ１１０が発光モードで動作するとき、フロントライト２２０は、オンになって反射器２１０を照明し、反射器２１０は、フロントライト１９０からの光をイメージ、ビデオ、または他のコンデンツを発光するように光を変調する部分ＬＣＤ １５０に反射させる。発光モードにおいて、周辺光（それは、ディスプレイ１５０の透明領域を介して伝送される）は、また部分ＬＣＤ １５０を照明するのにも使用される。ディスプレイ１１０が半静的モードで動作するとき、フロントライト２２０は、オフになり、周辺光（室内光または太陽光）は、部分ＬＣＤ １５０の透明領域を通過する。該周辺光は、実質的に透明なフロントライト２２０を通過し、反射器２１０で反射され。反射された光は、部分ＬＣＤ １５０を照明し、部分ＬＣＤ １５０は、光を変調し、テキスト、イメージまたはその他コンテンツを生成する。非発光モードにおいて、フロントライトの電源がオフになり、部分ＬＣＤ １５０が作動するのに相当な電力を要求しないために、ディスプレイ１１０は、電力をほとんど要求しない。
【００７３】
図１９において、他の特定実施形態において、層２１０は、バックライトでもあり、層２２０は、バックライト２１０と部分ＬＣＤ １５０との間に位置した半透過反射器（transflector）でもある。半透過反射器は、入射光を部分的に反射させ、部分的に透過させる層を指す。非制限的な例として、半透過反射器は、基板の一部分を覆う反射コーティングを有するガラス基板、部分的に透過性であり、部分的に反射性であるハーフシルバーミラーまたはワイヤグリッド偏光器を含んでもよい。特定実施形態において、半透過反射器は、入射光の任意の適切な部分を透過させたり反射させたりすることができる。一例として、半透過反射器２２０は、入射光の約５０％を反射させ、入射光の約５０％を透過させることができる。図１９の例においては、ディスプレイ１１０が発光モードで動作するとき、バックライト２１０は、オンにもなり、半透過反射器２２０を介して、部分ＬＣＤ １５０を照明するように光を伝送することができる。特定実施形態において、部分ＬＣＤ １５０を照明するのに使用可能な周辺光が十分である場合、バックライト２１０からの光は、低減されたりオフになったりする。ディスプレイ１１０が半静的モードで動作するとき、バックライト２１０は、オフになり、半透過反射器２２０は、周辺光を部分ＬＣＤ １５０に反射させることにより、部分ＬＣＤ １５０を照明することができる。周辺光（例えば、ディスプレイ１１０の外部からの光）は、部分ＬＣＤ １５０の透明領域を介して、ディスプレイ１１０にも伝送される。
【００７４】
図２０の例において、前方ディスプレイ１５０は、部分発光型ＬＣＤにおいて、後方ディスプレイ１４０は、白色または黒色に示されるように構成されたピクセルを有する、部分的に透明な電気泳動ディスプレイである。図２０の例示的なディスプレイ１１０は、部分ＬＣＤ １５０、部分電気泳動ディスプレイ１４０、及び分割されたバックライト１７０を含む。特定実施形態において、部分ＬＣＤ １５０及び部分電気泳動ディスプレイ１４０のピクセルは、同一サイズでもあり、該ピクセルは、互いに対しても整列される。該ピクセルは、その境界が、真上または真下に位置するようにも整列され、従って、１つのディスプレイのピクセルの透明領域が、他のディスプレイのピクセルのアドレッシング可能な領域とも重畳され、その反対も同様である。図２０のディスプレイ１１０が発光モードで動作するとき、分割されたバックライト１７０は、オンになり、分割されたバックライト１７０の点灯されたストリップは、部分電気泳動ディスプレイ１４０の透明領域を介して進む光を生成し、イメージ、または他のコンデンツを生成するように光を変調する部分ＬＣＤ １５０のサブピクセルを照明する。分割されたバックライト１７０のさらに暗い領域は、光を生成しない。ディスプレイ１１０が発光モードで動作するとき、部分電気泳動ディスプレイ１４０のピクセルは、白色または黒色に示されるようにも構成される。ディスプレイ１１０が半静的モードで動作するとき、分割されたバックライト１７０及び部分ＬＣＤ １５０は、電源がオフになり、周辺光は、部分電気泳動ディスプレイ１４０のピクセルのアドレッシング可能領域を照明するために、部分ＬＣＤ １５０の透明領域を通過する。部分電気泳動ディスプレイ１４０のピクセルは、部分電気泳動ディスプレイ１４０が、テキスト、イメージ、または他の内容を生成するように、白色または黒色に示されるようにも構成される。
【００７５】
図２１において、後方ディスプレイ１４０は、部分発光型ＬＣＤにおいて、前方ディスプレイ１５０は、白色または黒色に示されるように構成されたピクセルを有する部分透明な電気泳動ディスプレイである。図２１の例示的なディスプレイ１１０は、部分ＬＣＤ １５０、部分電気泳動ディスプレイ１５０、及び分割されたバックライト１７０を含む。特定実施形態において、部分ＬＣＤ １４０及び部分電気泳動ディスプレイ１５０のピクセルは、同一サイズでもあり、ピクセル（及びそれぞれの透明領域及びアドレッシング可能領域）は、互いに対しても整列される。図２１のディスプレイ１１０が発光モードで動作するとき、分割されたバックライト１７０は、オンになり、分割されたバックライト１７０の点灯されたストリップは、部分ＬＣＤ １４０のサブピクセルを照明する光を生成する。該サブピクセルは、光を変調し、イメージ、または他のコンデンツを生成し、それは、部分電気泳動ディスプレイ１５０の透明領域を介して伝播される。分割されたバックライト１７０のさらに暗い領域は、光を生成しない。ディスプレイ１１０が発光モードで動作するとき、部分電気泳動ディスプレイ１５０のピクセルは、白色または黒色に示されるようにも構成される。ディスプレイ１１０が半静的モードで動作するとき、分割されたバックライト１７０及び部分ＬＣＤ １５０は、電源がオフになり、周辺光は、部分電気泳動ディスプレイ１５０のピクセルのアドレッシング可能領域を照明する。部分電気泳動ディスプレイ１５０を介して伝播される光は、部分ＬＣＤ １４０のサブピクセルによって吸収されたり反射されたりする。
【００７６】
図２２において、後方ディスプレイ１４０は、部分発光型ＯＬＥＤディスプレイにおいて、前方ディスプレイ１５０は、部分的に透明な電気泳動ディスプレイである。図２２の例示的なディスプレイ１１０は、部分ＯＬＥＤディスプレイ１４０、部分電気泳動ディスプレイ１５０を含む。特定実施形態において、部分ＯＬＥＤディスプレイ１４０及び部分電気泳動ディスプレイ１５０のピクセルは、同一サイズでもあり、ピクセル（及びそれぞれの透明でアドレッシング可能な領域）は、互いに対しても整列される。図２２のディスプレイ１１０が発光モードで動作するとき、部分ＯＬＥＤディスプレイ１４０のサブピクセルは、部分電気泳動ディスプレイ１５０の透明領域を介して伝播される光を発光することができる。ディスプレイ１１０が発光モードで動作するとき、部分電気泳動ディスプレイ１５０のピクセルは、白色または黒色に示されるようにも構成される。ディスプレイ１１０が半静的モードで動作するとき、部分ＯＬＥＤディスプレイ１４０は、電源がオフになり、周辺光は、それぞれ黒色または白色に見えるように構成された部分電気泳動ディスプレイ１５０のピクセルのアドレッシング可能領域を照明する。部分電気泳動ディスプレイ１５０の透明領域を介して伝播される周辺光は、部分ＯＬＥＤディスプレイ１４０のサブピクセルにより、吸収、散乱または反射される。
【００７７】
図２３において、後方ディスプレイ１４０は、電気泳動ディスプレイであり、前方ディスプレイ１５０は、部分的に透明なＬＣＤ １５０である。図２３の例示的なディスプレイ１１０は、電気泳動ディスプレイ１４０、フロントライト１９０及び部分ＬＣＤ １５０を含む。特定実施形態において、電気泳動ディスプレイ１４０は、部分電気泳動ディスプレイでもあり（図２３に図示されているように）、透明領域がほとんどまたは全くない電気泳動ディスプレイでもある。特定実施形態において、電気泳動ディスプレイ１４０及び部分ＬＣＤ １５０のピクセルは、互いに対しても整列される。図２２のディスプレイ１１０が発光モードで動作するとき、バックライト１９０は、電気泳動ディスプレイ１４０を照明するためにオンにもなり、電気泳動ディスプレイ１４０は、そのピクセルが白色になり、バックライトからの光を部分ＬＣＤ １５０で散乱させたり反射させたりするようにも構成される。部分ＬＣＤ １５０のサブピクセルは、電気泳動ディスプレイ１４０によって散乱された入射光を変調し、イメージ、または他のコンテンツを生成する。ディスプレイ１１０が半静的モードで動作するとき、バックライト１９０及び部分ＬＣＤ １５０は、電源がオフになる。電気泳動ディスプレイ１４０は、部分ＬＣＤ １５０の透明領域を介して、そしてフロントライト１９０を介して伝送される周辺光によって照明される。電気泳動ディスプレイ１４０のピクセルは、フロントライト１９０と、部分ＬＣＤ １５０とを介して伝播されるテキストまたはイメージを生成するために、白色または黒色に示されるように構成される。
【００７８】
特定実施形態において、ディスプレイスクリーンは、（例えば、冷蔵庫扉にあるもの）器具、または自動車の一部（例えば、自動車のウインドシールドやミラー）にも統合される。非制限的な例として、ディスプレイスクリーンは、自動車ウィンドーシールドの一部分上に重畳された情報を提供するために、自動車ウィンドーシールドにも統合される。一動作モードにおいて、該ディスプレイスクリーンは、実質的に透明でもあり、他の動作モードにおいて、該ディスプレイスクリーンピクセルは、運転手または搭乗者が見ることができる情報をディスプレイするようにも構成される。特定実施形態において、ディスプレイスクリーンは、多数のピクセルを含み、各ピクセルは、入射光に対して、実質的に透明であるか、あるいは少なくとも部分的に入射光に対して不透明であるか、あるいは実質的に不透明になるようにも構成される。非制限的な例として、半静的ディスプレイは、多数の半静的ピクセルを含み、多数の半静的ピクセルは、実質的に透明であるか、あるいは不透明にも構成される。特定実施形態において、ディスプレイスクリーンは、２以上のモードで動作するようにも構成され、該モードのうち一つは、ディスプレイスクリーンを透明に見せるピクセルを含み、高透明度を有するディスプレイとも呼ばれる。特定実施形態において、該ピクセルが可視光に対して、実質的に透明であるモードにあるとき、該ピクセルは、可視光を放出するか、あるいは生成せず、かつ／または可視光の１以上の周波数（すなわち、色）を変調しない。
【００７９】
特定実施形態において、少なくとも部分的に不透明な物質またはピクセルは、可視光に対して部分的に透明であり、可視光を部分的に反射させたり散乱させたり吸収したりする物質またはピクセルを指す。限定的ではない例として、部分的に不透明なピクセルは、部分的に透明に見えるか、あるいは部分的に黒色または白色に見える。実質的に不透明な物質またはピクセルは、実質的に全ての入射する可視光を反射させたり散乱させたり吸収したりして、ほとんどまたは全く光を透過させない物質またはピクセルでもある。特定実施形態において、不透明な物質からの光の散乱または反射は、正反射、拡散反射（例えば、多くの異なる方向に入射光を散乱させる）、または正反射と拡散反射との組み合わせを指す。非制限的な例として、実質的に吸収する不透明な物質は、黒色み見え、実質的に全ての入射光を散乱させたり反射させたりする不透明な物質は、白色に見える。
【００８０】
図２４Ａ及び図２４Ｂのそれぞれは、例示的なポリマー分散型液晶（ＰＤＬＣ）ピクセル１６０の側面図を図示する。特定実施形態において、該ＰＤＬＣディスプレイは、ディスプレイスクリーンを形成するように配列された多数のＰＤＬＣピクセル１６０を含み、ここで、それぞれのＰＤＬＣピクセル１６０は、個別的にアドレス（例えば、アクティブマトリックス方式またはパッシブマトリックス方式を使用）可能である。図２４Ａ及び図２４Ｂの例において、ＰＤＬＣピクセル１６０は、基板３００（例えば、透明ガラス、またはプラスチックの薄シート）、電極３１０、液晶（ＬＣ）液滴３２０及びポリマー３３０を含む。電極３１０は、基板３００の表面上に蒸着される、実質的に透明な、例えば、ＩＴＯのような透明物質の薄膜からもなる。ＬＣ液滴３２０は、固体化されたポリマー３３０に懸濁され、ＬＣ液滴３２０及びポリマー３３０の濃度は、ほぼ同一である。特定実施形態において、ＰＤＬＣピクセル１６０は、電極３１０間に、電圧がほとんどまたは全く印加されないとき、実質的に不透明であり（例えば、ピクセル１６０は、白色または黒色に見える）、ＰＤＬＣピクセル１６０は、電圧が電極３１０間に印加されるとき、実質的に透明でもある。図２４Ａにおいて、２つの電極３１０が、電極間に電圧または電場がほとんどまたは全くないように共に結合されれば、入射光線３４０は、光線３４０を散乱または吸収することができるが、ランダムに配向されたＬＣ液滴３２０によって遮断される。そのような「オフ」状態において、ＰＤＬＣピクセル１６０は、実質的に不透明であるか、あるいは非透過性であり、白色（例えば、ほとんどの入射光を散乱させることにより）にも示され、または黒色（例えば、入射光のほとんどを吸収することにより）にも示され、図２４Ｂにおいて、電極３１０間に電圧（例えば、５Ｖ）が印加されれば、結果としての電場は、入射光線３４０が、ＰＤＬＣピクセル１６０を介して透過されるように、ＬＣ液滴３２０を整列させる。そのような「オン」状態において、ＰＤＬＣピクセル１６０は、少なくとも部分的に透明でもある。特定実施形態において、ＰＤＬＣピクセル１６０の透明度量は、印加電圧を調整することによっても制御される（例えば、さらに高い印加電圧は、さらに高透明度に帰結される）。非制限的な例として、ＰＤＬＣピクセル１６０は、２．５Ｖの印加電圧で５０％透明になり（例えば、入射光の５０％を透過させることができ）、ＰＤＬＣピクセル１６０は、５Ｖの印加電圧で、９０％透明でもある。
【００８１】
特定実施形態において、ＰＤＬＣ物質は、低分子量液晶に、その分子量重合体を添加することによっても製造される。該液晶は、液体重合体に溶解されるか、あるいは分散され、凝固工程（例えば、重合または溶媒蒸発）が遂行される。重合体が液体から固体に変わる間、該液晶は、固体重合体と不和合となり、固体ポリマー（例えば、重合体３３０）に分散された液滴（例えば、ＬＣ液滴３２０）を形成することができる。特定実施形態において、ポリマーと液晶との液体混合物は、２層間にも配置され、それぞれの層は、基板３００と電極３１０とを含む。次に、ポリマーが硬化され、それにより、図２４Ａ及び図２４Ｂに図示されているように、サンドイッチ構造のＰＤＬＣ装置が形成される。
【００８２】
該ＰＤＬＣ材料は、液晶ポリマー複合材料（ＬＣＰＣｓ）と呼ばれる材料の一部分とも見なされる。該ＰＤＬＣ物質は、重合体及び液晶のほぼ同一の相対濃度を含んでもよい。ＬＣＰＣの他の類型は、重合体の濃度がＬＣ濃度の１０％未満である重合体安定化液晶（ＰＳＬＣ）である。該ＰＤＬＣ物質と類似し、ＰＳＬＣ物質は、また重合体結合剤にＬＣ液滴を含むが、重合体濃度は、ＬＣ濃度よりはるかに低い。また、ＰＳＬＣ材料において、ＬＣは、液滴として分散されるよりは、重合体全体にかけて連続的に分布する。該ＬＣに重合体を添加し、相分離されたＰＳＬＣ混合物を形成すれば、ＬＣの異なる配向ドメインが生成され、光が、該ドメインからも散乱され、ここで、該ドメインの大きさは、散乱強度を決定することができる。特定実施形態において、ピクセル１６０は、ＰＳＬＣ物質を含み、印加された電界がない「オフ」状態において、ＰＳＬＣピクセル１６０は、実質的に透明に見える。この状態において、重合体近くの液晶は、安定化された形態で、重合体ネットワークと整列される傾向がある。高分子安定化された均一に整列されたネマチック液晶は、重合体及びＬＣの均質した配向により、光が散乱されずに通過される。電場が印加された「オン」状態において、ＰＳＬＣピクセル１６０は、実質的に不透明に見える。この状態において、電場は、垂直電界と整列されるように、液晶分子に力を加える。しかし、該重合体ネットワークは、ＬＣ分子を水平の均質した方向に維持しようとする。その結果、ドメイン内のＬＣは、均一に配向されるが、ドメインがランダムに配向される多重ドメイン構造が形成される。この状態において、入射光は、ドメインの異なる屈折率に出合い、光は、散乱される。本開示は、特定構造を有する特定ピクセルを形成するように構成された特定重合体安定化された液晶物質を記述して例示するが、任意の適する構造を有する任意の適するピクセルを形成するように構成された任意の適する重合体安定化された液晶物質を考慮する。
【００８３】
１以上の実施形態において、図２４Ａ及び図２４ＢのＬＣ液滴は、染色されない。従って、該ピクセルは、不透明な状態に制御されるとき、白色に示される。例えば、ＬＣ液滴は、光を散乱させる。１以上の実施形態において、染料がＬＣ液滴３２０に添加される。該染料は、色を帯びる。該染料は光の吸収に一助となり、また吸収されない光を散乱させる。該染料の例示的な色相は、黒色、白色、銀色（例えば、ＴｉＯ２）、赤色、緑色、青色、青緑色、紫紅色及び黄色を含むが、それらに制限されるものではない。ＬＣ液滴３２０に染料を添加した状態で、不透明な状態に制御されるピクセルは、使用された染料の色に見える。
【００８４】
１以上の実施形態において、ＰＤＬＣディスプレイは、染料を含まない１以上のピクセルを含んでもよい。１以上の実施形態において、ＰＤＬＣディスプレイは、それぞれのピクセルが染料を含む１以上のピクセルを含んでもよい。１以上の実施形態において、ＰＤＬＣディスプレイは、ただ一部のピクセル、例えば、ディスプレイのピクセルサブセットが染料を含む複数のピクセルを含んでもよい。また、特定実施形態において、異なる染料が異なるピクセルに対しても使用される。例えば、該ＰＤＬＣディスプレイは、第１染料カラーを含む１以上のピクセル、第２染料カラー、及び他の染料カラーを含む１以上のピクセルなどを有することができる。該ＰＤＬＣディスプレイは、３個以上の互いに異なるように染色されたピクセルを含んでもよい。例えば、該ＰＤＬＣディスプレイは、黒色に染色された１以上のピクセル、白色に染色された１以上のピクセル、銀色に染色された１以上のピクセル、赤色に染色された１以上のピクセル、緑色に染色された１以上のピクセル、青色に染色された１以上のピクセル、青緑色に染色された１以上のピクセル、紫紅色に染色された１以上のピクセル、黄色に染色された１以上のピクセル、またはそれらの任意の組み合わせを含んでもよい。
【００８５】
図２５は、例示的な電気変色ピクセル１６０の側面図を図示する。特定実施形態において、電気変色ディスプレイは、ディスプレイスクリーンを形成するように配列された電気変色ピクセル１６０を含み、ここで、それぞれの電気変色ピクセル１６０は、個別的にアドレッシング（例えば、アクティブマトリックス方式またはパッシブマトリックス方式を使用して）される。図２５の例において、電気変色ピクセル１６０は、基板３００（例えば、透明ガラス、またはプラスチックの薄シート）、電極３１０、イオン保存層３５０、イオン伝導性電解質３６０及び電気変色層３７０を含む。電極３１０は、実質的に透明であり、基板３００表面に蒸着された薄膜ＩＴＯからもなる。電気変色層３７０は、電気変色性を示す物質（例えば、酸化タングステン、酸化ニッケル物質またはポリアニリン）を含み、ここで、電気変色性、は電気電荷のバーストが材料に加えられたときに起こるカラーの可逆的変化を指す。特定実施形態において、印加された電荷または電圧に応答し、電気変色ピクセル１６０は、実質的に透明な状態（例えば、入射光３４０が電気変色ピクセル１６０を介して伝播される）と、不透明な、着色されたり半透明（translucent）であったりする状態（例えば、入射光３４０が電気変色ピクセル１６０により、部分的に吸収されるか、フィルタされるか、あるいは散乱される）との間で変わる。特定実施形態において、不透明、着色または半透明の状態において、電気変色ピクセル１６０は、青色、銀色、黒色、白色、または任意の他の適するカラーでも示される。電気変色ピクセル１６０は、電荷または電圧のバーストが電極３１０に印加されるとき（例えば、図２５のスイッチが瞬間的にオンになり、電極３１０間に瞬間電圧を印加するとき）、１つの状態から他の状態に変わる。特定実施形態において、電気変色ピクセル１６０の状態が、電荷のバーストによっていったん変更されれば、電気変色ピクセル１６０は、その状態を維持するために、いかなる電力も要求せず、従って、電気変色ピクセル１６０は、状態間で変化されるときだけ電力を要求する。一例として、制限的ではないが、電気変色ディスプレイの電気変色ピクセル１６０が、いったんディスプレイが所定の特定情報（例えば、イメージまたはテキスト）を示すように構成されれば（例えば、透明であるか、あるいは白色に）、ディスプレイされた情報は、いかなる電力や、ピクセルのリフレッシュも要求せずに静的モードに維持される。
【００８６】
図２６は、例示的な電気分散ピクセル１６０の斜視図を図示する。特定実施形態において、電気分散ディスプレイは、ディスプレイスクリーンを形成するように配列された多数の電気分散ピクセル１６０を含み、それぞれの電気分散ピクセル１６０は、個別的にアドレッシング可能である（例えば、アクティブマトリックス方式またはパッシブマトリックス方式を使用して）。一例として、以下に制限されるものではないが、電気分散ピクセル１６０は、アクティブマトリックスまたはパッシブマトリックスを介して電圧が印加される２以上の電極を含んでもよい。特定実施形態において、電気分散ピクセル１６０は、前面電極４００、アトラクタ電極４１０及びピクセルエンクロージャ４３０を含んでもよい。前面電極４００は、ディスプレイスクリーンのビューイング表面に実質的に平行な方向に向くことができ、該前面電極は、可視光に対して、実質的に透明である。非制限的な例として、前面電極４００は、ピクセルエンクロージャ４３０の前面上または背面上に蒸着されるＩＴＯの薄膜にも製造される。アトラクタ電極４１０は、前面電極４００におよそ直交（例えば、前面電極４００に対しておよそ９０゜の方向に向く）する。特定実施形態において、電気分散ピクセル１６０は、またアトラクタ電極４１０に対向する、エンクロージャ４３０表面に配置された分散器電極４２０を含んでもよい。アトラクタ電極４１０及び分散器電極４２０は、それぞれＩＴＯ薄膜、または他の薄膜伝導性物質（例えば、金、銀、銅、クロム、または伝導性形態の炭素）からもなる。
【００８７】
特定実施形態において、ピクセルエンクロージャ４３０は、少なくとも一部が、前方電極４００の後方または前方に位置することができる。一例として、制限のためのものではないが、エンクロージャ４３０は、エンクロージャの壁によって限定された内部体積を含むいくつかの壁を含み、１以上の電極が、エンクロージャ４３０の壁それぞれの表面に付着されるか、あるいは蒸着される。一例として、制限のためのものではないが、前面電極４００は、エンクロージャ４３０の前方壁または後方壁の内部表面（例えば、ピクセル体積に向く表面）または外部表面に蒸着されたＩＴＯ電極でもある。特定実施形態において、エンクロージャ４３０の前方壁または後方壁は、ピクセル１６０と相互作用するとき、入射光が通過することができるピクセル１６０層を指し、エンクロージャ４３０の前方壁または後方壁は、可視光に対して、実質的に透明でもある。従って、特定実施形態において、ピクセル１６０は、可視光に対して実質的に透明な状態またはモードを有することができ、可視光を放出するか、あるいは生成せず、かつ／または可視光の１以上の周波数（すなわち、色）を変調しない。制限的なものではない他の例として、アトラクタ電極４１０または分散器電極４２０は、それぞれエンクロージャ４３０の側壁の内部表面または外部表面に付着されるか、あるいは蒸着される。
【００８８】
図２７は、図２６の例示的な電気分散ピクセル１６０の平面図を図示する。特定実施形態において、エンクロージャ４３０は、エンクロージャの体積内において移動可能な電気的に制御可能な物質を含み、電気的に制御可能な物質は、可視光線に対して、少なくとも部分的に不透明でもある。非制限的な例として、電気的に制御可能な物質は、反射性でもあるか、あるいは白色、黒色、灰色、青色、または任意の他の適切な色でもある。特定実施形態において、ディスプレイのピクセル１６０は、前方電極４００とアトラクタ電極４１０との間に印加される電圧に反応し、印加された電圧に基づいて、電場を生成するようにも構成され、該電場は、ピクセルエンクロージャ４３０の体積内に、少なくとも部分的に拡張される。特定実施形態において、電気的に制御可能な物質は、印加された電場に応答し、前面電極４００またはアトラクタ電極４１０に向けて移動するようにも構成される。特定実施形態において、電気的に制御可能な物質は、白色、黒色または反射性である、不透明粒子４４０を含み、該粒子は、ピクセル体積内に含有された透明な流体４５０に浮遊する。一例として、制限されるのではないが、電気分散粒子４４０は、二酸化チタン（白色に示される）によっても製造され、約１μｍ径を有することができる。非制限的な他の例として、電気分散粒子４４０は、任意の適する物質によっても製造され、着色、または反射コーティングによってもコーティングされる。粒子４４０は、例えば、０．１μｍ、１μｍまたは１０μｍの直径のような任意の適するサイズを有することができる。粒子４４０は、任意の適する範囲の直径（例えば、１μｍないし２μｍ範囲の直径のような）を有することができる。本開示内容は、特定組成及び特定サイズを有する特定電気分散粒子を記述して例示するが、本開示は、任意の適する組成物及び任意の適するサイズを有する任意の適する電気分散粒子を考慮する。特定実施形態において、電気分散ピクセル１６０の動作は、電気泳動を含み、ここで、粒子４４０は、電気電荷または電気双極子を有し、該粒子は、印加された電場を使用しても移動される。非制限的な例として、粒子４４０は、正電荷を有することができ、負電荷、または電場の負極側に引っ張られる。代案として、粒子４４０は、負電荷を有することができ、電場の正電荷、または電場の正極側に引っ張られる。電気分散ピクセル１６０が透明に構成されるとき、粒子４４０は、入射光（例えば、光線３４０）がピクセル１６０を通過するようにし、アトラクタ電極４１０に向けて移動する。ピクセル１６０が不透明に構成されるとき、粒子４４０は、入射光を散乱または吸収し、前方電極４００に向けて移動することができる。
【００８９】
１以上の実施形態において、図２７の粒子４４０は、染色されない。従って、ピクセルは、不透明な状態に制御されるとき、白色に示される。例えば、粒子４４０は、光を散乱させる。１以上の実施形態において、染料が粒子４４０に添加される。該染料は、色を帯びる。該染料は、光を吸収するのに一助になり、また吸収されない光を散乱させる。染料の例示的な色相は、黒色、白色、銀色（例えば、ＴｉＯ２）、赤色、緑色、青色、青緑色、紫紅色及び黄色を含むが、それに制限されるものではない。粒子４４０に染料を添加し、不透明な状態に制御されるピクセルにより、該ピクセルは、使用される染料の色に見える。
【００９０】
１以上の実施形態において、電気分散ディスプレイは、染料を含まない１以上のピクセルを含んでもよい。１以上の実施形態において、該電気分散ディスプレイは、各ピクセルが染料を含む１以上のピクセルを含んでもよい。１以上の実施形態において、該電気分散ディスプレイは、複数のピクセルを含んでもよいが、ここで、一部だけ、例えば、ディスプレイのピクセルのサブセットは、染料を含む。また、特定実施形態において、異なる染料が異なるピクセルに対しても使用される。例えば、該電気分散ディスプレイは、第１染料カラーを含む１以上のピクセル、第２の、そして異なる染料カラーを含む１以上のピクセルなどを含んでもよい。該電気分散ディスプレイは、２より多い、互いに異なる染色されたピクセルを含んでもよい。例えば、該電気分散ディスプレイは、黒色に染色された１以上の画素、白色に染色された１以上の画素、銀色に染色された１以上の画素、赤色に染色された１以上の画素、緑色に染色された１以上の画素、青色に染色された１以上の画素、青緑色に染色された１以上の画素、紫紅色に染色された１以上の画素、黄色に染色された１以上の画素、またはそれらの任意の組み合わされた１以上の画素を含んでもよい。
【００９１】
図２８Ａないし図２８Ｃは、それぞれ例示的な電気分散ピクセル１６０の平面図を図示する。特定実施形態において、ピクセル１６０は、（図２８Ａに図示されているような）透明モード、（図２８Ｂに図示されているような）部分透明モード及び（図２８Ｃに図示されているような）不透明モードを含む複数のモードで動作するようにも構成される。図２８Ａないし図２８Ｃの例において、電極は、作動モードによって「引力」、「斥力」及び「部分引力」と表示される。特定実施形態において、「引力」は、粒子４４０を引っ張るように構成された電極を指す一方、「斥力（repulse）」は、粒子４４０を反発させるように構成された電極を指し、その反対も同様である。電極に印加された相対電圧は、粒子４４０が正または負の電荷を有するということによる。一例として、以下に制限されるものではないが、粒子４４０が正電荷を有する場合、「引力」電極は、接地に結合される一方、「斥力」電極には、正電圧（例えば、＋５Ｖ）が印加される。その場合、正に帯電された粒子４４０は、接地電極に引っ張られ、正電極によって反発されるのである。
【００９２】
透明な動作モードにおいて、電気的に制御可能な物質４４０の相当な部分（例えば、８０％、９０％、９５％、または任意の適切な比率）は、アトラクタ電極４１０近くに引っ張られ、それにより、ピクセル１６０は、入射する可視光に対して、実質的に透明である。例えば、以下に制限されるものではないが、粒子４４０が負電荷を有する場合、アトラクタ電極４１０は、印加された正電圧（例えば、＋５Ｖ）を有することができる一方、前面電極４００は、接地電位（例えば、０Ｖ）に結合される。図２８Ａに図示されているように、粒子４４０は、アトラクタ電極４１０周囲に凝集し、入射光の小さい部分だけがピクセル１６０を介して伝播されない。透明モードにおいて、電気的に制御可能な物質４４０は、ほとんどまたは全く、前面電極４００近くに位置せず、（例えば、２０％未満、１０％未満または２０％未満）ピクセル１６０は、ピクセル１６０の前面または背面で入射する可視光の７０％、８０％、９０％、９５％、または他の適切なパーセント以上を透過させることができる。
【００９３】
部分的に透明な動作モードにおいて、電気的に制御可能な物質４４０の第１部分は、前面電極４００近くに位置することができ、電気的に制御可能な物質の第２部分４４０は、アトラクタ電極４１０近くに位置することができる。特定実施形態において、電気的に制御可能な物質４４０の第１部分及び第２部分は、それぞれ１０％と９０％との間の電気的に制御可能な物質を含んでもよい。図２８Ｂに図示された部分透明モードにおいて、前面電極４００及びアトラクタ電極４１０は、それぞれ粒子４４０に部分的に引っ張られるようにも構成される。特定実施形態において、部分的に透明なモードで動作するとき、第１部分または第２部分の量は、前面電極４００とアトラクタ電極４１０との間に印加される電圧に大体比例することができる。例えば、以下に限定されるものではないが、粒子４４０が負電荷を有し、前面電極４００が接地に結合される場合、アトラクタ電極４１０近くに位置する粒子４４０の量は、アトラクタ電極４１０に印加された電圧に大体比例する。さらには、前面電極４００近くに位置する粒子４４０の量は、アトラクタ電極４１０に印加される電圧に反比例する。特定実施形態において、部分的に透明なモードで動作するとき、電気分散ピクセル１６０は、部分的に不透明でもあり、ここで、電気分散ピクセル１６０は、可視光に対して部分的に透明であり、可視光を部分的に反射させたり散乱させたり吸収したりする。部分的には、可視光に対して透明であり、可視光線を部分的に反射させたり散乱させたり吸収したりする。部分的に透明なモードにおいて、ピクセル１６０は、入射する可視光に対して部分的に透明であり、該透明度は、電気的に制御可能な物質４４０がアトラクタ電極４１０近くに位置した部分に大体比例することができる。
【００９４】
不透明な動作モードにおいて、電気的に制御可能な物質４４０の相当な部分（例えば、８０％、９０％、９５％、または任意の適切な比率）が前面電極４００近くに位置することができる。一例として、以下に制限されるものではないが、粒子４４０が負電荷を有するならば、前面電極４００に正電圧（例えば、＋５Ｖ）が印加され、一方、アトラクタ電極４１０は、接地電位にも連結される。特定実施形態において、不透明モードで動作するとき、ピクセル１６０は、実質的に不透明でもあり、ここで、ピクセル１６０は、実質的に全ての入射する可視光を反射させたり散乱させたり吸収したりする。図２８Ｃに図示されているように、特定実施形態において、粒子４４０は、電極上に不透明層を形成し、光がピクセル１６０を通過することができないようにし、前面電極４００に引っ張られる。特定実施形態において、粒子４４０は、白色であったり、反射されたりし、不透明なモードにおいて、ピクセル１６０は、白色に見える。他の特定実施形態において、粒子４４０は、黒色であるか、あるいは吸収性でもあり、不透明なモードにおいては、ピクセルが黒色に見える。
【００９５】
特定実施形態において、電気的に制御可能な物質４４０は、光の１以上のスペクトル成分を吸収し、光の１以上の他のスペクトル成分を透過させるようにも構成される。非制限的な例として、電気的に制御可能な物質４４０は、赤色光を吸収し、緑色光及び青色光を透過させるようにも構成される。３個以上のピクセルが共に結合され、カラーをディスプレイするように構成されたカラーピクセルを形成することができ、複数のカラーピクセルが結合され、カラーディスプレイを形成することができる。特定実施形態において、カラー電気分散ディスプレイは、異なるカラーを有する粒子４４０を使用することによって作られる。非制限的な例として、粒子４４０は、特定色（例えば、赤色、緑色または青色）に対して、選択的に透明であるか、あるいは反射性でもあり、３個以上の着色された電気分散ピクセル１６０の組み合わせが、カラーピクセル形成にも使用される。
【００９６】
特定実施形態において、アトラクタ電極４１０から前面電極４００に粒子４４０を動かすとき、アトラクタ電極４１０に対向して配置された分散器電極４２０は、前面電極４００に粒子４４０を引き寄せる電圧が印加される前、アトラクタ電極４１０から粒子４４０を分散させるのにも使用される。一例として、以下に限定されるものではないが、前面電極４００に、粒子４４０を引き寄せる電圧を印加する前、電圧をまず分散器電極４２０に印加し、粒子４４０をアトラクタ電極４１０からピクセル体積に引き寄せることができる。そのような作用は、前面電極４４０が粒子４４０を引き寄せるように構成されるとき、粒子４４０が、前面電極４００にかけ、実質的に均一に分布されるようにする。特定実施形態において、電気分散ピクセル１６０は、電力が除去されるとき、その状態を保存することができ、電気分散ピクセル１６０は、その状態を変更するときだけ（例えば、透明から不透明に）電源を要求することができる。特定実施形態において、該電気分散ディスプレイは、電力が除去された後にも、情報を続けてディスプレイすることができる。該電気分散ディスプレイは、表示された情報をアップデートするときにのみ、電力を消費することができ、該電気分散ディスプレイは、表示された情報に対するアップデートが実行されないとき、電力を非常に低く消費するか、あるいはまたは消費しない。
【００９７】
図２９は、例示的な電気湿潤ピクセル１６０の斜視図を図示する。特定実施形態において、電気湿潤ディスプレイは、ディスプレイスクリーンを形成するように配列された多数の電気湿潤ピクセル１６０を含み、ここで、各電気湿潤ピクセル１６０は、個別的にアドレッシング可能である（例えば、アクティブマトリックス方式または受動マトリックス方式）。特定実施形態において、電気湿潤ピクセルは、前面電極４００、アトラクタ電極４１０、液体電極４２０、ピクセルエンクロージャ４３０または疎水性コーティング４６０を含んでもよい。前面電極４００は、ディスプレイスクリーンのビューイング表面に実質的に平行な方向に向くことができ、前面電極４００は、可視光線に対して、実質的に透明でもある。前面電極４００は、エンクロージャ４３０の前方壁または後方壁の内部表面上または外部表面上に蒸着されたＩＴＯ電極でもある。アトラクタ電極４１０及び液体電極４２０（アトラクタ電極４１０に対向して位置する）は、それぞれ前面電極４００と角度をなす方向に向くことができる。限定的ではない例として、アトラクタ電極４１０及び液体電極４２０は、それぞれ前面電極４００に実質的に直交する。アトラクタ電極４１０または液体電極４２０は、それぞれエンクロージャ４３０の側壁の内部表面または外部表面に付着されるか、あるいは蒸着される。アトラクタ電極４１０及び液体電極４２０は、それぞれＩＴＯの薄膜、または他の伝導性物質（例えば、金、銀、銅、クロム、または伝導性形態の炭素）の薄膜からもなる。
【００９８】
図３０は、図２９の例示的な電気湿潤画素１６０の平面図を図示する。特定実施形態において、電気的に制御可能な物質４４０は、着色されるか、あるいは不透明な電気湿潤流体４４０を含んでもよい。一例として、制限的なものではないが、電気湿潤流体４４０は、黒色に見え（例えば、実質的に光を吸収することができる）、または一部色成分を吸収または透過させることができる（例えば、赤色光を吸収し、青色光及び緑色光を透過させる）。電気湿潤流体４４０は、透明流体４７０と共に、ピクセル体積内にも含まれ、電気湿潤流体４４０及び透明流体４７０は、混じらない。特定実施形態において、電気湿潤流体４４０は、オイルを含み、透明な流体４７０は、水を含んでもよい。特定実施形態において、電気湿潤は、印加された電場による表面の湿潤特性の変形を指し、電気湿潤流体４４０は、印加された電場に応答し、表面に移動したり、引っ張られたりする流体を指す。一例として、制限的なものではないが、電気湿潤流体４４０は、正電圧が印加された電極側に移動することができる。ピクセル１６０が透明に構成されるとき、入射光（例えば、光線３４０）がピクセル１６０を通過するように、電気湿潤流体４４０は、アトラクタ電極４１０に隣接する方向に動くことができる。ピクセル１６０が不透明に構成されるとき、電気湿潤流体４４０は、前面電極４００に隣接する方向に動くことができ、それにより、入射光が電気湿潤流体４４０によって散乱または吸収される。
【００９９】
特定実施形態において、電気湿潤ピクセル１６０は、ピクセルエンクロージャ４３０の１以上の表面上に配置された疎水性コーティング４６０を含んでもよい。疎水性コーティング４６０は、電気湿潤流体４４０と、前方電極及びアトラクタ電極との間に位置することができる。一例として、以下に限定されるものではないが、疎水性コーティング４６０は、前面電極４００とアトラクタ電極４１０とに隣接した、ピクセルエンクロージャ４３０の１以上の壁内部面に付けられるか、あるいは蒸着される。特定実施形態において、疎水性コーティング４６０は、電気湿潤流体４４０が容易な湿潤な物質を含み、それにより、電極表面上に、実質的に均一な層（ビード（bead）より）を形成する電気湿潤流体に帰結する。
【０１００】
図３１Ａないし図３１Ｃは、それぞれ例示的な電気湿潤ピクセル１６０の正面図を図示する。特定実施形態において、電気湿潤ピクセル１６０は、透明モード（図３１Ａに図示されているように）、部分的に透明なモード（図３１Ｂに図示されているように）、及び不透明モード（図３１Ｃに図示されているように）を含む複数のモードで動作するようにも構成される。図３１Ａないし図３１Ｃの電極は、電極の相対的な電荷及び極性を示す正負の電荷記号によって表示されている。図３１Ａに図示された透明な動作モードにおいて、前面電極４００は、オフ（例えば、電荷または印加電圧がない）であり、アトラクタ電極４１０は、正の電荷または電圧を有し、アトラクタ電極４１０に対して、液体電極４２０は、負の電荷または電圧を有する。非制限的な例として、＋５Ｖ電圧がアトラクタ電極４１０に印加され、液体電極４２０は、接地に結合される。透明な動作モードにおいて、電気湿潤流体４４０の相当な部分（例えば、８０％、９０％、９５％、または任意の適切な比率）がアトラクタ電極４１０近くの位置に引っ張られ、それにより、ピクセル１６０は、入射する入射可視光線に対して透明になる。
【０１０１】
図３１Ｂに図示された部分的に透明な動作モードにおいて、電気湿潤流体４４０の第１部分は、前方電極４００近くに位置し、電気湿潤流体４４０の第２部分は、アトラクタ電極４１０近くに位置する。前面電極４００とアトラクタ電極４１０は、それぞれ電気湿潤流体４４０を引き寄せるように構成され、各電極上の電気湿潤流体４４０の量は、電極に印加された相対電荷または電圧に依存する。部分的に透明なモードで動作するとき、電気湿潤ピクセル１６０は、部分的に不透明でもあり、部分的に透明でもある。図３１Ｃに図示された不透明な動作モードにおいて、電気湿潤流体４４０の相当な部分（例えば、８０％、９０％、９５％、または任意の適切な比率以上）は、前面電極４００近くに位置する。前面電極４００は、正電荷を有し、アトラクタ電極４１０は、オフになり、それにより、電気湿潤流体が、前面電極４００に隣接したピクセルエンクロージャ４３０表面側に移動する。特定実施形態において、不透明モードにおいて、電気湿潤ピクセル１６０は、実質的に不透明であり、実質的に全ての入射する可視光を反射させたり散乱させたり吸収したりすることができる。一例として、制限するものではないが、電気湿潤流体４４０は、黒色または吸収性でもあり、ピクセル１６０は、黒色に見える。
【０１０２】
１以上の実施形態において、図２９ないし図３１の電気湿潤流体４４０は、染色されない。従って、ピクセルは、不透明状態に制御されるとき、白色に示される。例えば、電気湿潤流体４４０は、光を散乱させる。１以上の実施形態において、電気湿潤流体４４０に染料が添加される。該染料は、色を帯びる。該染料は、光吸収に一助となり、また吸収されない光を散乱させる。該染料の例示的な色相は、黒色、白色、銀色（例えば、ＴｉＯ２）、赤色、緑色、青色、青緑色、紫紅色及び黄色を含むが、それらに制限されるものではない。電気湿潤流体４４０に染料を添加し、ピクセルが不透明な状態に制御されれば、ピクセルは、使用された染料の色に見える。
【０１０３】
１以上の実施形態において、電気湿潤ディスプレイは、染料を含まない１以上のピクセルを含んでもよい。１以上の実施形態において、該電気湿潤ディスプレイは、各ピクセルが染料を含む１以上のピクセルを含んでもよい。１以上の実施形態において、電気湿潤ディスプレイは、ただ一部、例えば、ディスプレイのピクセルのサブセットが染料を含む複数のピクセルを含んでもよい。また、特定実施形態において、異なる染料が異なるピクセルについても使用される。例えば、該電気湿潤ディスプレイは、第１染料カラー、第２染料カラー、及び他の染料カラーを含む１以上のピクセルなどを含む１以上のピクセルを有することができる。該電気湿潤ディスプレイは、２より多い、互いに異なる染色されたピクセルを含んでもよい。例えば、該電気湿潤ディスプレイは、黒色に染色された１以上のピクセル、白に染色された１以上のピクセル、銀色に染色された１以上のピクセル、赤色に染色された１以上のピクセル、緑色に染色された１以上のピクセル、青色に染色された１以上のピクセル、青緑色に染色された１以上のピクセル、紫紅色に染色された１以上のピクセル、黄色に染色された１以上のピクセル、またはそれらの任意の組み合わせを含んでもよい。
【０１０４】
特定実施形態において、ＰＤＬＣディスプレイは、電気変色ディスプレイでもあり、またはＳｍＡディスプレイは、１以上のガラス基板またはプラスチック基板を使用しても製造される。一例として、制限的なものではないが、該ＰＤＬＣ電気変色ディスプレイまたは該ＳｍＡディスプレイは、ＰＤＬＣ，電気変色またはＳｍＡ物質それぞれを、２枚のガラスまたはプラスチックシート間に配置するサンドイッチ形状に製造することができる。特定実施形態において、該ＰＤＬＣ電気変色ディスプレイまたは該ＳｍＡディスプレイは、ロール・ツー・ロール（roll-to-roll）処理技術を使用し、プラスチック基板上にも製造される。特定実施形態において、ディスプレイ製造プロセスは、受動マトリックスまたは能動マトリックスを含むように、基板をパターニングする段階を含んでもよい。一例として、制限されるのではないが、該基板は、ディスプレイの１つのエッジから他のエッジに延長される伝導性領域またはラインを含む受動マトリックスにもパターニングされる。非制限的な他の例として、該基板は、パターニングされてコーティングされ、能動マトリックス用トランジスタセットを生成することができる。第１基板は、２個のトレースを共に結合するように構成されたトランジスタセット（例えば、ホールドトレース及びスキャントレース）を含み、第１基板からディスプレイの向こう方上に位置した第２基板は、伝導性ラインのセットを含んでもよい。
【０１０５】
特定実施形態において、伝導性ラインまたはトレースは、基板の端部まで延長されることができるし（例えば、圧力−フィットまたはゼブラ−ストライプコネクターパッドを介して）１以上の制御ボードに結合されることができる。特定実施形態において、電気分散ディスプレイまたは電気湿潤ディスプレイは、ピクセル電極に対する接続を形成する伝導性ラインで下部基板をパターニングすることで製造されることができる。特定実施形態において、プラスチックグリッドは超音波、化学的または熱的な付着技術（例えば、超音波、化学的、熱的または点溶接）を使用して下部基板に付着することができる。特定実施形態において、プラスチックグリッドまたは下部基板は、伝導性材料（例えば、金属またはＩＴＯ）にパターニングされて電極を形成することができる。特定実施形態でセルは、作動流体に充電されることができる（例えば、浸漬、インクジェット蒸着、またはスクリーンまたは輪転グラビア転移を使用してセルが充電されることができる）。非制限的な例として、電気分散ディスプレイに対して、作動流体は、透明な液体（例えば、水）に浮遊した不透明な荷電粒子を含んでもよい。非制限的な他の例として、電気湿潤ディスプレイの場合、作動流体は、オイルと水との組み合わせを含んでもよい。特定実施形態において、上部基板は、プラスチックグリッドに付着され、該上部基板は、セルを密封することができる。特定実施形態において、該上部基板は、透明電極を含んでもよい。本明細書は、特定ディスプレイを製造するための特定技術を記述するが、本開示は、任意の適するディスプレイを製造するための任意の適する技術を考慮する。
【０１０６】
図３２は、例示的なコンピュータシステム３２００を図示する。特定実施形態において、１以上のコンピュータシステム３２００は、ここで説明されるか、あるいは図示された１以上の方法の１以上の段階を遂行する。特定実施形態において、１以上のコンピュータシステム３２００は、ここで説明されるか、あるいは図示された機能を提供する。特定実施形態において、１以上のコンピュータシステム３２００上で実行されるソフトウェアは、ここで説明されるか、あるいは図示された１以上の方法の１以上の段階を遂行するか、あるいはここに記述されるか、あるいは図示された機能を提供する。特定実施形態は、１以上のコンピュータシステム３２００の１以上の部分を含む。ここで、該コンピュータシステムに係わる参照は、コンピュータ装置を含み、適切な場合には、その反対でもある。また、該コンピュータシステムに係わる参照は、適切な場合、１以上のコンピュータシステムを含んでもよい。
【０１０７】
本開示は、任意の適切な個数のコンピュータシステム３２００を考慮する。本開示は、任意の適する物理的形態を取るコンピュータシステム３２００を考慮する。非制限的な例として、コンピュータシステム３２００は、インベデッドコンピュータシステム、システムオンチップ（ＳＯＣ）、単一ボードコンピュータシステム（ＳＢＣ）（例えば、ＣＯＭ（compute-on-module）またはＳＯＭ（system-on-module））、デスクトップコンピュータシステム、ラップトップコンピュータシステムまたはノート型パソコンシステム、対話形キオスク、メインフレーム、コンピュータシステム網、移動電話機、個人用情報端末機（ＰＤＡ）、サーバ、タブレットコンピュータシステム、あるいはそれらのうち２以上の組み合わせを含んでもよい。適切な場合、コンピュータシステム３２００は、１以上のコンピュータシステム３２００を含み、単一体であっても、分散されていたもよく、多くの位置にも拡張され、何台の機械にも拡張され、多くのデータセンターにも拡張され、あるいは１以上のネットワークに、１以上のクラウド構成要素を含むクラウドに常在することができる。適切な場合、１以上のコンピュータシステム３２００は、本明細書に説明されるか、あるいは図示された１以上の方法の１以上の段階を、実質的に空間的または時間的な制限なしに遂行することができる。非制限的な例として、１以上のコンピュータシステム３２００は、本明細書に説明されるか、あるいは図示された１以上の方法の１以上の段階を、リアルタイムまたはバッチ（batch）モードで遂行することができる。１以上のコンピュータシステム３２００は、異なる時間または異なる位置において、適切な場合、ここで説明されるか、あるいは図示された１以上の方法の１以上の段階を遂行することができる。
【０１０８】
特定実施形態において、コンピュータシステム３２００は、プロセッサ３２０２、メモリ３２０４、保存装置３２０６、入出力（Ｉ／Ｏ）インターフェース３２０８、通信インターフェース３２１０及びバス３２１２を含む。特定配置において、特定個数の特定構成要素を有する任意の適切なコンピュータシステムは、任意の適切な構成の適切な数の任意の適切な構成要素を有する任意の適切なコンピュータシステムを考慮する。
【０１０９】
特定実施形態において、プロセッサ３２０２は、コンピュータプログラムを構成する命令のような命令を実行するためのハードウェアを含む。例えば、以下に制限されるものではないが、命令を実行するために、プロセッサ３２０２は、内部レジスタ、内部キャッシュ、メモリ３２０４または保存装置３２０６から命令を検索（または、フェッチ（ｆｅｔｃｈ））できて、デコードして行うことができ、１以上の結果を内部レジスタ、内部キャッシュ、メモリ３２０４または保存装置３２０６に記録することができる。特定実施形態において、プロセッサ３２０２は、データ、命令またはアドレスに対する１以上の内部キャッシュを含んでもよい。本開示は、適する場合、任意の適切な数の任意の適する内部キャッシュを含むプロセッサ３２０２を考慮する。非制限的な例として、プロセッサ３２０２は、１以上の命令キャッシュ、１以上のデータキャッシュ、及び１以上の変換参照バッファ（ＴＬＢ）を含んでもよい。インストラクションキャッシュの命令は、メモリ３２０４または保存装置３２０６の命令複写本でもあり、インストラクションキャッシュは、プロセッサ３２０２による前記命令の検索速度を速くすることができる。データキャッシュ内のデータは、プロセッサ３２０２で実行される命令のためのメモリ３２０４、または保存装置３２０６のデータ複写本でもある。前記命令は、プロセッサ３２０２で実行される後続命令によるアクセスのため、あるいはメモリ３２０４または保存装置３２０６に記録するために、プロセッサ３２０２で実行された以前命令の結果、または他の適切なデータに作用するためのものである。該データキャッシュは、プロセッサ３２０２による読み取り／書き込み動作の速度を速くすることができる。該ＴＬＢは、プロセッサ３２０２のための仮想アドレス変換の速度を速くすることができる。特定実施形態において、プロセッサ３２０２は、データ、命令またはアドレスに対する１以上の内部レジスタを含んでもよい。本開示は、適する場合、任意の適切な数の任意の適切な内部レジスタを含むプロセッサ３２０２を考慮する。適切な場合、プロセッサ３２０２は、１以上の算術論理ユニット（ＡＬＵ）を含み、マルチコアプロセッサでもある。本開示は、特定プロセッサを記述して説明するが、本開示は、任意の適するプロセッサを考慮する。
【０１１０】
特定実施形態において、メモリ３２０４は、プロセッサ３２０２が実行される命令、またはプロセッサ３２０２が動作するためのデータを保存するためのメインメモリを含む。例えば、以下に制限されるものではないが、コンピュータシステム３２００は、保存装置３２０６から、または他のソースから（例えば、他のコンピュータシステム３２０２から）メモリ３２０４に命令をロードすることができる。プロセッサ３２０２は、次に、前記命令を、メモリ３２０４から、メモリ内部レジスタまたは内部キャッシュにロードすることができる。該命令を実行するために、プロセッサ３２０２は、内部レジスタまたは内部キャッシュから命令を検索し、それらをデコーディングすることができる。該命令の実行の間、またはその実行後、プロセッサ３２０２は、１以上の結果（中間結果または最終結果でもある）を内部レジスタまたは内部キャッシュに記録することができる。次に、プロセッサ３２０２は、前記結果のうち１以上を、メモリ３２０４に記録することができる。特定実施形態において、プロセッサ３２０２は、１以上の内部レジスタ、内部キャッシュまたはメモリ３２０４（保存装置３２０６、または他のところとは反対に）の命令のみを実行し、１以上の内部レジスタ、内部キャッシュまたはメモリ３２０４のデータ（保存装置３２０６、または他のところとは反対に）についてのみ動作することができる。１以上のメモリバス（それぞれアドレスバス及びデータバスを含んでもよい）は、プロセッサ３２０２をメモリ３２０４に連結させることができる。バス３２１２は、後述されるように、１以上のメモリバスを含んでもよい。特定実施形態において、１以上のメモリ管理ユニット（ＭＭＵ）は、プロセッサ３２０２とメモリ３２０４との間に常在し、プロセッサ３２０２によって要請されたメモリ３２０４へのアクセスを容易にする。特定実施形態において、メモリ３２０４は、ランダムアクセスメモリ（ＲＡＭ）を含んでもよい。該ＲＡＭは、適切な場合、揮発性メモリでもあり、適切な場合、動的ＲＡＭ（ＤＲＡＭ）または静的ＲＡＭ（ＳＲＡＭ）でもある。また、適切な場合、該ＲＡＭは、単一ポートまたは多重ポートのＲＡＭでもある。本開示は、任意の適するＲＡＭを考慮する。メモリ３２０４は、適切な場合、１以上のメモリ３２０４を含んでもよい。本開示が特定メモリを記述して説明するが、本開示は、任意の適するメモリを考慮する。
【０１１１】
特定実施形態において、保存装置３２０６は、データまたは命令のための大容量保存装置を含む。保存装置３２０６は、ハードディスクドライブ（ＨＤＤ）、フロッピィディスクドライブ、フラッシュメモリ、光ディスク、磁気・光ディスク、磁気テープあるいはＵＳＢ（universal serial bus）ドライブ、あるいはそれらのうち２以上の組み合わせを含む。保存装置３２０６は、適切な場合、除去可能または非分離型（または、固定式）の媒体を含んでもよい。保存装置３２０６は、適切な場合、コンピュータシステム３２００の内部または外部にもある。特定実施形態において、保存装置３２０６は、不揮発性固体メモリである。特定実施形態において、保存装置３２０６は、読み取り専用メモリ（ＲＯＭ）を含む。場合により、該ＲＯＭは、マスクプログラミングされたＲＯＭ、プログラム可能なＲＯＭ（ＰＲＯＭ）、消去可能なＰＲＯＭ（ＥＰＲＯＭ）、電気的に消去可能なＰＲＯＭ（ＥＥＰＲＯＭ）、電気的に変更可能なＲＯＭ（ＥＡＲＯＭ）、フラッシュメモリ、あるいはそれらのうち２以上の組み合わせでもある。本開示は、任意の適する物理的形態を取る大容量保存装置３２０６を考慮する。保存装置３２０６は、適切であるならば、プロセッサ３２０２と保存装置３２０６との通信を容易にする１以上の保存制御部を含んでもよい。適切な場合、保存装置３２０６は、１以上の保存装置３２０６を含んでもよい。本開示が特定保存装置を記述して説明するが、本開示は、任意の適する保存装置を考慮する。
【０１１２】
特定実施形態において、Ｉ／Ｏインターフェース３２０８は、コンピュータシステム３２００と、１以上のＩ／Ｏ装置との通信のための１以上のインターフェースを提供するハードウェア、ソフトウェア、あるいはそれらいずれをも含む。コンピュータシステム３２００は、適切な場合、それらＩ／Ｏ装置のうち１以上を含んでもよい。そのようなＩ／Ｏ装置のうち１以上は、個人とコンピュータシステム３２００との通信を可能にする。一例として、以下に制限されるものではないが、該Ｉ／Ｏ装置は、キーボード、キーパッド、マイクロフォン、モニタ、マウス、プリンタ、スタイラス、タブレット、タッチスクリーン、トラックボール、ビデオカメラ、他の適するＩ／Ｏ装置、あるいはそれらのうち２以上の組み合わせを含む任意類型の装置でもある。該Ｉ／Ｏ装置は、１以上のセンサを含んでもよい。本開示は、任意の適するＩ／Ｏ装置、及びそれらに係わる任意の適切なＩ／Ｏインターフェース３２０８を考慮する。適切な場合、Ｉ／Ｏインターフェース３２０８は、プロセッサ３２０２が、それらＩ／Ｏ装置のうち１以上を駆動させる１以上の装置またはソフトウェアドライバを含んでもよい。Ｉ／Ｏインターフェース３２０８は、適切な場合、１以上のＩ／Ｏインターフェース３２０８を含んでもよい。本開示が特定Ｉ／Ｏインターフェースを記述して説明するが、本開示は、任意の適するＩ／Ｏインターフェースを考慮する。
【０１１３】
特定実施形態において、通信インターフェース３２１０は、コンピュータシステム３２００と、１以上の他のコンピュータシステム３２００、または他の１以上のネットワークとの通信（例えば、パケット基盤通信のような）のための１以上のインターフェースを提供するハードウェア、ソフトウェア、あるいはそれらいずれをも含む。一例として、以下に制限されるものではないが、通信インターフェース３２１０は、イーサネット（Ethernet（登録商標））、または他の有線基盤ネットワーク、無線ＮＩＣ（ＷＮＩＣ）、またはＷｉ−Ｆｉ（wireless fidelity）ネットワークのような無線ネットワークと通信するための無線アダプダと通信するためのネットワークインターフェースコントローラ（ＮＩＣ）またはネットワークアダプダを含んでもよい。本開示は、任意の適するネットワーク、及びそれに係わる任意の適する通信インターフェース３２１０を考慮する。非制限的な例として、コンピュータシステム３２００は、アドホック（adhoc）ネットワーク、個人領域ネットワーク（ＰＡＮ）、近距離通信網（ＬＡＮ）、広域通信網（ＷＡＮ）、大都市通信網ＭＡＮ）、ＢＡＮ（body area network）、インターネットの１以上の部分、あるいはそれらのうち２以上の組み合わせと通信することができる。それらネットワークのうち１以上の部分は、有線または無線でもある。一例として、コンピュータシステム３２００は、無線ＰＡＮ（ＷＰＡＮ）（例えば、ブルートゥース（登録商標）ＷＰＡＮ）、ＷＩ−ＦＩネットワーク、ＷＩ−ＭＡＸネットワーク、セルラ電話ネットワーク（例えば、ＧＳＭ（global system for mobile communications（登録商標））ネットワーク）、他の適する無線ネットワーク、あるいはそれらのうち２以上の組み合わせと通信することができる。コンピュータシステム３２００は、適切な場合、それらネットワークのうち任意のものに対する任意の適する通信インターフェース３２１０を含んでもよい。通信インターフェース３２１０は、適切な場合、１以上の通信インターフェース３２１０を含んでもよい。本開示は、特定通信インターフェースを記述して説明するが、本開示は、任意の適する通信インターフェースを考慮する。
【０１１４】
特定実施形態において、バス３２１２は、ハードウェア、ソフトウェア、あるいはコンピュータシステム３２００の互いに連結されたコンポーネントを互いに含む。例えば、以下に制限されるものではないが、バス３２１２は、ＡＧＰ（Accelerated Graphics Port）、または他のグラフィックバス、ＥＩＳＡ（Enhanced Industry Standard Architecture）バス、ＦＳＢ（front side bus）、ＨＴ（HYPERSENTRANSPORT）インターコネクト、ＩＳＡ（Industry Standard Architecture）バス、INFINIBAND interconnect、ＬＰＣ（low-pin-counｔ）バス、メモリバス、ＭＣＡ（Micro ChannelAarchitecture）バス、ＰＣＩ（Peripheral Component Interconnect）バス、ＰＣＩ-Express (ＰＣＩｅ）バス、ＳＡＴＡ（serial advanced technology attachment）バス、ＶＬＢ（Video Electronics Standards Association）ローカルバス、あるいはそれらのうち２以上の他のバス、またはそれらの組み合わせを含んでもよい。バス３２１２は、適切な場合、１以上のバス３２１２を含んでもよい。本開示は、特定バスについて説明して図示するが、本開示は、任意の適するバスまたは相互接続を考慮する。
【０１１５】
図３３及び図３４のそれぞれは、例示的なディスプレイの例示的な断面図を図示する。図１に図示された特定実施形態において、図３３に図示された例において、ディスプレイは、第１ガラス層、第１ ＩＴＯ層、第１誘電体層、ＬＣ物質（例えば、ＬＣ ＳｍＡ）、第２誘電体層、第２ ＩＴＯ層及び第２ガラス層を含む。図３４に図示された特定実施形態において、ディスプレイは、第１ガラス層、第１ ＩＴＯ層、ＬＣ物質（例えば、ＬＣ ＳｍＡ）、第２ ＩＴＯ層及び第２ガラス層を含む。図３４のディスプレイは、誘電体層を含まない。
【０１１６】
図３５Ａないし図３５Ｄは、それぞれ例示的な液晶を図示する。特に、図３５は、ネマチック、ＳｍＡ、ＳｍＣ及びコレステリックＬＣの整列を図示する。作動時、該整列は、電場の印加によっても調節される。図３５Ａは、ネマチック液晶相（nematic liquid crystal phase）にある分子を示す。該ネマチック液晶相において、分子は、位置的な順序は、ないが、同一方向を示す傾向があり、該方向を「ディレクタ（director）」と言う。図３５Ｂは、液晶のＳｍＡ中間相（mesophase）を図示する。図３２Ｂにおいて、該ディレクタは、スメクチック平面に垂直であり、特定位置順序は、ない。該ＳｍＡ中間相は、双安定性を有する。該ＳｍＡ中間相の液晶層は、透明に見える。該ＳｍＢ中間相は、スメクチック平面に垂直である方向に向いているが、分子は、層内の六角形ネットワークに整列されている。図３５Ｃは、分子が、該ＳｍＡ中間相と共に整列されるＳｍＣ中間相を例示するが、該ディレクタは、スメクチック平面の法線に対して、一定傾斜角度を有する。図３５Ｄは、コレステリック（または、キラルネマチック）液晶相を示す。該コレステリック液晶相は、典型的に互いに小さい角度で分子間整列の一助となる分子間力を生成するキラル中心を含むネマチックメゾゲニック（nematic mesogenic）分子によって構成される。該コレステリック液晶の形成は、各層のディレクタが、上下で互いにねじれた、非常に薄い２Ｄネマチック型層の積層体としても視覚化される構造に相応する。該構造において、該ディレクタは、連続螺旋形パターンを形成する。
【０１１７】
図３６Ａ及び図３６Ｂは、それぞれ散乱状態及び透明状態のＳｍＡ液晶の例を図示する。図３６Ａ及び図３６Ｂは、液晶のＳｍＡ中間相の双安定特性を図示する。液晶分子のＳｍＡ中間相において、分子は、二重層配列に自己組み立てされる。該ＳｍＡ中間相において、液晶分子は、層を横切る方向より、層に沿う方向にさらに大きいイオン伝導度を有する。層に沿う方向にさらに大きい該イオン伝導度は、低周波電場が印加されるとき、イオン電気流体力学効果を生じさせる。図３６Ａは、光を散乱させて不透明に見せるカオス配向を有する液晶分子のＳｍＡ中間相を図示する。例えば、図３６Ａに係わって説明されたように具現された層は、白色に見える。液晶分子に印加される電場の周波数が上昇すれば、イオン運動が抑制され、誘電体再配置（reorientation）を介して、液晶分子がフィールドと整列され、透明な状態になる。図３６Ｂは、透明状態を具現するために再配向された液晶分子のＳｍＡ中間相を図示する。該ＳｍＡ中間相の高粘度のために、液晶分子のＳｍＡ中間相は、双安定的である。
【０１１８】
１以上の実施形態において、図３６の液晶分子（液晶）は、染色されない。従って、ピクセルは、不透明な状態に制御されるとき、白色に示される。例えば、該液晶は、光を散乱させる。１以上の実施形態において、染料が該液晶に添加される。該染料は、着色されている。該染料は、光吸収に一助となり、また吸収されていない光を散乱させる。該染料に係わる例示的な色相は、黒色、白色、銀色（例えば、ＴｉＯ２）、赤色、緑色、青色、青緑色、紫紅色及び黄色を含むが、それらに制限されるものではない。該液晶に該染料を添加し、ピクセルが不透明状態に制御されれば、該ピクセルは、使用された染料の色に見える。
【０１１９】
１以上の実施形態において、スメクチックＡ液晶を含む液晶ディスプレイは、染料を含まない１以上のピクセルを含んでもよい。１以上の実施形態において、該スメクチックＡ液晶を含む液晶ディスプレイは、各ピクセルが染料を含む１以上のピクセルを含んでもよい。１以上の実施形態において、該スメクチックＡ液晶を含む液晶ディスプレイは、ディスプレイの一部、例えば、ディスプレイのピクセルサブセットだけが染料を含む複数のピクセルを含んでもよい。また、特定実施形態において、異なる染料が異なるピクセルについても使用される。例えば、該スメクチックＡ液晶を含む液晶ディスプレイは、第１染料カラーを含む１以上のピクセル、第２の、そして異なる染料カラーなどを含む１以上のピクセルを含んでもよい。該スメクチックＡ液晶を含む液晶ディスプレイは、２より多い染色されたピクセルを含んでもよい。例えば、該スメクチックＡ液晶を含む液晶表示装置は、黒色に染色された１以上のピクセル、白色に染色された１以上のピクセル、銀色に染色された１以上のピクセル、赤色に染色された１以上のピクセル、緑色に染色された１以上のピクセル、青色に染色された１以上のピクセル、青緑色に染色された１以上のピクセル、紫紅色に染色された１以上のピクセル、黄色に染色された１以上のピクセル、あるいはそれらの任意の組み合わせを含んでもよい。
【０１２０】
図３７Ａないし図３７Ｄのそれぞれは、例示的なプロジェクションシステム３７００を図示する。図３７Ａを参照すれば、プロジェクションシステム３７００は、投射装置３７０２とプロジェクタ３７０４とを含む。一般的には、プロジェクタ３７０４は、投射装置３７０２上にイメージを投射することができる。プロジェクタ３７０４は、大きいスケールのイメージ（例えば、ビデオ、アニメーション、写真、スライド、またはその他情報）を投射装置３７０２に投射することができる。例示的であって非制限的は例として、投射装置３７０２は、対角線上で測定された約１８０インチ以上の投射層を含んでもよい。プロジェクションシステム３７００は、多量の電力及び／または熱を消費せず、周辺光に係わる可視性問題をアドレッシング、例えば、向上させることができる。また、プロジェクションシステム３７００は、黒色カラーをディスプレイすることができる一方、他の従来のプロジェクションシステムは、黒色カラーをディスプレイすることができない。例えば、従来の投射システムは、プロジェクタがイメージを投射する静的表面の基本色として、黒色をディスプレイしようとする。
【０１２１】
特定実施形態において、投射装置３７０２は、プロジェクタ３７０４によって投射されたイメージと共に動作（coordinating operation）をおこなうことができる。例えば、投射装置３７０２の投射層は、白色、黒色、実質的に透明、及び／あるいは白色であって、実質的に透明、または黒色であって、実質的に透明の中間段階に見えるように、電気的に制御可能であり、ピクセルアドレッシング可能である。本開示内において、黒色であって、実質的に透明、または白色であって、実質的に透明の中間段階で示されるように構成されたピクセルは、「グレースケール」とされる。投射装置３７０２のディスプレイ層の外観を、プロジェクタ３７０４からのイメージ（例えば、フレーム）の投射と共に（in coordination with）制御することにより、イメージの黒色領域が光を吸収するように構成された投射層の領域上にも投射され、イメージの白色領域は、光を散乱または拡散させるように構成された投射層の領域上にも投射され、イメージの暗い領域は、黒色または暗いように示されるように構成された投射層の領域上にも投射され、かつ／またはイメージのさらに明るい領域は、さらに明るく（例えば、さらにかすかに、またはグレースケール）見えるように構成された投射層の領域上にも投射される。
【０１２２】
１以上の実施形態において、投射装置３７０２は、イメージ（または、複数イメージ）を、白黒及び／またはグレースケールで、前記イメージ（または、複数イメージ）を投射するプロジェクタ３７０４と共に（例えば、同時に）ディスプレイすることができる。例えば、投射装置３７０２は、プロジェクタ３７０４によって投射された投射層上に、同一内容を時間上に同期化されるように表示し、イメージを重畳させることができる。１以上の他の実施形態において、投射装置３７０２は、カラーイメージをディスプレイすることができる。
【０１２３】
投射装置３７０２及びプロジェクタ３７０４の動作に適用される「共に（in coordination）」という語句は、投射装置３７０２がプロジェクタ３７０４と相互作用し、同時に、そして投射装置３７０２の動作が、少なくとも部分的に、プロジェクタ３７０４の動作に依存、及び／またはプロジェクタ３７０４の動作が、少なくとも部分的に、投射装置３７０２の動作に依存する方式のような多様な任意の方式を意味する。特定実施形態において、「共に」という文言は、実質的に同期化されるか、あるいは同期化されたことを意味する。１以上の実施様態において、「共に」という文言は、実質的に整列されるか、あるいは整列されたことを意味する。特定実施形態において、「共に」は、実質的に同期化されて実質的に整列されるか、あるいは同期化及び整列されることを意味する。
【０１２４】
例えば、該同期化は、プロジェクタ３７０４によって投射されたイメージが、投射装置３７０２によるイメージの表示と実質的に同期化された時間に投射されるように、イメージが、表示及び／または投射される時間を指す。例えば、投射装置３７０２は、プロジェクタ３７０４が、イメージ投射を開始及び停止する実質的に同一時間に与えられた映像のディスプレイを、開始及び停止することができる。該整列は、例えば、イメージ投射が、実質的に投射装置３７０２によって表示されるイメージと整列されるように、プロジェクタ３７０４によって投射されるイメージが、投射装置３７０２によってディスプレイされたイメージと実質的に重畳されるということを指す。
【０１２５】
図３７Ａの例において、投射装置３７０２は、１以上のセンサ３７０６を含む。特定実施形態において、投射装置３７０２は、その中に含まれた投射層のエッジに、センサ３７０６を含む。一部実施形態において、投射装置３７０２に含まれた投射層は、投射層中間及び／または投射層、例えば、投射層のディスプレイにかけて分布された１以上のセンサを含んでもよい。センサ３７０６は、投射装置３７０２の内部、または任意の適切な位置にも含まれる。例えば、１以上のセンサ３７０６は、投射装置３７０２のハウジング内、またはその上にも装着される。
【０１２６】
１以上の実施形態において、１以上のセンサ３７０６は、光検出、例えば、光検出センサによって構成される。該光検出センサの例は、フォトダイオード及びフォトトランジスタを含むが、それらに限定されるものではない。特定実施形態において、１以上のセンサ３７０６は、ユーザを検出することができる１以上の他タイプのセンサとしても具現される。例えば、１以上のセンサ３７０６は、ユーザの物理的存在、投射装置３７０２に対するユーザの近接距離及び／または距離（例えば、ユーザと投射装置３７０２との距離）、並びに／またはユーザの１以上の属性を検出することができる。ユーザの属性の例としては、ユーザのアイデンティティ（identity）、背のような身体的特徴、ユーザがめがねを着用しているか否かということ、年齢などが含まれるが、それらに限られるものではない。例えば、１以上、または全てのセンサ３７０６は、カメラとしても具現される。他の実施形態において、センサ３７０６は、光強度及び／または色相の検出（例えば、光ダイオード及び／または光トランジスタ）、並びに／またはユーザ、及び／またはここで記述されたユーザ属性の検出を行うことができる任意の他タイプのセンサによって構成されるセンサの組み合わせを含んでもよい。
【０１２７】
特定配列において、プロジェクタ３７０４は、ＬＣＤプロジェクタとして具現される。他の実施形態において、プロジェクタ３７０４は、デジタル光プロジェクション（ＤＬＰ：digital light projection）プロジェクタとして具現される。他の実施形態において、プロジェクタ３７０４は、レーザプロジェクタとして具現される。プロジェクタ３７０４は、任意の適する技術を利用しても具現される。そのように、提供された特定例は、本明細書に記述された実施形態の制限に意図されないプロジェクタ３７０４は、投射装置３７０２によってディスプレイされたイメージと映像との同期化の一助となるように、カメラのように、それにさらに詳細に記述される追加構成要素を含んでもよい
【０１２８】
図３７Ａの例において、コンピューティングシステム３７０８は、信号分配器３７１０に結合される。コンピューティングシステム３７０８は、ラップトップコンピュータ、デスクトップコンピュータまたはタブレットコンピュータを含むが、それらに限定されるものではない、多様な異なるデータ処理システムのうち任意のでもある。コンピューティングシステム３７０８に係わる例示的なアーキテクチャは、図３２に係わって記述する。一様態において、コンピューティングシステム３７０８は、無線接続を介して、信号分離器３７１０に結合される。他の様態において、コンピューティングシステム３７０８は、有線連結を介して、信号分配器３７１０に連結される。例えば、コンピューティングシステム３７０８と信号分配器３７１０との接続は、高画質マルチメディアインターフェース（ＨＤＭＩ（登録商標））、ビデオグラフィックアレイ（ＶＧＡ）、ディスプレイポートあるいはデジタルビジュアルインターフェース（ＤＶＩ）有線接続でもある。
【０１２９】
信号分配器３７１０は、コンピューティングシステム３７０８からビデオ信号を受信することができる。受信されたビデオ信号から、信号分配器３７１０は、プロジェクタ３７０４に提供される第１信号、及び投射装置３７０２に提供される第２信号を生成することができる。該第１信号及び該第２信号は、有線または無線（例えば、ラウタまたは直接無線接続を介して）連結を介しても伝達される。プロジェクタ３７０４は、信号分配器３７１０から受信された第１信号に応答し、投射装置３７０２の投射層上に１以上のイメージを投射することができる。投射装置３７０２は、信号分配器３７１０から受信された第２信号に応答し、プロジェクタ３７０４から投射されたイメージと共に、白黒、グレースケール及び／またはカラーイメージを表示することができる。１以上の実施形態において、投射装置３７０２がプロジェクタ３７０４から投射された同一イメージを、白黒、グレースケールあるいはカラーで生成する間、プロジェクタ３７０４がカラーイメージを投射し、投射装置３７０２の投射層上に２個のイメージが、実質的に重畳（及び整列）されるように、第１信号及び第２信号は、同一である。特定実施形態において、信号分配器３７１０は、白黒またはグレースケールのビデオ信号として第２信号を出力することができる。
【０１３０】
１以上の実施形態において、信号分離器３７１０は、第１信号と第２信号とを互いに同期化させる。例えば、プロジェクタ３７０４及び投射装置３７０２のそれぞれは、ビデオ信号が受信された時間、及びビデオ信号が受信された後、イメージが投射装置３７０２によってディスプレイされるか、あるいはプロジェクタ３７０４によって投射された時間からの遅延を有することができる。例えば、デコーディング、プロセッシング、カラー適用及び／またはマスキングのような動作は、各装置の遅延に寄与する時間を必要とする。プロジェクタ３７０４の遅延は、投射装置３７０２の遅延と同一でもあり、異なりもする。特定実施形態において、信号分離器３７１０は、信号を同期化し、投射装置３７０２がイメージ及び／またはフレームを、プロジェクタ３７０４によって投射されるイメージ及び／またはフレームと共に、例えば、実質的に同一時間に表示するように、信号を同期化することができる。信号分離器３７１０は、例えば、投射装置３７０２の遅延、及びプロジェクタ３７０４の遅延を考慮し、必要な各信号を遅延させ、共に同期化される動作を遂行する。
【０１３１】
図３７Ａの実施形態は、説明の目的に提供されるものであり、制限的なものではない。特定配列において、信号分配器３７１０は、プロジェクタ３７０４に含まれる。その場合、コンピューティングシステム３７０８は、プロジェクタ３７０４に連結される。プロジェクタ３７０４は、有線連絡または無線連結を介して、投射装置３７０２に連結される。ここで記述されているように、プロジェクタ３７０４内に位置した信号分配器３７０４は、コンピューティングシステム３７０８からの受信された信号を分割し、第１信号をプロジェクタ３７０４の内部構成要素に提供し、第２信号を投射装置３７０２に提供する。投射装置３７０２に提供された第２信号は、有線連絡または無線連結を介しても伝送される。
【０１３２】
その場合、コンピューティングシステム３７０８は、投射装置３７０２に結合される。投射装置３７０２は、プロジェクタ３７０４に結合される。投射装置３７０２内に位置する信号分配器３７１０は、コンピューティングシステム３７０８から受信された信号を受信し、第１信号をプロジェクタ３７０４に提供し、第２信号を投射装置３７０２の内部構成要素に提供する。投射装置３７０２に提供される第２信号は、有線または無線でもある。
【０１３３】
図３７Ｂは、コンピューティングシステム３７０８がプロジェクタ３７０４に連結される例を図示する。プロジェクタ３７０４は、投射装置３７０２にビデオ信号を提供することができる。前述のところのように、コンピューティングシステム３７０８とプロジェクタ３７０４との連結、及びプロジェクタ３７０４と投射装置３７０２との連結は、有線、無線、有線と無線との連結の組み合わせでもある。
【０１３４】
図３７Ｃは、コンピューティングシステム３７０８が投射装置３７０２に結合される例を図示する。投射装置３７０２は、プロジェクタ３７０４にビデオ信号を提供することができる。前述のところのように、コンピューティングシステム３７０８と投射装置３７０２との連結、及び投射装置３７０２とプロジェクタ３７０２との連結は、有線、無線、あるいは有線連結及び無線連結の組み合わせでもある
【０１３５】
１以上の実施形態において、投射装置３７０２とプロジェクタ３７０４との連結は、制御情報の交換を支援することができる。該制御情報は、ビデオ信号のように、一装置から他の装置にも伝送される。従って、特定実施形態において、投射装置３７０２は、マスターとして動作することができる一方、プロジェクタ３７０４は、投射装置３７０２の制御下で、スレーブとして動作する。
【０１３６】
一般的には、該マスターは、該スレーブの動作を制御することができる。該マスターによって制御される該スレーブの例示的な動作は、カリブレーション、カラー補償、イメージ配置（例えば、上下左右へのシフト）、イメージサイズ調整、イメージ内のテキスト再配置または移動、及び／またはイメージ内でのテキストサイズ調整を含むが、それらに限定されるものではない。１以上の実施形態において、該マスターは、信号分離器３７１０を参照して説明したように、信号同期化を制御することができる。例えば、該マスターは、コンピューティングシステム３７０８からビデオデータを受信し、任意の必要なプロセッシングを行い、ビデオ信号及び命令データをスレーブに提供する。そのような実施形態において、例えば、図３７Ｂ及び図３７Ｃに図示されているように、コンピューティングシステム３７０８またはビデオのソースは、ただマスター装置と通信することができる。例えば、コンピューティングシステム３７０８は、該マスターが該スレーブの通信及び制御を処理するために、スレーブの存在を認識することができない。コンピュータ装置３７０８の観点で、例えば、コンピュータ装置３７０８は、まさしくプロジェクタに接続されたように動作する
【０１３７】
特定実施形態において、該マスター及び該スレーブは、独立して動作することができる。例えば、図３７Ａに図示されているように、投射装置３７０２及びプロジェクタ３７０４のそれぞれは、ビデオ信号を受信することができる。依然として、投射装置３７０２またはプロジェクタ３７０４のうち一つは、マスターとして動作する一方、他の一つは、共に（coordination）、例えば、同期化のためにスレーブとして動作する。例えば、図３７Ａに図示されているように、投射装置３７０２及びプロジェクタ３７０４は、相変らず有線連絡または無線連結を介して通信し、命令データを交換することができるので、マスターに指定された装置が、スレーブの同期化及び／または整列を含む動作を制御する。
【０１３８】
図３７Ｄは、多数の投射装置３７０２を含む例示的な投射システム３７００を図示する。例示のために、４個の投射装置３７０２が図示されている。しかし、実質的に、任意数の投射装置３７０２が含まれてもよいということを理解しなければならない。図３７Ｄに図示されているように、プロジェクタ３７０４は、複数の投射装置３７０２にわたっているイメージを投射することができる。図示された例において、それぞれの異なる投射装置３７０２は、プロジェクタ３７０４によって投射されたイメージと同期化されるように、その中に含まれたピクセルを制御することができ、各投射装置３７０２は、プロジェクタ３７０４によって投射されたイメージの一部と共に動作する。
【０１３９】
例えば、投射装置３７０２−１は、プロジェクタ３７０４によって投射されたイメージの上部左側１／４にも、同期化及び／または整列される。例えば、投射装置３７０２−１は、プロジェクタ３７０４によって投射された同一映像の上部左側１／４を表示することができる。投射装置３７０２−２は、プロジェクタ３７０４によって投射されたイメージの上部右側１／４にも、同期化及び／または整列される。例えば、投射装置３７０２−２は、プロジェクタ３７０４によって投射された同一イメージの上部右側１／４をディスプレイすることができる。投射装置３７０２−３は、プロジェクタ３７０４によって投射されたイメージの下部左側１／４とも同期化及び／または整列される。例えば、投射装置３７０２−３は、プロジェクタ３７０４によって投射された同一イメージの下部左側１／４をディスプレイすることができる。投射装置３７０２−４は、プロジェクタ３７０４によって投射されたイメージの下部右側１／４とも、同期化及び／または整列される。投射装置３７０２−４は、例えば、プロジェクタ３７０４によって投射された同一イメージの下部右側１／４をディスプレイすることができる。
【０１４０】
投射装置３７０２によってディスプレイされるプロジェクタ３７０４によって投射されたイメージの特定部分は、使用される投射装置の数、及びそのような装置の配列によっても決定されるいうことを理解しなければならない。例えば、ただ２個の投射装置が使用される場合、それぞれは、投射されたイメージのおよそ１／２を表示することができる。特定配列において、信号分配器は、投射装置３７０２に結合される。その場合、コンピューティングシステム３７０８は、投射装置３７０２に結合される。投射装置３７０２は、投射装置３７０２内に結合される。投射装置３７０２内に位置する信号分配器３７１０は、コンピューティングシステム３７０８から受信された信号を分割し、第１信号をプロジェクタ３７０４に提供し、第２信号を投射装置３７０２の内部構成要素に提供する。第１信号は、有線または無線でもある。
【０１４１】
図３８は、図３７のプロジェクタ３７０４に係わる例示的なアーキテクチャを図示する。図３７の例においては、図３８に図示されているように、プロジェクタ３７０４、光学プロジェクションシステム（ＯＰＳ）３８０４、赤外線（ＩＲ）遠隔受信器メモリ３８１８、無線装置３８０８、冷却システム３８１０、プロセッサ３８１２、選択的にカメラ（例えば、センサ）３８１４、メモリ３８１８及びユーザインターフェース３８２０を含む。例えば、電力回路３８０２は、電気コンセントから獲得された電力を、プロジェクタ３７０４の構成要素の特定電圧及び特定電流の要件に適応させることができる。ＯＰＳ ３８０４は、プロジェクタ３７０４からイメージを投射することができる。例えば、ＯＰＳ ３８０４は、偏光器、ＬＣＤパネル、検光器及びレンズまたはレンズ（複数）を含んでもよい。ＯＰＳ ３８０４は、ＤＬＰ及びレーザを含む多様な光学プロジェクション技術のうち任意のものを使用しても具現される。ＩＲ遠隔受信器（Ｒｘ）３８０６は、リモートコントロール装置からＩＲ命令を受信し、命令を、プロセッサ３８１２に提供される電気信号に変換することができる。無線装置３８０８は、投射装置３７０２、信号分配器３７１０及び／またはコンピュータ装置３７０８と通信するために含まれる。無線装置３８０８は、図３２に係わって一般的に記述されているような多様な無線装置のうち任意の装置でもある。特定実施形態において、プロジェクタ３７０４は、有線通信を支援する通信ポート（図示せず）を含む。該通信ポートの例は、ＨＤＭＩ（登録商標）ポート、ＶＧＡポート、ディスプレイポート及びＤＶＩポートを含むが、それらに制限されるものではない。該通信ポートの他の例は、ＵＳＢ（universal serial bus）ポート及びイーサネット（登録商標）ポートを含むが、それらに制限されるのではない。
【０１４２】
冷却システム３８１０は、プロジェクタ３７０４内の温度を規制するために具現されたファン（fan）、または他の適切なシステムでもある。プロセッサ３８１２は、ＯＰＳ ３８０４及び／またはカメラ３８１４から得られたイメージデータを使用し、投射のためにソースから受信されたイメージデータを処理することができる。プロセッサ３８１２は、ＯＰＳ ３８０４の動作を制御することができる。特定実施形態において、プロセッサ３８１２は、メモリ３８１８に保存された命令を実行することができる。カメラ３８１４は、選択的にも含まれる。カメラ３８１４は、ディスプレイ装置３７０２のイメージデータ、プロジェクタ３７０４からディスプレイ装置３７０２の投射層上に投射されたイメージ、あるいはいずれをも動作する間キャプチャするように配置される。例えば、カメラ３８１４は、カメラ３８１４によって生成されたイメージデータ内において、プロジェクタ３７０４から投射層に投射されたイメージをキャプチャするように、ＯＰＳ ３８０４と同一方位を有する。１以上の実施形態において、プロセッサは、その中に投射されたイメージを検出し、投射されたイメージを調節するために、ＯＰＳ ３８０４を制御することにより、イメージデータを処理することができる。例えば、カメラ３８１４から獲得されたイメージデータに基づいて、プロセッサ３８１２は、プロジェクタ３７０４によって投射されたイメージが、投射装置３７０２によってディスプレイされたイメージと整列されるか否かということを決定することができる。
【０１４３】
例えば、プロセッサ３８１２は、投射されたイメージが、投射装置３７０２の投射層を越えて拡張することを検出することに応答し、投射されたイメージの大きさを低減させることができ、投射されたイメージが、投射装置３７０２の投射層の全領域を利用しないことを検出することに応答し、投射されたイメージの大きさを拡大させることができ、かつ／またはカメラ３８１４によってキャプチャされたイメージデータに基づいて、カラー、明るさ、焦点、及び／または他の適切なパラメータを調整することができる。ユーザインターフェース３８２０は、１以上の制御、ボタン、ディスプレイ、タッチインターフェース及びまたはプロジェクタ３７０４の多様な機能を動作させるためのスイッチを含んでもよい。
【０１４４】
１以上の実施形態において、プロセッサ３８１２は、メモリ３８１８に保存されたプログラムコードを実行することができ、プロジェクタ３７０４が投射装置３７０２の動作を制御するために、本明細書で説明されたように、マスターとして動作させる。１以上の実施形態において、プロセッサ３８１２は、メモリ３８１８に保存されたプログラムコードを実行することができ、プロジェクタ３７０４は、ここに記述されているように、スレーブとして動作させる。
【０１４５】
特定実施形態において、プロジェクタ３７０４は、標準の「既製品（off-the-shelf）」プロジェクタとしても具現される。その場合、プロジェクタ３７０４には、投射されたビデオ信号が提供される。投射されたイメージを投射装置３７０２と同期化させることは、投射装置３７０２及び／またはコンピューティングシステム３７０８のような他の装置によっても処理される。
【０１４６】
図３９は、図３７の投射装置３７０２に係わる例示的なアーキテクチャを図示する。図３９の例においては、投射装置３７０２は、電力回路３９０２、投射層３９０４、ＩＲ遠隔受信器（Ｒｘ）３９０６、無線装置３９０８、ディスプレイ制御器３９１０、プロセッサ３９１２、メモリ３９１４及びユーザインターフェース３９１６を含む。電源回路３９０２は、投射装置３７０２の多様な構成要素に、電力を供給することができる。例えば、電源回路３９０２は、電気コンセントから獲得された電力を、投射装置３７０２の構成要素の特定電圧及び特定電流の要件に適応させることができる。さらに他の例で、電源回路３９０２は、バッテリを含み、バッテリからの電力を投射装置３７０２の構成要素の特定電圧及び特定電流の要件に適応させることができる。ＩＲ遠隔受信器（Ｒｘ）３９０６は、リモートコントロール装置からＩＲ命令を受信し、該命令を、プロセッサ３９１２に提供される電気信号に変換する。無線装置３９０８は、プロジェクタ３７０４と通信するように含まれる特定実施形態において、投射装置３７０２は、有線通信を支援する通信ポート（図示せず）を含む。該通信ポートの例は、ＨＤＭＩ（登録商標）ポート、ＶＧＡポート、ディスプレイポート及びＤＶＩポートを含むが、それらに制限されるものではない。該通信ポートの他の例は、ＵＳＢポート及びイーサネット（登録商標）ポートを含むが、それらに限定されるものではない。
【０１４７】
プロセッサ３９１２は、信号分配器３７１０、コンピューティングシステム３７０８及び／またはプロジェクタ３７０４のようなソースから受信されたイメージデータを処理し、ディスプレイ制御器３９１０の動作を制御することができる。特定実施形態において、プロセッサ３９１２は、メモリ３９１４に保存された命令を実行することができる。１以上の実施形態において、プロセッサ３９１２は、メモリ３９１４に保存されたプログラムコードを実行することができ、投射装置３７０２がプロジェクタ３７０４の動作を制御するために、ここに記述されているように、マスターとして動作させる。１以上の実施形態において、プロセッサ３９１２は、メモリ３９１４に保存されたプログラムコードを実行することができ、投射装置３７０２を、ここで記述されたスレーブとして動作させる。
【０１４８】
ディスプレイ制御器３９１０は、投射層３９０４に結合され、プロセッサ３９１２から受信された命令に基づいて、投射層３９０４の動作を制御することができる。例えば、ディスプレイ制御器３９１０は、１以上の層、例えば、各ディスプレイが投射層３９０４を具現するのに利用されるために、制御回路及び／または駆動回路を含んでもよい。ユーザインターフェース３９１６は、１以上の制御、ボタン、ディスプレイ、タッチインターフェース、及び／または投射装置３７０２の多様な機能を動作させるためのスイッチを含んでもよい。例示の目的上、センサ３７０６は、図３９に図示されていない。しかし、周知されているように、ここに記述された多様な任意の組み合わせの１以上のセンサが投影装置３７０２内及び／または投射層３７０４内でも統合される。
【０１４９】
特定実施形態において、投射層３９０４は、単一層として具現される。該単一層は、ディスプレイとしても具現される。該ディスプレイは、電気的に制御可能であり、ピクセルまたはカプセルを含む。投射層３９０４は、ピクセルアドレッシングすることができる。一例として、投射層３９０４は、黒色、白色及びグレースケールのピクセルをディスプレイすることができる。他の例において、ピクセルまたはカプセルは、１以上の異なるカラー粒子を含む。特定実施形態において、ディスプレイは、透明である。特定実施形態において、該ディスプレイは、透明ではない（例えば、不透明）。例えば、該ディスプレイは、「電子インク」類型のディスプレイでもある。投射層３９０４は、プロジェクタ３７０４と同期化されたイメージをディスプレイすることができる。例えば、プロジェクタ３７０４は、投射層３９０４によってディスプレイされた同一イメージと重畳されるカラーイメージを投射する。
【０１５０】
図４０は、投射層３９０４の一例の分解図を図示する。図４０において、投射層３９０４は、多重層を含む。図示されているように、投射層３９０４は、層４００２及び層４００４を含む。
【０１５１】
特定実施形態において、層４００２は、黒色背景を提供する内部層である。例えば、層４００２は、黒色または単色黒色（solid black）（例えば、静的）の表面に見えるディスプレイとしても具現される。層４００４は、個別的にアドレッシング可能なピクセルを有するディスプレイとして具現される外部層である。１以上の実施形態において、層４００４は、透明ディスプレイによって具現される。例えば、層４００４のピクセルは、ディスプレイ制御器３９１０からピクセルに提供された電子制御信号に基づいて、透明であるか、あるいは光を散乱するように制御可能である。例えば、層４００４のピクセルは、黒色背景がピクセルを介して見えるように透明になるように、あるいは白色に見えるように光を散乱させ、黒色背景が見えないように、あるいは透明と散乱との間の任意の中間段階によって構成され、半透明またはグレースケールに見えるように、個別的に制御可能である。例示的な類型の透明ディスプレイは、ＬＣＤ、スメクチックＡ液晶を含むＬＣＤ、ＬＥＤディスプレイ、光強化層あるいはＯＬＥＤディスプレイを含むが、それらに限定されるものではない。
【０１５２】
従って、層４００４のピクセルが透明な領域については、投射層３９０４が黒色に示される。層４００４のピクセルが光を散乱する領域については、投射層３９０４が白色に見える。層４００４のピクセルが透明と散乱との間の中間段階（例えば、半透明）にある領域について、投射層３９０４は、グレースケールに示される。投射層３９０４は、プロジェクタ３７０４から投射された同一イメージと同期される白黒及び／またはグレースケールのイメージを、プロジェクタ３７０４から投射されたイメージが、投射層３９０４上にディスプレイされたイメージと重畳されるようにディスプレイする。
【０１５３】
特定実施形態において、層４００２は、白色背景を提供する内部層である。例えば、層４００２は、白色または単色白色（solid white）（例えば、静的）の表面に見えるディスプレイによっても具現される。層４００４は、個別的にアドレッシング可能なピクセルを有するディスプレイとして具現される外部層である。１以上の実施形態において、層４００４は、透明ディスプレイによって具現される。例えば、層４００４のピクセルは、光を散乱する黒色の粒子、または透明と散乱との間の任意の中間段階を使用し、透明、黒色になるように制御可能である。例えば、層４００４のピクセルは、白色背景がピクセルを介して見えるように透明になるように、あるいは黒色に見えるように光を散乱させ、白色背景が見えないように、あるいは透明と散乱との間の任意の中間段階によって構成され、半透明またはグレースケールに見えるように、個別的に制御可能である。例示的な類型の透明ディスプレイは、ＬＣＤ、スメクチックＡ液晶を含むＬＣＤ、ＬＥＤディスプレイ、光強化層あるいはＯＬＥＤディスプレイを含むが、それらに限定されるものではない。
【０１５４】
従って、層４００４のピクセルが透明な領域については、投射層３９０４が白色に見える。層４００４のピクセルが光を散乱する領域に対して、投射層３９０４は、黒色に示される。層４００４のピクセルが、透明と散乱との間の中間段階（例えば、半透明）に設定された領域について、投射層３９０４は、グレースケールに示される。投射層３９０４は、プロジェクタ３７０４から投射された同一イメージと同期される白黒及び／またはグレースケールのイメージを、プロジェクタ３７０４から投射されたイメージが、投射層３９０４上にディスプレイされたイメージと実質的に重畳されるようにディスプレイする。
【０１５５】
特定実施形態において、投射層３９０４は、内部層、及び２以上の外部層を含む。内部層は、黒色や白色でもある。１以上の実施形態において、該外部層は、透明である。該外部層のそれぞれは、ここで記述したように、透明ディスプレイの互いに異なるタイプのうち一つとしても遂行される。１以上、または全ての外部層は、カラー染色される。例えば、それぞれの外部層は、外部層の異なる層は、異なるカラーのピクセルによって構成されるように、特定カラーに染色されたピクセルを有することができる。従って、特定実施形態において、投射層３９０４は、プロジェクタ３７０２と同期化し、カラーイメージを表示することができる。
【０１５６】
投射層３９０４は、ここで説明された多様なディスプレイ技術のうち任意のものを使用しても具現される。例えば、層４００２、層４００４、及び／または投射層３９０４に含まれた他の外部層は、ＰＤＬＣディスプレイ、電気変色ディスプレイ、電気分散ディスプレイ、電気湿潤ディスプレイ、浮遊粒子装置または任意相（例えば、ネマチック、ＴＮ、ＳＴＮまたはＳｍＡ）状態のＬＣＤによっても具現される。
【０１５７】
プロジェクタ３７０４によるイメージ投射と同期化し、投射装置３７０２のディスプレイ内のピクセルのカラー及び／または透明度を制御することにより、イメージの黒色領域が光を吸収するように制御される投射層３９０４の領域上にも投射され、イメージの白色領域は、光を散乱させたり拡散させたりするように制御される投射層３９０４の領域上にも投射され、イメージの暗い領域は、黒色または暗く（グレースケール）見えるように制御される投射層３９０４の領域上にも投射され、かつ／またはイメージのさらに明るい領域は、光（例えば、白色またはグレースケール）に見えるように制御された投射層３９０４の領域上にも投射される。
【０１５８】
特定実施形態において、投射層３９０４は、プロジェクタ３７０４によって投射された同一イメージの白黒、グレースケールまたはカラーバージョンをディスプレイすることができる。プロジェクション層３９０４は、イメージ、例えば、フレームを同期化（例えば、時間上）及び／またはプロジェクタ３７０２によって投射されたイメージと整列され、イメージが重畳される。そのような方式で、投射層３９０４は、プロジェクタ３７０４によって投射されたイメージと同期化し、ビデオ及び／またはスチールイメージをディスプレイすることができる。
【０１５９】
特定実施形態において、プロセッサ３９１２は、投射層３９０４の特性を制御するように、ディスプレイ制御器３９１０を制御することができる。例えば、プロセッサ３９１２は、光強度、色、コントラスト、明るさ、ガンマ、彩度、ホワイトバランス及び／または他のイミジングパラメータを制御して調節することができる。プロセッサ３９１２は、メモリ３９１４に保存された特定カラープロファイルとマッチングされるようにする１以上、または全ての特性を調整することができる。例えば、プロセッサ３９１２の制御下、ディスプレイ制御器３９１０は、投射層３９０４の１以上の外部層を通過する光量、あるいは特定時間に投射層３９０４の１以上の外部層によって反射される光量を、光強度を操作するために調節する。
【０１６０】
特定実施形態において、プロセッサ３９１２の制御下、ディスプレイ制御器３９１０は、リフレッシュ（refresh）の比率、変化率（例えば、ピクセル及び／またはカプセルの透明度）、または他の動的特性のような、投射層３９０４の特性を調整することができる。該特性の調整は、視覚効果を生成するために同期化され、かつ／またはプロジェクタ３９０４から投射されたイメージとも同期化される。視覚的効果の例としては、明るく照明された環境において、さらに強い照明、及びさらに暗い黒色を含むが、それらに限定されるものではない。
【０１６１】
１以上の実施形態において、センサ３７０６は、プロジェクタ３７０４から投射された光を検出することができる。センサ３７０６は、プロジェクタ３７０４から投射された光の強度及び／または色を検出することができる。特定実施形態において、投射装置３７０２は、センサ３７０６からのデータに基づきつつ、それに反応し、プロジェクタ３７０４と同期化するために、投射装置３７０２の投射層を調整及び／または補正することができる。例えば、センサ３７０６は、プロジェクタ３７０４から投射されたイメージのエッジ、プロジェクタ３７０４から投射されたイメージからの特定パターンの光、またはそれらの組み合わせを検出することができる。センサ３７０６によって検出された光パターンは、投射装置３７０２の投射層３９０４の公知された位置において、イメージのいずれの部分が検出されるということを示す。そのように、投射装置３７０２は、光センサ３７０６から獲得されたデータに基づいて、プロジェクタ３７０４から投射された映像と重畳されるように、投射装置上にディスプレイされるイメージの大きさを調整すること、及び／またはセンサ３７０６から獲得されたデータ（例えば、光センサ３７０６によって検出されたカラー及び／または光強度）に基づいて、投射層のピクセルの外観がさらに暗いか、あるいは明るく見えるように調整することができる。他の例において、投射装置３７０２は、センサ３７０６からのデータに基づいて、イメージを回転させ、プロジェクタ３７０４によって投射されたイメージと、整列及び同期化することができる。
【０１６２】
例示的であって非制限的な例として、投射装置３７０２上に投射された与えられたイメージは、該イメージが投射装置３７０２の投射層３９０４と整列及び同期化されるとき、センサ３７０６によって検出されると予想される光強度及び／またはカラーの公知のパターンを有するであろう。センサ３７０６によって検出された光強度及び／またはカラーに基づいて、プロセッサ３９１２は、センサ３７０６によって検出されることにより、プロジェクタ３７０４によって投射されたイメージと整列及び同期化されるように、投射層３９０４のピクセルを制御することができる。例えば、プロセッサ３９１２は、投射層３９０４によってディスプレイされるイメージ、またはイメージの領域が、プロジェクタ３７０４によって投射されたイメージと整列されて同期化されるようにシフトされる方向及び距離を決定することができる。そのように、投射装置３７０２は、前述のような変化、例えば、ディスプレイ層によって表示されるイメージでのシフトを達成するように、ピクセルを制御することができる。
【０１６３】
特定実施形態において、プロセッサ３９１２は、本明細書で説明されたように、その動作を制御するために、プロジェクタ３７０４に提供される命令データを生成することができる。例えば、プロセッサ３９１２は、センサ３７０６から得られたセンサデータの分析に基づいて、投射されたイメージの大きさを増大させ、投射されたイメージの大きさを低減させ、かつ／または投射されたイメージをシフトさせるように、プロジェクタ３７０４を制御するための命令データを生成することができる。
【０１６４】
１以上の実施形態において、センサ３７０６は、投射装置３７０２に係わり、ユーザの近接距離及び／または距離を検出することができる。例えば、センサ３７０６は、投射装置３７０２とユーザとの距離を決定することができる近接センサによっても具現される。他の実施形態において、センサ３７０６は、１以上のカメラによっても具現される。その場合、センサ３７０６は、投射装置３７０２の表面からプロジェクタ３７０４に向け、外側に向く観点において、イメージデータをキャプチャすることができる。例えば、センサ３７０６は、プロセッサ３９１２によっても処理されるイメージデータをキャプチャすることができ、例えば、投射装置３７０２の既定距離において、ユーザの存在、ユーザの１以上の属性、投射装置３７０２に対するユーザの位置、及び他の情報を検出する。特定実施形態において、プロセッサ３９１２は、本明細書に説明されたように、ユーザ属性を決定し、イメージデータ（例えば、フレーム内）での人認識、ユーザ（例えば、人）のアイデンティティを決定するために、顔認識遂行、視線検出（ユーザの目の検出、及び／または他の顔特徴に基づいて、ユーザが見る方向）、ユーザと投射装置３７０２との距離を決定することを含む動作を遂行するが、それに限定されるものではない。
【０１６５】
特定実施形態において、プロセッサ３９１２は、センサ３７０６から獲得されたデータに基づいて、投射層３９０４のピクセルを制御することができる。知られているように、前述のようなデータは、ユーザの物理的存在、投射装置３７０２に対するユーザの位置、ユーザと投射装置３７０２との距離、及び／またはユーザの１以上の属性を特定することができる。例示的であって非制限的な例として、プロセッサ３９１２は、センサデータの特定条件を検出することに応答し、特定視覚効果を適用することができる。例えば、ユーザがめがねを着用していると決定したことに応答し、プロセッサ３９１２は、ディスプレイされるイメージ内のテキストに係わるフォントサイズを増大させることができる。他の例において、プロセッサ３９１２は、例えば、イメージ処理及び／または顔認識及び／または特徴処理を介するユーザの年齢が、臨界年齢より多いという決定に応答し、フォントサイズを増大させることができる。他の例において、プロセッサ３９１２は、ユーザのアイデンティティに基づいて決定されたユーザの選好度によって特定されたように、イメージに視覚効果を適用することができる。特定実施形態において、該効果は、ユーザが投射装置３７０２から少なくとも最小距離に位置すると決定することに応答しても適用される。ここで説明されたように、投射装置３７０２において、イメージ、またはイメージ領域のディスプレイに対して行われた任意の変更は、プロジェクタ３７０４に伝達及び／または同期化され、プロジェクタ３７０４が投射装置３７０２、例えば、マスターとしての制御下、同一または類似した方式で修正された映像を投射するということを考慮しなければならない。
【０１６６】
１以上の実施形態において、１以上のセンサ３７０６は、投射装置３７０２周囲の周辺光のレベル、及び／または周辺光のカラーを感知または検出することができる。その場合、プロセッサ３９１２は、前記検出されたデータに基づいて、投射装置３７０２によってディスプレイされるイメージを調整することができる。例えば、プロセッサ３９１２は、黄色に決定された周辺光を補償することができる。
【０１６７】
図４１は、プロジェクションシステムを具現するための例示的な方法（４１００）を図示する。１以上の実施形態において、方法（４０００）は、図３７ないし図４０に係わる本明細書で記述されているようなプロジェクションシステムの具現にも利用される。
【０１６８】
ブロック（４１０２）において、投射層が提供される。該投射層は、複数のピクセルを含む。該ピクセルは、投射層上に投射されたイメージと共に、複数のピクセルのうち少なくとも１つの外観を変化させるように、電気的にも制御される。該投射層は、投射層上に投射されたイメージと同期化されて整列されたイメージをディスプレイする。
【０１６９】
ブロック（４１０４）において、１以上のディスプレイが投射層の一部として提供される。特定実施形態において、該投射層は、不透明ディスプレイを含んでもよい。特定実施形態において、該投射層は、そこで説明された異なる透明ディスプレイ技術のうち任意のものを使用して具現された１以上の透明ディスプレイを含んでもよい。例えば、１以上の透明ディスプレイは、ＬＣＤ、スメクチックＡ液晶を含むＬＤＣ、ＬＥＤディスプレイ、光強化層またはＯＬＥＤディスプレイでもある。
【０１７０】
一部実施形態において、非発光型ディスプレイは、複数個のピクセルのうち染料を含む少なくとも１つのピクセルを含む。一部実施形態において、該ディスプレイは、複数個のピクセルのうち染料を含まず、実質的に白色に見える少なくとも１つのピクセルを含む。１以上の実施形態において、該非発光型ディスプレイは、複数個のピクセルのうち染料を含む少なくとも１つのピクセルを含む。該非発光型ディスプレイは、ＰＤＬＣディスプレイ、電子クロム（elecrochromic display）、電気分散型ディスプレイ、ポリマー安定化ＬＣＤ、電気湿潤ディスプレイ、コレステリックＬＣＤ、またはスメクチックＡ液晶を含むＬＣＤによっても具現される。
【０１７１】
ブロック（４１０６）において、１以上のセンサが、投射装置の一部として選択的に提供される。特定実施形態において、該センサは、光を検出することができる。複数のピクセルは、該センサによって検出された光に少なくとも部分的に基づいて、投射層上に投射されたイメージにも電気的に制御されて同期化される。
【０１７２】
特定実施形態において、１以上のセンサは、ユーザと投射層（または、投射装置）との距離を検出することができる。複数のピクセルは、センサによって検出された距離にも少なくとも部分的に基づいて、電気的に制御される。
【０１７３】
特定実施形態において、１以上のセンサは、投射層の範囲内において、ユーザの１以上の属性を検出することができる。複数のピクセルは、センサによって検出される１以上のユーザ属性にも、少なくとも一部基づいて、電気的に制御される。
【０１７４】
ブロック（４１０８）において、プロジェクタが選択的に提供される。該プロジェクタは、イメージを投射層に投射することができる。
【０１７５】
ブロック（４１１０）において、カメラが選択的に提供される。該カメラは、投射層に投射されたイメージのイメージデータをキャプチャすることができる。特定実施形態において、プロジェクタは、カメラからのイメージデータに基づいて、投射層上に投射されたイメージを調整するように構成される。
【０１７６】
図４２は、投射装置の動作に対する例示的な方法（４２００）を図示する。ブロック（４２０２）において、投射装置は、投射層上に投射されたイメージと共に、投射層のピクセルを制御する。例えば、該投射層の複数のピクセルは、該投射層上に投射されたイメージと共に、複数のピクセルのうち少なくとも１つの外観を変化させるように制御される。言及されたように、複数のピクセルは、投射層上に投射されたイメージと同期化及び整列されたイメージをディスプレイするように、電気的に制御可能である。
【０１７７】
ブロック（４２０４）において、該投射装置は、センサ情報を選択的に生成して分析する。例えば、該投射装置は、１以上のセンサを使用し、選択的に光を検出する。他の例において、該投射装置は、１以上のセンサを使用し、ユーザ、及び／または１以上のユーザ属性を選択的に検出する。該ユーザ属性の例は、ユーザ及び投射装置との距離、ユーザの位置、ユーザのアイデンティティ、身長、年齢、ユーザがめがねを着用しているか否かということ、及び／またはユーザの他の物理的特性を含んでもよいが、それらに限定されるものではない。述べられたように、該センサ情報は、部分的に、イメージ処理を利用しても分析される。
【０１７８】
ブロック（４２０６）において、複数のピクセルは、センサ情報にも、部分的に基づいて、電気的に制御される。例えば、該投射装置は、センサを使用し、投射装置とユーザとの距離を検出することができる。該ピクセルは、センサによって検出された距離にも少なくとも部分的に基づいて、電気的にも制御される。例えば、ユーザの距離、及び／または（例えば、イメージ処理を介して）ユーザがめがねを着用しているか否かというようなユーザ属性に基づいて、イメージは、拡大され、かつ／またはテキストサイズは、増大される。他の例において、ユーザが、投射装置からの距離が臨界距離以上であり、かつ／または最若年齢と判定されることに応答し、イメージが拡大され、かつ／またはテキストサイズが増大される。
【０１７９】
他の例において、該投射装置は、ユーザの背丈を決定することができる。該投射装置は、背丈を基準に、イメージ内のテキストを移動（例：上下動）させることができる。例示的であって非制限的な例として、該投射装置は、イメージにおいて、テキストの位置を移動、例えば、高さ観点において、ユーザの背丈に一致させるか、あるいは対応させ、イメージ内において、テキストをさらに高く、あるいはさらに低く表示することができ、テキストが、実際にユーザの目に整列される。
【０１８０】
図３７ないし図４２を参照すれば、１以上の実施形態において、ディスプレイ４００２及び／またはディスプレイ４００４は、染料を含まない１以上のピクセルを含んでもよい。１以上の実施形態において、ディスプレイ４００２及び／またはディスプレイ４００４は、それぞれのピクセルが染料を含む１以上のピクセルを含んでもよい。１以上の実施形態において、ディスプレイ４００２及び／またはディスプレイ４００４は、ただ一部、例えば、ピクセルサブセットが染料を含む複数のピクセルを含んでもよい。また、特定様態において、異なる染料が異なるピクセルにも使用される。例えば、ディスプレイ４００２及び／またはディスプレイ４００４は、第１染料カラーを含む１以上のピクセル、第２及び他の染料カラーを含む１以上のピクセルなどを有することができる。ディスプレイ４００２及び／またはディスプレイ４００４は、２個以上の互いに異なる染色されたピクセルを含んでもよい。例えば、ディスプレイ４００２及び／またはディスプレイ４００４は、黒色に染色された１以上のピクセル、白に染色された１以上のピクセル、銀色に染色された１以上のピクセル、赤色に染色された１以上のピクセル、緑色に染色された１以上のピクセル、青色に染色された１以上のピクセル、青緑色に染色された１以上のピクセル、紫紅色に染色された１以上のピクセル、黄色に染色された１以上のピクセル、あるいはそれらの任意の組み合わせを含んでもよい。
【０１８１】
特定実施形態において、投射装置３７０２のうち１以上のディスプレイは、ロウアドレッシング可能（row addressable）であるか、あるいはコラムアドレッシング可能（column addressable）である。１以上の実施形態において、投射装置３７０２のうち１以上のディスプレイは、鮮明、グレースケール、白色、黒色または特定カラーをディスプレイするように制御可能な単一ピクセルを含んでもよい。該単一ピクセルは、大体のところ、ディスプレイの大きさを調整することができ、該投射装置の全体は、全体的に均一な白色、全体的に均一な黒色、全体的に均一な透明、全体的に均一なグレースケール、あるいは全体的に均一な特定カラーになるようにも電気的に制御される。例えば、ディスプレイの特定ピクセルは、黒色、白色、銀色、赤色、緑色、青色、青緑色、紫紅色あるいは黄色に見えるようにも染色される。
【０１８２】
図４３は、ディスプレイ１１０を有する他の例示的なディスプレイ装置１００を図示する。図４４は、図４３のディスプレイ装置の例示的なディスプレイ１１０の分解図を図示する。図４３及び図４４を参照すれば、特定実施形態において、ディスプレイ装置１００は、実質的に透明なディスプレイとして具現される前方ディスプレイ１５０及び後方ディスプレイ１４０のいずれによっても構成される。特定実施形態において、前方ディスプレイ１５０及び後方ディスプレイ１４０は、実質的に同一サイズ及び形状を有する。図４３及び図４４の例において、ディスプレイ装置１００は、後方ディスプレイ１４０の後ろに、固体支持層（solid backing）、または他の層を具備しない。従って、ビューイングコーンからディスプレイ装置１００を見る者は、前方ディスプレイ１５０及び／または後方ディスプレイ１４０に存在する情報を見ることができ、一方また、ディスプレイ装置１００の後ろに位置した対象体を見ることができる。同様に、ディスプレイ装置１００の後ろに位置したユーザは、少なくとも部分的に、前方ディスプレイ１５０上及び／または後方ディスプレイ１４０上に提示されるコンテンツを見ることができ、一方また、ディスプレイ装置１００を介して、ディスプレイ装置１００の前方に位置した対象体を見ることができる。例えば、製品（例えば、スマートフォン）は、ディスプレイ装置１００の後ろに、前記製品が位置するように見えるように展示することができ、ディスプレイ装置１００は、製品に係わる情報を示すことができる。
【０１８３】
特定実施形態において、ディスプレイ１１０は、増大されたコントラストを有する情報をディスプレイすることができる。ディスプレイ１１０は、「アルファチャネル」と呼ばれる追加チャネルを含む。該アルファチャネルは、ディスプレイ１１０上にディスプレイされた情報において、増大されたコントラストを容易にする。一様態において、該アルファチャネルは、黒色カラーピクセルのディスプレイを容易にし、ディスプレイされたイメージにおいて、コントラストを増大させる。また、該アルファチャネルは、鮮やかな（clear）色（例えば、透明）、銀色、白色、黒色、グレースケール、あるいは本明細書に説明されたように、他の適切な色相のピクセルを表示することができる。例えば、該アルファチャネルのピクセルは、少なくとも部分的に不透明に示されるようにも制御される。１以上の実施形態において、前方ディスプレイ１５０及び後方ディスプレイ１４０のピクセルは、実質的に同一のサイズ及び形状を有する。他の実施形態において、前方ディスプレイ１５０及び後方ディスプレイ１４０のピクセルの形状及び／または大きさ及び／または数は、本明細書で説明されたところとも異なる。
【０１８４】
特定実施形態において、前方ディスプレイ１５０は、ピクセルアドレッサブル（addressable）ディスプレイである。前方ディスプレイ１５０は、光変調層としても具現される。前方ディスプレイ１５０は、発光型ディスプレイでもある。特定実施形態において、前方ディスプレイ１５０は、透明なＯＬＥＤ（ＴＯＬＥＤ）ディスプレイである。一例示において、該ＴＯＬＥＤディスプレイは、能動マトリックスまたは受動マトリックスによっても駆動され、実質的に透明な領域を有することができる。特定実施形態において、前方ディスプレイ１５０は、ＬＣＤである。一例において、前方ディスプレイ１５０は、偏光器、ＬＣパネル、カラーフィルタ及び偏光器によって形成されたＬＣＤに対応する。他の例において、前方ディスプレイ１５０は、ＬＣパネル（例えば、ＩＴＯ，ＬＣ及びＩＴＯ材料を使用する）に対応する。特定実施形態において、前方ディスプレイ１５０は、光強化層（例えば、光エンハンサ（enhancer）層）としても具現される。例えば、前方ディスプレイ１５０は、ＱＤ層として具現される。任意の適切な光変調層、または透明性を有するディスプレイが前方ディスプレイ１５０としても使用される。
【０１８５】
特定実施形態において、前方ディスプレイ１５０は、赤色、緑色及び青色を生成することができるピクセルを含む。一般的には、該透明性は、本明細書で説明されたように、ピクセル間にギャップ（gap）を残しておくことによって達成される。それと係わり、ＴＯＬＥＤディスプレイ１５０は、いつも最大に透明である。ＴＯＬＥＤディスプレイ１５０は、黒色カラーを生成することができない。その代わりり、黒色に意図されたピクセルは、実質的に透明に（例えば、鮮やかに）見える。明るい環境において、ＴＯＬＥＤディスプレイ１５０は、黒色ピクセルをディスプレイできず、周辺光がディスプレイ１１０を介して光るという事実に起因し、低いコントラストレベルを提供する。該コントラストは、一般的に（最も明るい輝度−最も暗い輝度）／（平均輝度）として測定される。該周辺光が明るいほど、コントラストは、良好ではなくなる。
【０１８６】
特定実施形態において、後方ディスプレイ１４０は、非発光型ディスプレイとして具現される。後方ディスプレイ１４０は、ピクセルアドレッシング可能である。例えば、後方ディスプレイ１４０は、ＰＤＬＣディスプレイ、ＰＳＬＣ、電気変色ディスプレイ、電気分散ディスプレイ、電気湿潤ディスプレイ、浮遊粒子装置、ＩＴＯディスプレイ、または任意相（例えば、ネマチック、ＴＮ、ＳＴＮまたはＳｍＡ）にあるＬＣＤによっても具現される。後方ディスプレイ１４０は、アルファチャネルを生成するように制御可能である。該アルファチャネルは、後方ディスプレイ１４０及びピクセル、またはピクセルの透明度を制御する。例えば、後方ディスプレイ１４０が、黒色ピクセル、透明（例えば、鮮やか）ピクセル、あるいは黒色と透明との中間段階（例えば、半透明）を生成するように、ピクセル制御が可能である場合、該アルファチャネルは、後方ディスプレイ１４０のピクセルが、黒色、透明または特定灰色陰影に見えるか否かということを決定するために、透明性を制御し、後方ディスプレイ１４０が白色ピクセル、透明ピクセル、あるいは多様なレベルの透明ピクセル（例えば、半透明ピクセル）を生成するように、ピクセル制御が可能である場合、該アルファチャネルは、後方ディスプレイ１４０のピクセルが、白色、透明または半透明に見えるか否かということを決定するために、透明性を制御する。１以上の実施形態において、後方ディスプレイ１４０は、カラーフィルタの使用を要求しない。１以上の実施形態において、後方ディスプレイ１４０は、偏光器を必要としない。
【０１８７】
特定実施形態において、後方ディスプレイ１４０は、本明細書で説明されたように、前方ディスプレイ１５０と整列される。一例として、後方ディスプレイ１４０のピクセルは、前方ディスプレイ１５０のピクセルとも整列される。説明的な例として、後方ディスプレイ１４０のピクセルは、前方ディスプレイ１５０のピクセルとも重畳される。他の例として、後方ディスプレイ１４０のピクセルは、実質的に透明な領域を介して見えるように、前方ディスプレイ１５０のピクセルの、実質的に透明な領域とも重畳される。そのように、後方ディスプレイ１４０のピクセルは、前方ディスプレイ１５０のピクセルの、実質的に透明な領域を介して見えるように使用される特定ディスプレイ技術により、実質的に透明、黒色、白色、グレースケール、または他の適切なカラーをディスプレイするように制御可能である。例えば、後方ディスプレイ１４０は、前方ディスプレイ１５０のピクセル（例えば、そのようなピクセルの赤色、緑色及び青色のサブピクセルがオフになる）により、実質的に透明に見えるイメージの白色、黒色及び／またはグレースケールの領域に対応する、前方ディスプレイ１５０の選択されたピクセルと整列された白色、黒色及び／またはグレースケールのピクセルをディスプレイするように制御される。
【０１８８】
特定実施形態において、ディスプレイ１１０は、１以上の黒色領域を含むイメージをディスプレイすることができる。後方ディスプレイ１４０は、イメージの黒色領域に対応するピクセルを黒色に制御することにより、黒色領域をディスプレイすることができる。イメージの黒色領域に対応する前方ディスプレイ１５０のピクセルは、透明に見えるように制御される。そのように、イメージの黒色部分を生成するために、装置１００の前面を見るとき、後方ディスプレイ１４０からの黒色ピクセルが見える。黒色を表現するために、透明なピクセルを使用することとは反対に、黒色ピクセルを表示することにより、ディスプレイ１１０のコントラストが改善される。
【０１８９】
特定実施形態において、ディスプレイ１１０は、１以上の白色領域を含むイメージをディスプレイすることができる。後方ディスプレイ１４０は、イメージの白色領域に対応するピクセルが白色に見えるように制御することにより、白色領域をディスプレイすることができる。イメージの白色領域に対応する前方ディスプレイ１５０のピクセルは、透明に見えるように制御される。そのように、装置１００の前面を見るとき、イメージの白色部分を生成するために、後方ディスプレイ１４０からの白色ピクセルが見える。
【０１９０】
特定実施形態において、ディスプレイ１１０は、１以上のグレースケール領域を含むイメージをディスプレイすることができる。後方ディスプレイ１４０は、イメージのグレースケール領域に対応するピクセルをグレースケールに見えるように制御することにより、グレースケール領域をディスプレイすることができる。イメージのグレースケール領域に対応する前方ディスプレイ１５０のピクセルは、透明に見えるように制御される。そのように、イメージのグレースケール部分を生成するために、装置１００の前面を見るとき、後方ディスプレイ１４０からのグレースケールピクセルが見える。
【０１９１】
特定実施形態において、後方ディスプレイ１４０は、赤色、緑色または青色を表示する前方ディスプレイ１５０のピクセルと整列されるピクセルが、少なくとも部分的に不透明または不透明（黒色、白色またはグレースケール）に見えるように制御することができる。後方ディスプレイ１４０は、カラーをディスプレイする前方ディスプレイ１５０のピクセル後ろに重畳する後方ディスプレイ１４０において、不透明ピクセル、または少なくとも部分的に不透明なピクセルをディスプレイすることにより、少なくとも、後方ディスプレイ１４０において、不透明に見えるように制御されるピクセルに対して、ディスプレイ１１０の後ろから出る周辺光を遮断する。該周辺光を低減させることにより、ディスプレイ１１０のコントラストが改善される。
【０１９２】
説明のための非制限的な例として、図４３を参照すれば、ディスプレイ１１０上にディスプレイされたイメージの部分４３０２は、前方ディスプレイ１５０上のイメージ４４０４と重畳されたイメージ４２０２をディスプレイする後方ディスプレイ１４０によって形成される。イメージ４３０２を形成する後方ディスプレイ１４０のピクセルは、黒色、白色またはグレースケールでもある。前方ディスプレイ１５０のイメージ４４０４のピクセルは、任意のカラーでもある。イメージ４４０２を形成する後方ディスプレイ１４０のピクセルは、ディスプレイ装置１００の後ろから周辺光を遮断することにより、ディスプレイ１１０の結果としての結合されたイメージ４３０２に、増大されたコントラストを提供する。
【０１９３】
特定実施形態において、後方ディスプレイ１４０は、ピクセルアドレッシング可能である。他の実施形態において、後方ディスプレイ１４０は、透明度を制御し、光を散乱させたり反射させたり吸収したりするように構成された領域を提供するために、行にアドレスしたり、列にアドレスしたりする。１以上の実施形態において、後方ディスプレイ１４０は、鮮明、グレースケール、白色または黒色をディスプレイするように制御可能な単一ピクセルを含んでもよい。後方ディスプレイ１４０の単一ピクセルは、大体のところ、後方ディスプレイ１４０の大きさを調整することができ、全体後方ディスプレイは、全体的に均一な白色、全体的に均一な黒色、全体的に均一な透明、あるいは全体的に均一なグレースケールになるようにも、電気的に制御される。しかし、後方ディスプレイ１４０の単一ピクセルは、黒色、白色、銀色、赤色、緑色、青色、青緑色、紫紅色または黄色に見えるように染色されるということを知らなければならない。一部実施形態において、ディスプレイ１１０は、ＬＣＤ構成において側面照明を使用するか、あるいは前方照明を使用する。一部実施形態において、ディスプレイ１１０は、タッチ入力層を含む。ディスプレイ１１０は、ビデオ制御器及び／またはプロセッサ（図示せず）の制御下で動作することができるということを知らなければならない。
【０１９４】
図４５Ａないし図４５Ｅは、アルファチャネルを有する部分発光型ピクセルの例を図示する。特定実施形態において、部分発光型ピクセル１６０は、例えば、正方形、直方形または円形のような任意の適する形状を有することができる。図４５Ａないし図４５Ｅに図示された例示的な部分発光型ピクセル１６０は、多様な配列、形態及び大きさを有するサブピクセル及びアルファ領域を有する。図４５Ａないし図４５Ｅの例において、該アルファ領域は、後方ディスプレイ１４０によって提供される。前方ディスプレイ１５０は、後方ディスプレイ１４０のアルファ領域が、それを介して見える赤色、緑色及び青色のサブピクセル、及び実質的に透明な領域を提供する。
【０１９５】
図４５Ａにおいて、部分発光型ピクセル１６０は、３個の隣接した直方形サブピクセル（「Ｒ」、「Ｇ」及び「Ｂ」）、及び３個のサブピクセルの下に位置するアルファ領域を含み、該アルファ領域は、３個のサブピクセルとほぼ同一サイズを有する。図４５Ｂにおいて、部分発光型ピクセル１６０は、３個の隣接した直方形サブピクセル、及び青色サブピクセルに隣接して位置したアルファ領域を含み、該アルファ領域は、各サブピクセルとほぼ同一のサイズ及び形状を有する。図４５Ｃにおいて、部分発光型ピクセル１６０は、四分面のうち３個を占める３個のサブピクセルと、第４四分面に位置したアルファ領域とを有する４個の四分面に細分される。図４５Ｃにおいて、部分発光型ピクセル１６０は、４個のサブピクセルの間、及びその周辺に位置した透明領域を有する４個の正方形サブピクセルに分けられる。図４５Ｄにおいて、部分発光型ピクセル１６０は、４個のサブピクセルの間、及びその周辺に位置した透明領域を有する４個の正方形サブピクセルを有する。図４５Ｅにおいて、部分発光型ピクセル１６０は、４個のサブピクセルの間、及び周辺に位置したアルファ領域を有する４個の円形サブピクセルを有する。本開示は、特定配列、形状及び大きさを有する特定サブピクセル及びアルファ領域を有する特定部分発光型ピクセルを記述して例示するが、任意の適する配列、形態及び大きさを有する任意の適するサブピクセル及びアルファ領域を有する任意の適する部分発光型ピクセルを考慮する。
【０１９６】
特定実施形態において、図４５Ａないし図４５Ｅに図示された後方ディスプレイ１４０のピクセルは、前方ディスプレイ１５０の部分発光型ピクセルの透明領域と同一サイズを有し、それと整列される。他の実施形態において、図４５Ａないし図４５Ｅに図示された後方ディスプレイ１４０のピクセルは、前方ディスプレイ１５０の部分発光型ピクセル全体と同一サイズを有し、それと整列される。その場合、例えば、後方ディスプレイ１４０のピクセルは、赤色、緑色及び青色のサブピクセル、及び実質的に透明な領域を含む前方ディスプレイ１５０のピクセル面積で大きさが決まるであろう。
【０１９７】
図４６は、ディスプレイ１１０の他の具現例を図示する。図４６の実施形態において、前方層１５０は、部分発光型ピクセル１６０を含む。特定実施形態において、層１５０の部分発光型ピクセルは、サブピクセル４６０２に図示された３個の隣接したサブピクセル（「Ｒ」、「Ｇ」及び「Ｂ」）を含み、後方層１４０のピクセルは、アルファ領域４６０４を提供する。透明な伝導性ライン４６０６は、前方ディスプレイ１５０の「Ｒ」，「Ｇ」及び「Ｂ」サブピクセル４６０２に対する制御信号を提供する。
【０１９８】
図４５を参照して説明されたように、該アルファ領域は、後方ディスプレイ１４０によって生成され、前方ディスプレイ１５０の部分発光型ピクセルの透明領域を介して見える。図４６の例において、サブピクセル４６０２は、ＯＬＥＤである。アルファ領域４６０４は、後方ディスプレイ１４０の特定具現により、透明、黒色、グレースケールまたは白色をディスプレイするように構成可能である。図４６の例において、アルファ領域４６０４−１は、白色を表示するか、あるいは不透明に見えるように構成される。アルファ領域４６０４−２は、黒色を表示するか、あるいは光を吸収するように構成される。図４６の例は、ＴＯＬＥＤディスプレイである前方ディスプレイ１５０は、前方ディスプレイ１５０が、依然として増大されたコントラストを提供しながら、他のＴＯＬＥＤディスプレイより高透明度を達成することができるようにする固定された黒色マスクを含む必要がないということを図示する。
【０１９９】
特定実施形態において、図４３及び図４４を参照すれば、イメージの白色（黒色）領域がディスプレイ１１０によってディスプレイされるとき、白色（黒色）領域に対応する後方ディスプレイ１４０のピクセルは、白色（黒色）に示されるように制御される。白色（黒色）領域に対応する前方ディスプレイ１５０のピクセルは、「Ｒ」，「Ｇ」及び「Ｂ」サブピクセルがオフにあるように制御される。特定実施形態において、図４３及び図４４を参照すれば、イメージの選択された領域に対応する後方ディスプレイ１４０のピクセルの透明度は、周辺光を遮断するか、あるいは少なくとも部分的に遮断するように、白色、グレースケール、黒色、または他のカラーで示されるように制御される。イメージの選択された領域に対応する前方ディスプレイ１５０のピクセルは、意図されたカラーを生成するために、「Ｒ」，「Ｇ」及び「Ｂ」サブピクセルが適切にオンになるように制御される。また、使用された、実質的に透明な領域の量は、所望の透明性及びピクセル密度を達成するために、ディスプレイ１１０の適用または使用に基づいても変更される。
【０２００】
図４７は、カメラを含む例示的なディスプレイ装置の分解図を図示する。図４７の例において、ディスプレイ装置１００は、カメラ４７０２を含む。カメラ４７０２は、イメージ及び／またはビデオ（以下、総称し、「イメージデータ」とする）をキャプチャすることができる。カメラ４７０２は、ディスプレイ装置１００のケースまたはハウジングに装着され、図５に係わって説明されたように、前方ディスプレイ１５０の前方において、視野コーン内部に向くように外側に向くことができる。
【０２０１】
カメラ４７０２は、メモリ４７０４に連結される。メモリ４７０４は、プロセッサ４７０６に連結される。メモリとプロセッサとの例は、ここで、図３２に係わって説明される。一様態において、メモリ４７０４は、カメラ４７０２からの命令、及びイメージデータのようなデータを保存するように構成されたローカルメモリとしても具現される。プロセッサ４７０６は、透明ディスプレイ（例えば、後方ディスプレイ１４０）のピクセルと、透明カラーディスプレイ（例えば、前方ディスプレイ１５０）の部分発光型ピクセルとのアドレッシング可能な領域の透明度を制御するための動作を開始するように、メモリ４７０４に保存された命令を実行することができる。
【０２０２】
プロセッサ４７０６は、メモリ４７０２に保存された命令を実行し、イメージデータを分析することができる。特定実施形態において、プロセッサ４７０６は、イメージデータからビューイングコーン内の人視線を検出することができ、視線、またはディスプレイ１１０の表面に対するユーザの目の角度に基づいて、前方ディスプレイ１５０のピクセルと、後方ディスプレイ１４０のピクセルとのシースルー重畳（see-through overlap）を決定することができ、プロセッサ４７０６は、決定されたシースルー重畳に応答し、後方ディスプレイ１４０の１以上のピクセル、または全てのピクセルの透明度を調整することができ、かつ／または前方ディスプレイ１５０の部分発光型ピクセルの１以上、または全体のアドレッシング可能な領域を調整することができる。例えば、後方ディスプレイ１４０のピクセルの透明性、及び／または前方ディスプレイ１５０の部分発光型ピクセルのアドレッシング可能領域を、前述したように調整することにより、プロセッサ４７０６は、それぞれのディスプレイによってディスプレイされた任意のイメージの領域が、ユーザの視野角（例えば、視線）に対して整列するように、後方ディスプレイ１４０の動作を、前方ディスプレイ１５０と同期化することができる。プロセッサ４７０６は、経時的なユーザの視野角（例えば、視線）変化による整列のために、後方ディスプレイ１４０上及び前方ディスプレイ１５０上にディスプレイされるイメージを動的に調整することができる。
【０２０３】
例えば、プロセッサ４７０６は、イメージデータ内において、人間またはユーザを検出するために、イメージデータに対する客体認識を行うことができる。一類型において、プロセッサ４７０６は、ユーザの顔を検出し、目のような特徴を認識する。プロセッサ４７０６は、ディスプレイ１１０の表面に対するユーザの目方向を決定することができる。プロセッサ４７０６は、ユーザの目方向に基づいて、後方ディスプレイ１４０のピクセルに対する前方ディスプレイ１５０のピクセルのシースルー重畳を決定することができる。
【０２０４】
ここに記述された例示的な実施形態は、周囲光を遮断し、かつ／または黒色ピクセルを生成することにより、ディスプレイのコントラストを向上させる。記述されているようにコントラストを増大させる能力は、前方ディスプレイ１５０、例えば、透明なカラーディスプレイが低い輝度で動作することができるということを意味する。例えば、前方ディスプレイ１５０は、「Ｒ」，「Ｇ」及び「Ｂ」サブピクセルを駆動するラインに伝達する電流量を低減させることができる。ディスプレイ１１０を駆動するのに必要な電流の低下は、パネルサイズの改善された拡張性（scalability）、ディスプレイ１１０の改善された寿命を容易にし、ユーザが経験する目の疲れを低減させるのに一助となる。
【０２０５】
図４３ないし図４７を参照すれば、１以上の実施形態において、後方ディスプレイ１４０は、染料を含まない１以上のピクセルを含んでもよい。１以上の実施形態において、後方ディスプレイ１４０は、それぞれのピクセルが、染料を含む１以上のピクセルを含んでもよい。１以上の実施形態において、後方ディスプレイ１４０は、後方ディスプレイ１４０の一部ピクセル、例えば、ピクセルのサブセットだけが染料を含む複数のピクセルを含んでもよい。また、特定様態において、異なる染料が異なるピクセルについて使用されることができる。例えば、後方ディスプレイ１４０は、第１染料カラーを含む１以上のピクセル、第２染料カラー、及び他の染料カラーを含む１以上のピクセルなどを含んでもよい。後方ディスプレイ１４０は、３種以上の染色されたピクセルを含んでもよい。例えば、後方ディスプレイ１４０は、黒色に染色された１以上のピクセル、白色に染色された１以上のピクセル、銀色に染色された１以上のピクセル、赤色に染色された１以上のピクセル、緑色に染色された１以上のピクセル、青緑色に染色された１以上のピクセル、紫紅色に染色された１以上のピクセル、黄色に染色された１以上のピクセル、あるいはそれらの任意の組み合わせを含んでもよい。
【０２０６】
後方ディスプレイ１４０は、前方ディスプレイ１５０のピクセルが、透明に（例えば、明確に）見えるように制御されるとき、前方ディスプレイ１５０のピクセル後ろに表示されるか、あるいは見えるピクセル（例えば、部分発光型ピクセル）の特定カラーに依存し、前方ディスプレイ１５０によって発光されたイメージの１以上の他のカラー領域をディスプレイすることができる。後方ディスプレイ１４０は、またカラーをディスプレイするように制御される前方ディスプレイ１５０のピクセル後ろに、例えば、重畳して、他のカラーピクセル（例えば、少なくとも部分的に不透明な）をディスプレイすることができる。それと係わり、アルファチャネルは、染色されるか、あるいは染色されていない１以上のピクセルを使用しても具現される。染色されたピクセルは、黒色、白、銀色、赤色、緑色、青色、青緑色、紫紅色、黄色、または染色されたピクセルの任意の組み合わせを含んでもよい。
【０２０７】
図４３ないし図４７に係わって説明されたように、構成されたディスプレイ１１０は、ピクセル単位で、後方ディスプレイ１４０のピクセルの透明度を変化させることにより、透明であって黒色、または透明であって白色に至るカラーを含むイメージをディスプレイすることができる。図４３ないし図４７に係わって説明されたように、ディスプレイ１１０は、多様な他の装置、機器またはシステムのうち任意の装置内にも統合される。ディスプレイ１１０を含む例示的な装置は、タブレットコンピュータ；モバイルフォン；大型フォーマットディスプレイ；公共ディスプレイ；ウィンドー；ラップトップコンピュータ；カメラ；透視型ディスプレイ；ヘッド装着型ディスプレイ；ヘッドアップディスプレイ；ヘッドセット、めがね、携帯電話及びタブレットコンピュータのような仮想現実装備；ヘッドセット、めがね、携帯電話及びタブレットコンピュータのような拡大現実装備；及び他の適する装置を含むが、それらに限定されるものではない。
【０２０８】
図４８は、ディスプレイを具現するための例示的な方法（４８００）を図示する。１以上の実施形態において、方法（４８００）は、図４３ないし図４７に係わり、そこで説明されたようなディスプレイの具現に使用される。
【０２０９】
ブロック（４８０２）において、例えば、第１透明ディスプレイが複数のピクセルを含むようにも製造される。第１ディスプレイの複数ピクセルそれぞれの透明度は、電気的に制御される。１以上の実施形態において、第１透明ディスプレイの複数のピクセルは、鮮明、白色、グレースケールまたは黒色にディスプレイされるように、電気的に制御可能である。
【０２１０】
ブロック（４８０４）において、第２透明ディスプレイが提供される。１以上の実施形態において、第２透明ディスプレイは、イメージを放出するようにも製造される。例示的な実施形態において、第２透明ディスプレイは、第１透明ディスプレイ前に配置される。特定実施形態において、第２透明ディスプレイは、カラー透明ディスプレイである。一様態において、第２透明ディスプレイは、複数の部分発光型ピクセルを含み、それぞれの部分発光型ピクセルは、アドレッシング可能領域、及び鮮やかな領域（clear region）を有する。
【０２１１】
１以上の実施形態において、第２透明ディスプレイは、発光型ディスプレイにおいて第１透明ディスプレイは、非発光型ディスプレイである。例えば、該非発光型ディスプレイは、ポリマー分散型液晶ディスプレイ、電子クロムディスプレイ、電気分散型ディスプレイまたは電気湿潤ディスプレイでもある。該発光型ディスプレイは、液晶ディスプレイ、発光ダイオードディスプレイあるいは有機発光ダイオードディスプレイでもある。特定例において、該発光型ディスプレイは、透明な有機発光ダイオードディスプレイであり、該非発光型ディスプレイは、電気泳動ディスプレイである。他の例において、該発光型ディスプレイは、透明発光ダイオードディスプレイであり、該非発光型ディスプレイは、スメクチックＡ液晶を含む液晶ディスプレイである。
【０２１２】
ブロック（４８０６）において、第１透明ディスプレイ及び第２透明ディスプレイを含む装置は、イメージ、または一連のイメージをディスプレイする。１以上の実施形態において、イメージの黒色領域に対応する第２透明ディスプレイの領域が透明であり、イメージの黒色領域に対応する第１透明ディスプレイの領域が黒色に見えることにより、イメージの黒色領域が表示される。１以上の実施形態において、イメージのカラー領域に対応する第２透明ディスプレイは、カラーをディスプレイし、カラー領域に対応する第１透明ディスプレイの領域は、不透明に見えることにより、イメージがディスプレイされる。イメージのカラー領域をディスプレイするために、記述された動作は、イメージの黒色領域をディスプレイするための動作と同時にも遂行される。
【０２１３】
特定実施形態において、第１透明ディスプレイのピクセルは、第２透明ディスプレイの部分発光型ピクセルと整列され、第２透明ディスプレイの部分発光型ピクセルの鮮やかな領域を介して見える。
【０２１４】
ブロック（４８０８）において、メモリ及びプロセッサが選択的に提供される。該メモリは、指示を保存することができる。該プロセッサは、該メモリに連結される。指示の実行に応答し、該プロセッサは、第１透明ディスプレイのピクセルの透明性、及び第２透明ディスプレイの部分発光型ピクセルのアドレス可能領域を制御するための動作を開始することができる。
【０２１５】
１以上の実施形態において、カメラが選択的に提供される。例えば、カメラは、第２透明ディスプレイの前にあるビューイングコーンに係わるイメージデータを生成することができる。言及されたように、第２透明ディスプレイは、第１透明ディスプレイ前にも配置される。例えば、該プロセッサは、イメージデータを分析し、イメージデータからビューイングコーン内の肉眼を検出することができる。また、該プロセッサは、ユーザの目、またはユーザの位置に基づいて、第１透明ディスプレイのピクセルと、第２透明ディスプレイのピクセルとのシースルー重畳を決定することができる。
【０２１６】
特定実施形態において、該プロセッサは、シースルー重畳に基づいて、第１透明ディスプレイ及び／または第２透明ディスプレイのピクセルを調整することができる。例えば、該プロセッサは、シースルー重畳（例えば、ディスプレイに対するユーザ目の角度及び／または位置）に基づいて、第１透明ディスプレイによってディスプレイされたイメージの領域を、第２透明ディスプレイによってディスプレイされたイメージの対応する領域と整列することができる。
【０２１７】
一例示において、第１透明ディスプレイ及び第２透明ディスプレイは、（例えば、図４４に図示されているように）互いに実質的に平行でもある。動作モードにおいて、第１透明ディスプレイ及び第２透明ディスプレイが、実質的に整列された状態で、第１透明ディスプレイによって表示された（イメージの）領域は、第２透明ディスプレイによってディスプレイされる（同一イメージの領域）対応する領域と整列される。該プロセッサは、ユーザの視野角（例えば、視野角が変化する）に見えるとき、第１ディスプレイによってディスプレイされた領域、及び／または第２透明ディスプレイによってディスプレイされた同一イメージの対応領域が整列されるようにシフトされる。
【０２１８】
図４９は、ディスプレイ動作のための例示的な方法（４９００）を図示する。１以上の実施形態において、該ディスプレイは、図４３ないし図４７に係わって説明された例示的なディスプレイとして具現される。
【０２１９】
ブロック（４９０２）において、装置上にディスプレイされるイメージが受信される。前記装置は、装置のカメラから、装置の他の回路から、装置外部のソースから、装置のメモリから、あるいは指示を実行する装置のプロセッサに応答し、イメージを受信することができる。前記装置は、第１透明ディスプレイ及び第２透明ディスプレイを含んでもよい。第１透明ディスプレイは、複数のピクセルを含み、複数のピクセルそれぞれの透明度は、電気的に制御される。第２透明ディスプレイは、イメージを放出することができる。
【０２２０】
１以上の実施形態において、第２透明ディスプレイは、カラー透明ディスプレイである。特定実施形態において、第２透明ディスプレイは、第１透明ディスプレイの前方に位置する。
【０２２１】
ブロック（４９０４）において、イメージは、装置上にディスプレイされる。１以上の実施形態において、該イメージの黒色領域に対応する第２透明ディスプレイの領域は、透明にさせ、イメージの黒色領域に対応する第１透明ディスプレイの領域は、黒色に示されるようにすることにより、イメージの黒色領域が見える。１以上の実施形態において、イメージのカラー領域に対応する第２透明ディスプレイの領域は、カラーをディスプレイし、カラー領域に対応する第１透明ディスプレイの領域は、不透明に示される。イメージのカラー領域をディスプレイするために、記述された動作は、イメージの黒色領域をディスプレイするための動作と同時にも遂行される。
【０２２２】
ブロック（４９０６）において、シースルー重畳が選択的に決定される。例えば、該プロセッサは、第２透明ディスプレイのピクセルと、第１透明ディスプレイのピクセルとのシースルー重畳を決定することができる。該シースルー重畳は、装置に統合されるカメラによってキャプチャされたイメージデータから、ユーザの視野角及び／または視線を検出することにより、イメージ処理を使用して決定される。該シースルー重畳は、ユーザの視野角（例えば、視線及び／または位置）が与えられれば、第１透明ディスプレイによってディスプレイされたイメージの領域が、第２透明ディスプレイによってディスプレイされた同一イメージの領域と整列されるか否かということを指示する。
【０２２３】
ブロック（４９０８）において、第１ディスプレイ及び／または第２ディスプレイの１以上のピクセルは、シースルー重畳に基づいて、選択的に調整される。１以上の実施形態において、第２透明ディスプレイは、複数のピクセルを含み、第２透明ディスプレイの複数のピクセルそれぞれの透明度は、電気的に制御される。その場合、装置のプロセッサは、シースルー重畳に基づいて、第１透明ディスプレイの１以上、または全てのピクセルの透明度を調整することができる。１以上の他の実施形態において、装置のプロセッサは、シースルー重畳に基づいて、第２透明ディスプレイの１以上、または全てのピクセルの外観（例えば、カラー及び／または透明性）を調整することができる。該プロセッサは、シースルー重畳に基づいて、第１透明ディスプレイ及び第２透明ディスプレイのいずれの１以上、または全てのピクセルを同時に調整することができるということを知らなければならない。例えば、装置に対するユーザの視野角及び／または位置が与えられれば、該プロセッサは、記述されているように、ピクセルを調節することができ、第１透明ディスプレイによってディスプレイされたイメージの領域が、第２透明ディスプレイによってディスプレイされた同一イメージの対応する領域と整列される。
【０２２４】
図５０は、他の例のディスプレイ１１０の分解図を図示する。図５０において、後方ディスプレイ１４０のような第１ディスプレイは、前方ディスプレイ１５０のような第２ディスプレイと共に表示される。図５０において、後方ディスプレイ１４０及び前方ディスプレイ１５０は、本明細書で説明されたように整列される。例えば、前方ディスプレイ１５０及び後方ディスプレイ１４０のピクセルは、その境界が、互いに真上または真下に位置するようにも整列され、かつ／または１ディスプレイのピクセルの透明領域が、他のディスプレイのピクセルのアドレッシング可能な領域と重畳されるようにも整列され、その反対でもある。
【０２２５】
後方ディスプレイ１４０は、カラーディスプレイとしても具現される。例えば、後方ディスプレイ１４０は、任意の適する光発光（例えば、放出）層または光変調層としても具現される。後方ディスプレイ１４０の例示的な具現は、ＬＣＤ、発光ダイオードディスプレイ（light emitting diode display）、光強化層（light enhanced layer）、ＯＬＥＤ及びＱＤを含むが、それらに限定されるものではない。後方ディスプレイ１４０は、イメージを生成するために光を放出するか、あるいはバックライトのような光源を変調することができる。後方ディスプレイ１４０は、透明であるか、あるいは透明ではない。
【０２２６】
前方ディスプレイ１５０は、後方ディスプレイ１４０から光を選択的に拡散させることができる透明ディスプレイとして具現される。例えば、前方ディスプレイ１５０は、後方ディスプレイ１４０で生成された映像に係わる光を拡散させることができる。前方ディスプレイ１５０は、周辺光を散乱させるか、あるいは後方ディスプレイ１４０からの光を拡散させ、視覚効果を生成することができる。前方ディスプレイ１５０の例示的な具現例は、ＰＤＬＣディスプレイ、ＰＳＬＣディスプレイ、電気変色ディスプレイ、電気分散ディスプレイ、電気湿潤ディスプレイ、浮遊粒子装置、ＩＴＯディスプレイ、または任意相に（例えば、ネマチック、ＴＮ、ＳＴＮ、コレステリック、ＳｍＡ、ＳｍＢ、ＳｍＣ）にあるＬＣＤ、あるいは全てのＬＣディスプレイを含むが、それらに限定されるものではない。ディスプレイ１１０は、またタッチ感知層を含んでもよい。
【０２２７】
特定実施形態において、前方ディスプレイ１５０は、１以上の反射型、半透過反射型（transflective）または発光型のディスプレイ層を含む。前方ディスプレイ１５０は、ブラーイング（blurring）及び白色強化、または他のカラー強化のような多様な視覚的効果のうち任意のもの生成を容易にする拡散器として動作することができる。他種の曇り効果の例としては、口径食（vignetting）、速度、動き、深さ、ハイライト層、プライバシー、フィルタ、転換（transition）、フレーム、検閲ブロック及びテクスチャがある。
【０２２８】
特定実施形態において、ディスプレイ１１０は、説明されたように、後方ディスプレイ１４０、前方ディスプレイ１５０として、発光または光変調のディスプレイを使用し、前方照明を統合することができる。特定実施形態において、ディスプレイ１１０は、説明されたように、後方ディスプレイ１４０、前方ディスプレイ１５０として、発光または光変調のディスプレイを使用し、後方照明を含む。後方照明または前方照明が使用される１以上の実施形態において、装置１１０は、また側面照明を含む。ディスプレイ１１０は、前方照明、後方照明及び／または側面照明が使用されるか否かということに係わりなく、タッチ感知層を含んでもよい。
【０２２９】
特定実施形態において、スペーサ５００２は、選択的に、ディスプレイ１１０内に含まれる。スペーサ５００２の追加は、前方ディスプレイ１５０によって生成された散乱量を増大させるように動作可能である。例えば、スペーサ５００２は、後方ディスプレイ１４０と前方ディスプレイ１５０との距離を変化させるためにも調節される。スペーサ５００２は、後方ディスプレイ１４０と前方ディスプレイ１５０との間にも配置される。例えば、１以上のスペーサ５００２は、ディスプレイ１４０，１５０の上軸と連結されたり、ディスプレイ１４０，１５０の一側または両側と連結されたり、ディスプレイ１４０，１５０の下側と連結されたり、ディスプレイのエッジの任意の組み合わせ上にも配置されたりする。ディスプレイ１１０は、１以上のスペーサ５００２を含んでもよい。特定実施形態において、スペーサ５００２は、電子的または機械的にも制御される。後方ディスプレイ１４０と前方ディスプレイ１５０との距離をさらに変化させることにより、前方ディスプレイ１５０によって生成された散乱量が増加されるか、あるいは低減される。例えば、後方ディスプレイ１４０と前方ディスプレイ１５０との距離を増大させれば、前方ディスプレイ１５０によって生成された散乱の量が増加する。
【０２３０】
ディスプレイ１１０は、複数の異なるモードで動作することができる。第１モードにおいて、前方ディスプレイ１５０が透明である間、後方ディスプレイ１４０は、オンになり、カラーイメージをディスプレイする。第２モードにおいて、双安定性のディスプレイ層を含む前方ディスプレイ１５０が電力をほとんど消耗せず、イメージ、または他の情報をディスプレイすることができる間、後方ディスプレイは、オフ状態である。第３または「周辺」モードにおいて、ディスプレイ１１０は、前方ディスプレイ１５０を使用し、周辺光を拡散させることにより、白色を強化させることができる。第４または「バックライト」モードにおいて、ディスプレイ１１０は、周辺光を拡散させ、また一方、後方ディスプレイ１４０を使用して強化されたカラーのピクセルを生成することにより、黒色、白色、銀（例えば、ＴｉＯ２）、赤色、緑色、青色、青緑色、紫紅色及び黄色のようなカラーを強化することができる。第５モードにおいて、ディスプレイ１１０は、後方ディスプレイ１４０のピクセルを拡散させるために、前方ディスプレイ１５０を使用することにより、ブラーイング効果を生成することができる。
【０２３１】
図５０の例において、前方ディスプレイ１５０は、曇り効果を使用し、白色に示されるフレーム５００４をディスプレイするように構成される。前方ディスプレイ１５０の領域５００６は、前方ディスプレイ１５０の透明領域５００６すぐ後にある後方ディスプレイ１４０上にディスプレイされた内容が見られるように透明である。例えば、「Hello」という単語は、後方ディスプレイ１４０によってディスプレイされ、前記内容を取り囲むフレーム５００４を有する前方ディスプレイ１５０の透明な領域５００６を介して見られる。
【０２３２】
図５０の例において、プロセッサ５００８及びメモリ５０１０が含まれる。プロセッサ５００８は、後方ディスプレイ１４０及び前方ディスプレイ１５０の動作を制御するように構成される。１以上の実施形態において、プロセッサ５００８は、ディスプレイ制御器、及び／または他の駆動回路（図示せず）を介して、ディスプレイ１１０を制御することができる。１以上の実施形態において、プロセッサ５００８及び／またはメモリ５０１０は、ディスプレイ制御器の一部である。プロセッサ５０１０は、ここに記述されたディスプレイ１１０の多様な動作モードを開始させる。特定実施形態において、ディスプレイ１１０は、周辺モードで動作することができ、該周辺モードにおいて、後方ディスプレイ１４０は、プロセッサ５００８の制御下、イメージを生成する光を放出または変調することができる一方、前方ディスプレイ１５０は、プロセッサ５００８の制御下、周辺光を散乱させ、後方ディスプレイ１４０からの光を拡散する。プロセッサ５００８は、１以上の視覚効果を生成、及び／またはここで記述された任意の多様な動作モードを遂行するために、以前に記述されたように動作するように、後方ディスプレイ１４０及び前方ディスプレイ１５０の動作を制御することができる。
【０２３３】
特定実施形態において、ディスプレイ１１０は、白色を示す後方ディスプレイ１４０の領域、及び／またはピクセルと整列された領域、及び／またはピクセルにおいて、周辺光を拡散させることにより、白色カラーを強化させるように動作するバックライトモードで動作する。白色ピクセルを生成するために、後方ディスプレイ１４０と前方ディスプレイ１５０とをいずれも使用することにより、特に、明るい照明環境において、後方ディスプレイ１４０の白色ピクセルを駆動するのに必要な電流が少ないために、白色に示されるピクセルを生成するために、ディスプレイ１１０によって使用される電力量が低減される。後方ディスプレイ１４０から、明るい白色ピクセルを使用せずに、白色をディスプレイする能力は、低照度環境において、ユーザのための目の疲れを低減させるところにさらに一助となる。
【０２３４】
特定実施形態において、プロセッサ５００８は、メモリ５０１０にも保存されるイメージデータを指定する信号を受信することができる。該イメージデータは、その中に、他層、チャネル、タッグ、あるいはメタデータとして内蔵された情報を含む。内蔵された情報は、またディスプレイ１１０によってディスプレイされるイメージデータと時間を置いてディスプレイ１１０によって具現される特定視覚効果をエンコーディングする。一類型において、内蔵された情報は、そこに具体化された特定視覚効果を具現するためのイメージデータから、プロセッサ５００８によって獲得されるか、あるいは読み取られる。例えば、内蔵された情報は、ＲＧＢ情報を提供するチャネルとは別個の拡散チャネルまたは散乱チャネルのような個別チャネルと見なされる。内蔵された情報を読み取ることに応答し、プロセッサ５００８は、内蔵された情報によって特定された視覚効果を生成するために、前方ディスプレイ１５０及び／または後方ディスプレイ１４０を制御する。プロセッサ５００８は、後方ディスプレイ１４０及び前方ディスプレイ１５０が、互いに同期化及び／または整列して作動するように制御する。
【０２３５】
特定実施形態において、プロセッサ５００８は、受信された信号から獲得されたイメージデータに対して、イメージプロセッシングを行うことができる。プロセッサ５００８は、プロセッサ５００８が、特定視覚効果及び／または動作モードを開始するか、あるいは具現させるイメージデータの特定条件を検出することができる。そのような方式で、プロセッサ５００８は、受信されたビデオ信号を処理し、例えば、前方ディスプレイ１５０のような散乱層を活性化する時期を決定することができる。例示的であって非制限的な例として、前面ディスプレイ１５０は、透明であるか、あるいは実質的に透明にも制御される。例えば、プロセッサ５００８は、イメージデータ、センサデータ、あるいはイメージデータとセンサデータとの組み合わせから既定条件を検出することに応答し、リアルタイムで、前方ディスプレイ１５０を動的に活性化させ、光を拡散させることができる。一般的には、該条件は、受信された信号から伝達されるか、あるいはイメージデータ（例えば、散乱チャネルと対照的に（as opposed to the scatter channel））に内蔵された他の情報と対照的に、イメージデータ及び／またはセンサデータの内容の属性を参照する。
【０２３６】
例示的であって非制限的な例として、プロセッサ５００８は、イメージプロセッシングを利用してイメージデータを分析し、不適切なコンテンツを検出することができる。例えば、プロセッサ４６０８は、光学文字認識、または他の客体識別を行うことにより、あるいはビデオ信号によって特定されたイメージと、受信された信号をマッチングさせる不適切なコンテンツのイメージを含むイメージライブラリを比較ことにより、不適切なコンテンツを検出することができる。そのような場合、プロセッサ５００８は、不適なコンテンツを表示するように決定された後方ディスプレイ１４０全体、または後方ディスプレイ１４０の領域を隠したり覆ったりするために、前方ディスプレイ１５０の動作を制御することにより、検閲または遮断の効果、例えば、ブラーイング効果を具現することができる。プロセッサ５００８は、ブラーイングされたりマスキングされたりするイメージ内の領域、またはテキストの位置及び／または領域、またはテキストの形状を決定することができる。プロセッサ５００８は、前方ディスプレイ１５０のピクセルを制御し、後方ディスプレイ１４０によって放出された決定された領域をブラーイングする。他の例において、プロセッサ５００８は、リアルタイム及び／または実質的にリアルタイムに、イメージデータ内の白色領域を識別し、ディスプレイ１１０上にディスプレイされるとき、そのような領域が強化されるように、ディスプレイ１５０及び／または後方ディスプレイ１４０を制御することができる。他の例において、プロセッサ４２０４は、リアルタイム及び／または実質的にリアルタイムに、イメージデータ内の特定パターンやテクスチャを検出し、該パターンや該テクスチャを強化するために、前方ディスプレイ１５０を制御することができる。
【０２３７】
プロセッサ５００８を使用し、イメージ及び／またはビデオ信号のコンテンツを検出し、検出されたコンテンツに基づいて、かつ／またはそれに応答し、前方ディスプレイ１５０を使用して効果を適用することにより、本来のコンテンツは修正される必要がない。言い替えすれば、ここに記述された実施形態は、本明細書で説明されたイメージプロセッシングを適用し、前方ディスプレイ１５０を使用して視覚効果を適用することにより、従来のビデオ信号が受信されるとき、説明された動作を動的に遂行することができる。
【０２３８】
１以上の実施形態において、プロセッサ５００８は、受信された信号内、またはイメージデータに内蔵されたインベデッド情報を検出することができ、一方また、イメージデータ内で検出された他の条件に基づいて、かつ／またはセンサデータに基づいて、視覚効果を動的に適用することができる。
【０２３９】
特定実施形態において、ユーザインターフェースが提供される。ユーザインターフェースは、ディスプレイ１１０に含まれ、かつ／またはディスプレイ１１０上に生成され、ディスプレイされ、１以上のボタン、スイッチ及び／またはタッチインターフェースを含んでもよい。該ユーザインターフェースを介して、ユーザは、ディスプレイ１１０動作の様態を構成することができる。ユーザがユーザインターフェースを介して構成することができる動作の例は、前方ディスプレイ１５０の活性化または非活性化、視覚効果を生成するためのソースの選択、使用されることができるか、あるいは使用される予定である特定視覚効果の具体化、１以上の視覚効果または視覚効果それぞれの強度や量の具体化でもあるが、それらに限定されるのではない。ソース選択に係わり、例えば、ユーザは、タッグやイメージデータに内蔵された他の情報に基づいて、あるいはイメージ処理（例えば、動的に）に基づいて、センサデータ、あるいはそれらの任意の結合に基づいて、視覚効果が適用されるか否かということを特定することができる。
【０２４０】
ディスプレイ１１０は、図５０を参照して説明されたように、任意の多様な他種の装置、機器またはシステムに統合されるか、あるいはそれらの中でも使用される。例えば、ディスプレイ１１０は、テレビ、公共ディスプレイ、モニタ、モバイルフォン、タブレットコンピュータ、電子読み取り機、広告パネル、ウェアラブル機器、デジタルカメラ、ヘッドアップディスプレイ、そして透明ディスプレイの具現のためにも使用される。
【０２４１】
図５１は、他の例のディスプレイ１１０を図示する。図５１において、信号５１０２は、散乱情報（例えば、散乱チャネル）を駆動回路５１０４に伝達する。該駆動回路は、前方ディスプレイ１５０の動作を制御する。さらに具体的には、駆動回路５１０４は、信号５１０２からの散乱情報をデコーディングし、信号５１０２に基づいて、前方ディスプレイ１５０の個々ピクセルを制御することができる。信号５１０６は、赤色、緑色及び青色のビデオデータを駆動回路５１０８に伝達する。駆動回路５１０８は、信号５１０６をデコーディングし、信号５１０６に基づいて、読み取りディスプレイ１４０の個別ピクセルを制御することができる。図示されているように、前方ディスプレイ１５０は、後方ディスプレイ１４０から放出された赤色光、緑色光及び青色光を拡散させることができる。
【０２４２】
図５２は、他の例示的なディスプレイ１１０を図示する。例示の目的上、駆動回路５１０４及び駆動回路５１０８は、図示されていない。図５２の実施形態において、プロセッサ５００８は、含まれ、信号５１０６を処理することができる。例えば、イメージプロセッサとしても具現されるプロセッサ５００８は、信号５１０６を（例えば、駆動期回路を介して）後方ディスプレイ１４０に出力する。また、プロセッサ５００８は、信号５１０６から信号５１０２を生成または誘導し、信号５１０２を（例えば、駆動期回路を介して）前方ディスプレイ１５０に提供することができる。
【０２４３】
１以上の実施形態において、プロセッサ５００８は、信号５１０６から、内蔵データ（embedded data）を抽出し、内蔵データから信号５１０２を生成することができる。述べられたように、該内蔵データは、遂行されるコントラスト強化及び／またはカラー強化のような動作モード、及び／または特定タイプの効果を示すことができる。プロセッサ５００８は、信号５１０２のようなデータをエンコーディングすることができる。特定実施形態において、プロセッサ５００８は、信号５１０６及び／またはセンサデータの内容を分析することができ、遂行される動作モード及び／または特定タイプの効果を決定する。プロセッサ５００８は、信号５１０２を生成し、信号５１０２は、そのような動作をエンコーディングし、本明細書において説明された動作モード及び／または効果を具現するために、前方ディスプレイ１５０のピクセルの動作を制御する。
【０２４４】
図５３は、他の例のディスプレイ１１０を図示する。図５３に図示されているように、１以上のセンサ３７０６が含まれる。１以上のセンサ３７０６は、前方ディスプレイ１５０のエッジに含まれるか、前方ディスプレイ１５０全体に分散されるか、あるいはディスプレイ１１０のハウジング内の１以上の位置、または他の適切な位置に含まれてもよい。センサ３７０６は、ディスプレイ１１０内の任意の適切な位置、またはその中に含まれてもよい。述べられたように、特定実施形態において、１以上のセンサ３７０６は、光を検出するように構成される。光を感知するセンサの例としては、フォトダイオード及びフォトトランジスタがあるが、それらに限定されるものではない。特定実施形態において、１以上、または全てのセンサ３７０６は、ユーザの物理的存在、ディスプレイ１１０に対するユーザの近接距離及び／または距離、ユーザのアイデンティティ、ユーザの位置、並びに／またはここで記述されたユーザの任意の多様な属性を検出することができる。例えば、１以上、または全てのセンサ３７０６は、カメラによっても具現される。一実施形態において、センサ３７０６は、光強度及び／または色相のような光を検出するように構成されたセンサ（例えば、光ダイオード及び／または光トランジスタ）、及びユーザ、ユーザの近接性、並びに／またはユーザのアイデンティティを検出することができる他タイプのセンサの組み合わせを含んでもよい。１以上の実施形態において、プロセッサ５００８は、センサ３７０６によって生成されたセンサデータ上で動作することができる。プロセッサ５００８は、センサ３７０６から獲得されたセンサデータに少なくとも部分的に基づいて、信号５１０２及び／または信号５１０４を変調することができる。特定実施形態において、プロセッサ５００８は、センサ３７０６から周辺光のレベルを検出することができる。プロセッサ５００８は、後方ディスプレイ１５０を活性化し、前方ディスプレイ１５０の選択されたピクセルが、それ以上透明ではなく、代わりに検出された周辺光のレベルに基づいて、光を拡散させる。選択されたピクセルは、光を拡散させ、色強化を具現することができる。例えば、周辺光の臨界レベルまたは臨界量を感知することに応答し、プロセッサ５００８は、後方ディスプレイ１４０が白色に示される領域のような選択された領域で光を拡散させるように、前方ディスプレイ１５０を制御することができる。従って、高い周辺光を有する環境において、ディスプレイ１１０は、色強化を介して増加されたコントラストを提供することができる。
【０２４５】
例えば、プロセッサ５００８は、後方ディスプレイ１４０によって放出されたイメージのイメージ輝度に基づいて、前方ディスプレイ１５０のピクセルを制御することができる。臨界値より大きい平均イメージ輝度を有する後方ディスプレイ１４０の領域と重畳される前方ディスプレイ１５０の領域において、プロセッサ５００８は、前方ディスプレイ１５０のピクセルが光散乱される。また、プロセッサ５００８は、前方ディスプレイ１５０のピクセルによって提供される散乱量を制御することができる。１以上の実施形態において、例えば、臨界イメージ輝度より高いイメージ輝度を有する後方ディスプレイ１４０によってディスプレイされるイメージの領域が検出される。そのような領域は、白色テキストまたは文字を含むが、それらに制限されないイメージの白色領域でもある。臨界イメージ輝度を超えるイメージ輝度を有する領域において、ディスプレイ１５０を使用して光を拡散させることにより、ディスプレイ１１０は、高い周辺光条件において増大されたコントラストを介して、読み取りがさらに容易になる。
【０２４６】
例えば、白色カラーの場合、プロセッサ５００８は、光を拡散させるために白色に見える後方ディスプレイ１４０によってディスプレイされたイメージの領域と整列された前方ディスプレイ１５０のピクセルを制御することにより、白色強化を行うことができ、ディスプレイされたイメージの白色カラーを強化させ、ディスプレイ１１０のコントラストを増大させる。例えば、光を散乱させるように構成された前方ディスプレイ１５０のピクセルは、さらに周辺光を散乱させる。そのような構成において、周辺光のレベルが高いほど、白色に見える後方ディスプレイ１４０によって生成されたイメージの白色領域（例えば、ピクセル）と重畳されるか、あるいは整列される前方ディスプレイ１５０のピクセルを使用して光を拡散させることにより、生成されるコントラストがさらに大きくなる。
【０２４７】
特定実施形態において、例えば、周辺光レベルがセンサデータから決定されたように臨界値を超えるとき、高い周辺光環境において、前述したような白色強化を行う場合、プロセッサ５００８は、後方ディスプレイ１４０によって生成された光パワー及び光量を低減させることができる。例えば、プロセッサ５００８は、後方ディスプレイ１４０が、ＬＣＤディスプレイまたはＯＬＥＤディスプレイであるとき、生成された光量、及び／またはバックライトの量を減少させながら、十分なコントラストまたは増加されたコントラストを依然として達成することができる。
【０２４８】
特定実施形態において、１以上の前方ディスプレイ１５０が含まれてもよいが、ここで、１以上の他の前方ディスプレイ１５０は、異なるカラーを使用して染色される。例えば、前方ディスプレイ１５０のうち一つは、白色を向上させることができる。前方ディスプレイ１５０のうち他の一つは、赤色染料を有するピクセルを有することができ、赤色に染色された前方ディスプレイは、赤色を強化させることができる。色向上モードにおいて、例えば、白色前方ディスプレイ１５０は、白色に見える後方ディスプレイ１４０によってディスプレイされたイメージ領域と重畳される前方ディスプレイの領域において、光を拡散させるように制御され、増大されたコントラストを介して、イメージの白色領域を強化させる。
【０２４９】
赤色染料を有する前方ディスプレイ１５０は、後方ディスプレイ１４０によってディスプレイされるとき、赤色に示されるイメージの領域と重畳される前方ディスプレイの領域で光を拡散させるように制御され、イメージの赤色領域を向上させる。前方ディスプレイ１５０の付加的なものが追加の色相、例えば、緑色、青色、紫紅色、黄色及び黒色を向上させるためにも追加される。
【０２５０】
一般的には、図５０ないし図５３で言及したように、色強化は、後方ディスプレイ１４０がイメージをディスプレイし、選択されたカラーの前方ディスプレイ１５０が選択されたカラーで見える後方ディスプレイ１４０によって生成されたイメージの領域に拡散を適用する状況を意味する。例えば、白色カラー強化は、前方ディスプレイ１５０のピクセルを制御し、白色に見える後方ディスプレイ１４０の領域と整列または重畳される前方ディスプレイ１５０の領域（例えば、それ以上透明ではなく、前方ディスプレイ１５０のピクセルが白色に見える領域）に光を拡散させる。例えば、緑色（または、他色）カラー向上は、前方ディスプレイ１５０のピクセルを制御し、緑色に見える後方ディスプレイ１４０の領域と整列または重畳される前方ディスプレイ１５０の領域（（例えば、前方ディスプレイのピクセルが緑色に染色された領域）に光を拡散させる。
【０２５１】
散乱は、前方ディスプレイ１５０を使用して光を拡散させることを言い、ここで、光を散乱させるように制御されたピクセルは、後方ディスプレイ１４０からの類似カラー領域と共にならない。さらに多量の散乱が前方ディスプレイ１５０のうち多数のものが整列された領域またはピクセルにおいて光を散乱させるように制御されるように、前方ディスプレイ１５０のうち追加のものを積層することにより、達成されるということを理解しなければならない
【０２５２】
図５４Ａないし図５４Ｌは、図５０ないし図５３に係わって説明されたディスプレイ１１０によっても具現される視覚効果の例を図示する。図５４Ａは、前方ディスプレイ１５０によって具現された散乱の例を図示する。図５４Ａの例において、ディスプレイ１５０は、ブラーイング効果を生成するために、光を散乱させる。該ブラーイング効果は、後方ディスプレイ１４０によって表示されるイメージ５４０４上に、口径食５４０２（例えば、口径食の遂行）の生成にも利用される。この例において、口径食５４０２は、白色に見え、ディスプレイ１１０のエッジ近くでは、不透明に見え、イメージ５４０４が見えるようにディスプレイ１１０の中心に向けて移動する増大された透明性を示し始める。
【０２５３】
１以上の実施形態において、口径食５４０２は、散乱情報を伝達する信号から情報をデコーディングするプロセッサに応答し、前方ディスプレイ１５０によっても具現される。１以上の実施形態において、該プロセッサは、受信されたビデオ信号に対してイメージプロセッシングを行い、該イメージプロセッシングに応答し、イメージ５４０４のコンテンツを分析し、視覚的効果を動的に適用することができる。この例において、該プロセッサは、風景を認識することができ、これに応答し、ブラーイングを呼び出し、口径食５４０２を生成する。
【０２５４】
図５４Ｂにおいて、後方ディスプレイ１４０によってディスプレイされるイメージに係わる速度または動き効果を生成するために、前方ディスプレイ１５０を使用して光を散乱させる例を図示する。後方ディスプレイ１４０によって表示されるイメージは、焦点が合うか、あるいは鮮明である。図５４Ｂに図示されているように、前方ディスプレイ１５０は、後方ディスプレイ１４０によってディスプレイされたイメージの特定領域において、光を散乱させ、動き効果を生成する。例示的な例として、プロセッサ５００８は、光学的フロー検出を行い、迅速な動きでもって、イメージ領域を識別することができる。迅速な動きを有するイメージ（例えば、フレームからフレームに）内において、すでに知られた領域を利用し、プロセッサ５００８は、後方ディスプレイ１４０によってディスプレイされたように、迅速な動きを有すると決定された領域と重畳された前方ディスプレイ１５０が光を散乱させる。
【０２５５】
図５４Ｃは、選択された領域にブラーイング効果を提供するために、前方ディスプレイ１５０によって具現された光を散乱させる例を図示する。該ブラーイング効果は、後方ディスプレイ１４０によってディスプレイされたイメージ上において、深さ効果を生成する。図５４Ｃの例において、客体５４０６または視野内において、（例えば、前景（foreground）において）さらに近く位置する形状を含む後方ディスプレイ１４０によってディスプレイされた領域に対して、前方ディスプレイ１５０は、透明になるように制御される。客体５４０８または視野において、（例えば、後景（background）において）さらに遠く位置した形状のような客体を含む後方ディスプレイ１４０によってディスプレイされた領域に対して、前方ディスプレイ１５０は、ブラーイングを適用するように制御される。例えば、前方ディスプレイ１５０は、視野においてさらに遠くある客体に、増大されたブラーイングを適用するように制御される。該ブラーイング効果は、物体５４０６からの視野において増大される距離と共に、漸次増大される。
【０２５６】
１以上の実施形態において、ブラーイング効果は、散乱情報を伝達する信号によって特定される。１以上の他の実施形態において、プロセッサ５００８は、イメージプロセッシングを行い、イメージが１以上の条件を満足させるか否かという決定に応答し、ブラーイング効果を動的に適用することができる。一例示において、プロセッサ５００８は、イメージ、客体、例えば、客体５４０６がイメージに図示された視野の臨界パーセント以上を占めるか否かということを決定することができる。その場合、プロセッサ５００８は、記述されたブラーイング、または図５４Ａに図示された口径食のような他の効果を自動的に適用することができる。
【０２５７】
例示的であって非制限的な例として、プロセッサ５００８は、人物写真、風景、飲食物アイテムのイメージなどを検出することに応答し、前方ディスプレイ１５０を使用し、効果を適用することができる。イメージ処理の遂行において、プロセッサ５００８は、客体認識、顔検出及び／または認識を行うか、あるいはイメージを基準イメージデータベースと比較し、客体を検出し、光学的文字認識（optical character recognition）を行い、かつ／または検出されたテキストを用語辞書と比較する動作を遂行するが、それらに限定されるものではない。記述された技術を使用し、客体検に応答し、プロセッサ５００８は、前方ディスプレイ１５０が認識された客体に、１以上の視覚効果を適用する。
【０２５８】
図５４Ｄは、プライバシー効果を具現するために、前方ディスプレイ１５０によって具現された例を図示する。図５４Ｄの例において、後方ディスプレイ１４０は、イメージをディスプレイし、前方ディスプレイ１５０は、イメージにある人の顔、及び／またはアイデンティティを不明瞭にさせるように、領域５４１０，５４１２に光を散乱させ、プライバシー効果を生成する。前方ディスプレイ１５０のプライバシー効果は、ブラーイングされる後方ディスプレイ１４０の領域上に重畳される。図５４Ｄに図示された効果はまた、テキスト部分を含む不適切なコンテンツを覆うか、あるいは隠すために、検閲効果としても使用される。
【０２５９】
１以上の実施形態において、プロセッサ５００８は、個別チャネルに受信され、かつ／または受信されたビデオ信号内に内蔵された散乱情報に基づいて、プライバシーフィルタが適用される領域を決定する。１以上の他の実施形態において、プロセッサ５００８は、イメージ処理を介して、イメージ内に動的にプライバシーフィルタが適用される客体を認識し、客体認識に応答し、プライバシーフィルタを適用する。
【０２６０】
図５４Ｅは、層効果を生成するためのブラーイング及び白色強化の例を図示する。図５４Ｅの例において、後方ディスプレイ１４０は、イメージをディスプレイし、前方ディスプレイ１５０は、イメージ上端に層を生成する。前方ディスプレイ１５０によって生成された層は、例えば、テキスト５４１６のような１以上のグラフィックまたはタッチ制御（白色不透明ピクセルに生成される）を含むブラーイングされた領域５４１４の生成のためにブラーイングを使用する。前方ディスプレイ１５０は、実質的に透明なサブ領域５４１８をさらに含み、それを介して、後方ディスプレイ１４０に表示されたイメージが見える。
【０２６１】
図５４Ｆないし図５４Ｈは、転移及び／または白色強化の効果を生成するために、前方ディスプレイ１５０を利用して適用する例を図示する。該転移効果は、図５４Ｆから図５４Ｇ、図５４Ｈまで動くように図示される。前方ディスプレイ１５０によって生成されるブラーイング及び／または白色強化は、転移効果または動き効果を生成するために、後方ディスプレイ１４０でディスプレイされるイメージまたは形状の変化に同期し、経時的にも調節される。
【０２６２】
図５４Ｉは、フレーム効果を生成するために、前方ディスプレイ１５０を利用して散乱を適用する例を示す。該フレーム効果は、図５４Ａに係わって説明された口径食効果と類似した効果である。フレーム効果の場合、前方ディスプレイ１５０は、最大ブラーを有するピクセル（実質的に不透明に見える）から実質的に透明なピクセルにさらに遅く遷移することと対照的に、さらに鋭いエッジを生成するように制御される。例えば、前方ディスプレイ１５０によって生成されたように、領域５４２０は、ブラーの最大量が適用され、領域５４２２は、グレースケール（例えば、ブラーの中間量）、領域５４２４は、透明に後方ディスプレイ１４０によってディスプレイされたイメージが見える。図５４Ｊは、テクスチャ効果を生成するために、前方ディスプレイ１５０を利用して散乱を適用した例を図示する。図５４Ｊの例において、前方ディスプレイ１５０によって具現された散乱は、後方ディスプレイ１４０によってディスプレイされた映像にテクスチャを加えるために使用される。
【０２６３】
図５４Ｋは、コントラストを増大させるために、イメージの白色領域に前方ディスプレイ１５０を使用して行われるカラー強化の例を図示する。例えば、臨界値を超える周辺光のレベルを検出することに応答し、前方ディスプレイ１５０は、イメージ内白色テキストが検出される領域上においてブラーイングを適用し、イメージを強化させる。原本イメージは、左側に図示され、前方ディスプレイ１５０によって適用された光拡散の結果として増大されたコントラストを有する強化されたイメージは、右側に図示される。図５４Ｋは、コントラストを増大させるテキストに適用されたハイライト層を図示する。
【０２６４】
図５４Ｌは、後方ディスプレイ１４０によってディスプレイされたイメージ５４３２上に、前方ディスプレイ１５０がティッカテープ５４３０を生成することができる例を図示する。ティッカテープ５４３０は、前方ディスプレイ１５０を使用して情報を伝達するために、スクローリングテキストを提供する一方、後方ディスプレイ１４０は、本来形式でイメージをディスプレイすることができる。
【０２６５】
１以上の実施形態において、ディスプレイ１１０は、メモリ５０１０のようなメモリ内に、１以上のユーザ設定を保存することができる。例えば、設定は、テキストを含む敏感及び／または不明瞭な客体を曇らせるようにするために、散乱を適用するか否かということを、プロセッサ５００８に指示することができる。また、該設定は、積極的なプロセッサ５００８が、ここに記述されたブラーイングをいかように適用するかということを指定することができる。言及されたように、１以上の実施形態において、適用されるブラーの量は、付加された前方ディスプレイ１５０を積層することによって増加され、ここで、それぞれの前方ディスプレイ１５０は、光を拡散させるように、ピクセルを構成することにより、ブラーを適用することができる。
【０２６６】
図５５は、コンテンツ検出、及びその視覚効果の適用例を図示する。図５５の例においては、イメージ５５０２が図示されている。イメージ５５０２は、装置１１０の後方ディスプレイ１４０上にディスプレイされる。イメージ５５０２は、人とテキストとを含む。図５５に図示されているように、プロセッサ５００８は、イメージ５５０２において、人の顔を認識することができる。また、プロセッサ５００８は、イメージ５５０２内のテキストを認識し、さらにテキストが不適切であるか否かということを決定することができる。例えば、プロセッサ５００８は、テキストを、データベース内のテキストと比較して認識することができる。イメージのテキストがデータベースのテキストと一致すると決定したことに応答し、プロセッサ５００８は、イメージのテキストが検閲効果を利用して覆われるか、あるいはぼやかさられなければならないと決定する。
【０２６７】
従って、プロセッサ５００８は、前方ディスプレイ１５０によってディスプレイされるイメージ５５０４の生成をもたらす散乱情報を特定する信号を生成することができる。イメージ５５０４の領域は、散乱領域５５０６及び散乱領域５５０８を除けば、透明であるか、あるいは実質的に透明である。散乱領域５５０６は、イメージ５５０２での顔の位置、大きさ及び形状に対応する。散乱領域５５０８は、イメージ５５０２からマスキングされるか、あるいは検閲されるテキストのサイズ、位置及び形態に対応する。プロセッサ５００８は、前方ディスプレイ１５０が、イメージ５５０２と同時に、イメージ５５０４をディスプレイし、イメージ５５１０に図示されているように、顔にプライバシーを適用し、不適切なテキストを覆ったり検閲したりする。イメージ５５１０は、記述されているように、ディスプレイ１１０で動作するとき、ユーザに見えるのは、イメージである。
【０２６８】
図５６は、ディスプレイを具現するための例示的な方法（５６００）を図示する。１以上の実施形態において、方法（５６００）は、図５０ないし図５５に係わり、そこで説明されたようなディスプレイの具現に利用される。
【０２６９】
ブロック（５６０２）において、第１ディスプレイが提供される。該第１ディスプレイは、イメージをディスプレイすることができる。ブロック（５６０４）において、第２ディスプレイが提供される。該第２ディスプレイは、非発光及び透明性でもある。また、該第２ディスプレイは、該第１ディスプレイによって生成された光を選択的に拡散させるように、電気的に制御可能な複数のピクセルを含んでもよい。
【０２７０】
１以上の実施形態において、第１ディスプレイは、発光型ディスプレイである。例えば、該発光型ディスプレイは、ＬＣＤ，ＬＥＤディスプレイ、光強化層またはＯＬＥＤディスプレイでもある。該第２ディスプレイは、ポリマー分散型液晶ディスプレイ、電子クロムディスプレイ、電気分散型ディスプレイ、ＰＳＬＣディスプレイ、電気湿潤ディスプレイ、あるいはスメクチックＡ液晶を含むＬＣＤでもある。
【０２７１】
特定実施形態において、第２ディスプレイは、複数のピクセルのうち染料を含む少なくとも１つのピクセルを含む。
【０２７２】
特定実施形態において、第１ディスプレイによって生成されたイメージの領域は、第２ディスプレイの領域と重畳され、ここで、該第２ディスプレイの領域内の複数のピクセルのうち選択されたピクセルは、光を拡散させるように構成される。例えば、該領域は、白に見える。
【０２７３】
特定実施形態において、複数のピクセルは、イメージに適用される視覚的効果を生成するように、第１ディスプレイによって生成された光を選択的に拡散させるようにも、電気的も制御される。該視覚効果の例は、口径食、速度、動き、深さ、ハイライト層、プライバシーフィルタ、転移、フレーム、検閲、ブロッキング（例：最大ブラー適用）またはテクスチャリングを含んでもよいが、それらに制限されるものではない。特定実施形態において、複数のピクセルは、イメージのコントラストを増大させるために、第１ディスプレイによって生成された光を選択的に拡散させるように、電気的に制御可能である。第２ディスプレイは、光を散乱させるか、あるいはイメージを強化させることができる。例えば、複数のピクセルは、イメージのコントラストを増大させるために、第１ディスプレイによって生成された光を選択的に拡散させるようにも、電気的に制御される。
【０２７４】
ブロック（５６０６）において、プロセッサは、選択的に提供される。前述したように、追加的な駆動回路が含まれてもよい。該駆動回路は、プロセッサを第１ディスプレイ及び第２ディスプレイに結合させることができる。特定実施形態において、該プロセッサは、抽出された散乱情報によって特定される視覚効果を生成するために、イメージ及び／またはビデオ信号に内蔵された散乱情報を抽出することができる。特定実施形態において、視覚的効果が適用されるイメージの領域を検出し、第２ディスプレイの複数ピクセルのうち選択されたピクセルが、そのような領域に対して視覚効果を生成するために、該プロセッサは、実質的にリアルタイムに、ビデオ信号またはイメージ上に、イメージプロセッシングを行うことができる。ブロック（５６０８）において、１以上のスペーサが提供される。該スペーサは、第１ディスプレイと第２ディスプレイとの間にも配置される。該スペーサは、第１ディスプレイと第２ディスプレイとの距離を変化させることができる。
【０２７５】
ブロック（５６１０）において、１以上のセンサが提供される。該センサは、センサ情報を生成することができる。第１ディスプレイ及び／または第２ディスプレイの複数のピクセルは、センサ情報に基づいて、少なくとも部分的に、電気的に制御可能である。１以上の実施形態において、該センサは、周辺光を検出するように構成される。その場合、複数のピクセルは、検出された周辺光のレベルに基づいて、例えば、周辺光の最小レベルを検出することに応答し、イメージのコントラストを増大させるためにも、少なくとも部分的に、電気的に制御される。１以上の実施形態において、該センサは、ユーザ属性を検出するように構成される。従って、複数のピクセルは、ユーザ属性に基づいて、イメージに視覚効果を適用するために、少なくとも部分的に、電気的に制御可能である。例えば、ユーザ属性は、本明細書で以前に記述された任意の属性を含んでもよい。適用することができるる視覚効果の例としては、属性（例：年齢、距離、位置、及び／またはユーザがめがねを着用しているか否かということ）を基に、テキストの字体サイズ増大、テキスト強化、及び／またはティッカテープに個人化された情報を伝達することを含んでもよいが、それらに限定されるものではない。
【０２７６】
また、図５７は、ディスプレイ動作のための例示的な方法（５７００）を図示する。１以上の実施形態において、ディスプレイは、図５０ないし図５６に係わって説明された例示的なディスプレイとして具現される。
【０２７７】
ブロック（５７０２）において、イメージが第１ディスプレイ上に生成される。ブロック（５７０４）において、装置のプロセッサは、イメージを特定する受信されたビデオ信号から、散乱情報を選択的に抽出する。例えば、プロセッサは、受信されたビデオ信号を分析することができる。該散乱情報がビデオ信号に内蔵されているならば、該プロセッサは、散乱情報を抽出することができる。
【０２７８】
ブロック（５７０６）において、前記装置は、選択的にセンサ情報を生成して分析する。例えば、該センサ情報は、１以上のセンサを使用して生成される。ブロック（５７０８）において、イメージプロセッシングは、選択的に行われる。例えば、該プロセッサは、光を拡散させるように調整する複数の電気的に可能なピクセルの選択されたピクセルを決定するために、イメージにイメージプロセッシングを行うように構成される。
【０２７９】
ブロック（５７１０）において、装置は、第２ディスプレイのピクセルを使用し、光を選択的に拡散させる。例えば、第１ディスプレイによって生成されたイメージに係わる光は、第２ディスプレイの複数の電気的に制御可能なピクセルを使用し、選択的に拡散する。該第２ディスプレイは、非発光及び透明性でもある。
【０２８０】
特定実施形態において、複数の電気的に制御可能なピクセルの選択されたピクセルは、センサ情報及び／またはイメージプロセッシングに少なくとも部分的に基づいて、制御される。例えば、該センサは、周辺光を感知するように構成される。従って、複数の電気的に制御可能なピクセルの選択されたピクセルは、周辺光の検出されたレベルに基づいて、イメージのコントラストを増大させるためにも、少なくとも部分的に、電気的に制御される。他の例において、該センサは、ユーザ属性を検出するように構成される。従って、複数の電気的に制御可能なピクセルの選択されたピクセルは、ユーザ属性に少なくとも部分的に基づいて、電気的に制御可能である。特定実施形態において、複数の電気的に制御可能なピクセルの選択されたピクセルは、イメージプロセッシング（例えば、イメージプロセッシングを行うことにより、プロセッサによって決定された領域）に少なくとも部分的に基づいて制御される。特定実施形態において、複数の電気的に制御可能なピクセルの選択されたピクセルは、光を選択的に拡散させ、イメージに適用される視覚効果を生成し、かつ／または光を選択的に拡散させ、イメージのコントラストを増大させるように制御される。
【０２８１】
ブロック（５７１２）において、前方ディスプレイと読み取りディスプレイとの間隔は、変更される。特定実施形態において、害間隔はセンサ情報及び／またはイメージプロセッシングの結果に基づいて、自動的に変更される。例えば、光の増加された拡散が要求されるすでに記述された任意の状況において、前方ディスプレイと後方ディスプレイとの間隔は、例えば、特定ユーザ属性を検出することに応答し、周辺光のレベル、または他の条件に基づいて、利用可能な最大ブラーを増大させるためにも増大される。
【０２８２】
特定実施形態において、装置は、イメージをディスプレイし、第１ディスプレイの領域は、イメージの一部を放出させ、イメージの一部に対応する第２ディスプレイの領域は、第１ディスプレイの領域によって生成された光を拡散させることにより、イメージの一部が見える。一般的には、プロセッサは、光を拡散させる領域、あるいは領域の位置を決定する。該プロセッサは、例えば、第２（例えば、前方）ディスプレイによって生成されて提供される信号に適用される拡散位置及び拡散量をエンコーディングする。述べられたように、前方ディスプレイを使用して誂え型化されたコンテンツ（customized content）を提供するために、本来のコンテンツが修正されてはならない。
【０２８３】
特定実施形態において、プロセッサは、イメージ（例えば、ビデオ信号）を分析し、イメージ信号またはビデオ信号が、マルチメディア及びテキストを含むか、あるいは特定するか否かということを決定することができる。該イメージがマルチメディアコンテンツ及びテキストを含むと決定したことに応答し、該プロセッサは、イメージ及び／またはビデオ信号のマルチメディア部分をディスプレイするように、後方ディスプレイを制御することができ、該イメージ及び／または害ビデオのテキスト部分をディスプレイするために、前方ディスプレイを制御することができる。ディスプレイされたイメージ内のテキストからマルチメディアコンテンツを分離することにより、デバイスは、さらに少ない電力消費で動作することができる。
【０２８４】
また、図５８は表示装置１１０の一例を示す図面である。図５８の例において、ディスプレイ装置１１０は、特別なアイウェア（eyewear）（例えば、めがね）の援助なしに、ユーザによって感知されるビュー依存的なイメージ（view dependent imagery）を提供する自動多次元（automultiscopic）ディスプレイを具現する。図５８の例において、ディスプレイ１４０及びディスプレイ１５０は、電気的に制御可能である。ディスプレイ１４０とディスプレイ１５０は、ピクセルアドレッシング可能である。図５８に図示された例は、またタッチ入力層（図示せず）を含んでもよい。ディスプレイ１４０は、発光ディスプレイによっても具現される。例えば、ディスプレイ１４０は、ＬＣＤ，ＬＥＤディスプレイ、光強化層、あるいはＯＬＥＤディスプレイによっても具現される。ディスプレイ１５０は、２以上のディスプレイ１５０−１ないし１５０−Ｎを利用して形成される。ディスプレイは、１以上の透明ディスプレイによっても具現される。特定実施形態において、ディスプレイ１５０は、外部層とも呼ばれる。１以上の整列において、ディスプレイ１４０及びディスプレイ１５０は、本開示で説明されたようにも整列される。例えば、ディスプレイ１５０及びディスプレイ１４０のピクセルは、それらの境界が、互いに真上または真下に位置するように、かつ／または１ディスプレイのピクセルの透明領域が、他のディスプレイのピクセルのアドレッシング可能な領域と重畳されるようにも整列され、その反対でもある。
【０２８５】
特定実施形態において、ディスプレイ装置１１０は、複数の異なるディスプレイを使用し、三次元（３Ｄ）ビューを生成することができる体積（volumetric）ディスプレイを具現するように構成される。例えば、ディスプレイ１４０及び１５０のそれぞれは、二次元（２Ｄ）イメージをディスプレイすることができる。イメージの与えられた部分がディスプレイされる特定ディスプレイ１４０または１５０は、３Ｄビューを生成する。例えば、ディスプレイ１４０，１５０それぞれは、深さ及び３Ｄビューを提供するために、イメージスライス（slice of image）をディスプレイすることができる。提示される３Ｄビューは、少なくとも部分的には、層間空間に対応する空間解像度に依存する。例えば、（ｘ，ｙ，ｚ）座標系において、ｘ座標及びｙ座標は、それぞれ層の左右及び上下の方向に該当する。ｚ座標は、ディスプレイ１４０、あるいはディスプレイ１５０の特定の一つ（例えば、深さまたはｚ座標を示す複数のディスプレイのうち特定ディスプレイ）を選択することによって具現される。
【０２８６】
特定実施形態において、ディスプレイ１４０及び１５０のそれぞれは、電気的に制御可能なディスプレイとして具現される。例えば、各ディスプレイ１５０は、光を反射、散乱及び／または拡散させることができる本開示内容内で説明された任意の多様な透明ディスプレイとしても具現される。例えば、ディスプレイ１５０は、ＰＤＬＣディスプレイ、電気変色ディスプレイ、電気分散ディスプレイ、電気湿潤ディスプレイ、浮遊粒子装置、ＩＴＯディスプレイ、任意相（例えば、ネマチック、ＳＴＮ、コレステリックまたはＳｍＡ）にあるＬＣＤ、あるいは任意のＬＣディスプレイによっても具現される。また、１以上のディスプレイ１５０のピクセルは、染色される。各ディスプレイ１５０は、散乱、反射、吸収、またはその間の任意の中間段階のために、透明にディスプレイさせるるために、ピクセルアドレッシング可能である。例えば、各ディスプレイ１５０は、周辺光、及び／またはバックライトまたはフロントライトからの光を反射させたり散乱させたり吸収したりするように、電気的に制御可能である。ディスプレイ１４０は、カラーディスプレイとしても具現される。他の例において、ディスプレイ１４０は、異なるピクセルに対して異なる光強度を生成することができるディスプレイとしても具現される。
【０２８７】
特定実施形態において、ディスプレイ装置１１０は、１以上の視差障壁を含む視差構成を具現することができる。該視差構成において、ディスプレイ装置１１０は、異なる視点（point of view）に異なるイメージをディスプレイすることができる。例えば、該イメージは、ディスプレイ１４０上にもディスプレイされる。ディスプレイ１４０上にディスプレイされたイメージは、２以上の空間的に多重化されたイメージを含む。各空間的に多重化されたイメージは、異なる視点から見ることができる。特定実施形態において、視野は、ユーザの目に対応し、それにより、３Ｄイメージを生成する。特定実施形態において、異なるユーザがディスプレイ装置１１０によって同時にディスプレイされた異なるイメージを見ることができるように、ポイントビューは、異なる人々の位置に対応する。後者の場合、それぞれの人は、ディスプレイ装置１１０に係わる人の視点に基づいて、同時に異なるイメージを見る。
【０２８８】
該視差構造で、ディスプレイ１５０それぞれは、光フィールド（light field）ディスプレイを生成するために、１以上の視差障壁を形成するように、光を特定方向に遮断、拡散及び／または散乱させる、本発明に記述されているような多様なディスプレイタイプのうち任意の一つによっても具現される。ディスプレイ１５０それぞれは、散乱、反射、吸収、またはその間の任意の中間段階のために、透明にディスプレイするために、ピクセルアドレッシング可能である。例えば、ディスプレイ１５０それぞれは、周辺光、及び／またはバックライトまたはフロントライトからの光を反射させたり散乱させたり吸収したりするように、電気的に制御可能である。１以上の実施形態において、ディスプレイ１５０の１またはそれ以上、あるいはいずれも染色される。
【０２８９】
体積構成または視差構成において、特定実施形態において、ディスプレイ１１０は、ディスプレイ１４０、及び／またはディスプレイ１５０間の選択的なスペーサを含む。該スペーサは、図５０に一般的に記載されたように、隣接した１対のディスプレイ１５０間に光学的に含まれてもよい。代案的な実施形態において、一部スペーサは、省略され、隣接したディスプレイの一部対がスペーサを有するが、隣接した層の他の対は、スペーサを有さない。該スペーサは、体積ディスプレイを具現する実施形態、及び／または視差構成を具現する実施形態において利用される。
【０２９０】
特定実施形態において、該スペーサは、堅固なものとして、かつディスプレイ間に特定距離を生成するようにも固定される。特定実施形態において、隣接したディスプレイ間の離隔距離は、例えば、モータを使用し、機械的にも調節される。特定実施形態において、隣接ディスプレイ間の離隔距離は、例えば、圧電アクチュエータを使用し、電子的にも調節される。
【０２９１】
少なくとも１対の隣接ディスプレイ間の離隔距離が調節される特定実施形態において、該調節は、ディスプレイ装置１１０動作の間、動的にも制御される。例えば、プロセッサは、ディスプレイ装置１１０の出力を補償及び／または修正するために、離隔距離を調節するのに利用される機械的及び／または電子的なメカニズムを制御することができる。２つの隣接ディスプレイ間の離隔距離は、エアギャップまたはインデックスマッチング液体で充填される。
【０２９２】
図５８において、駆動回路５８０４は、制御信号５８０２を受信する。制御信号５８０２に応答し、駆動回路５８０４は、ディスプレイ１５０を駆動させる駆動信号を生成することができる。制御信号５８０２は、駆動期回路５８０４が、体積ディスプレイ、１以上の視差バリア、または体積ディスプレイと、１以上の視差バリアとのいずれも（例えば、同時に）を具現するように、ディスプレイ１５０を制御する。駆動回路５８０８は、制御信号５８０６を受信する。制御信号５８０６に応答し、駆動回路５８０８は、ディスプレイ１４０を駆動することができる駆動信号を生成することができる。制御信号５８０６は、駆動回路５８０８をして、ディスプレイ１４０を制御させる。
【０２９３】
制限のためではない例示的な目的で、駆動回路５８０４は、駆動信号５８０２を受信し、該駆動信号は、駆動回路５８０４をして、ディスプレイ１５０が２以上のユーザに、前述のようなコンテンツを表示するように、かつ／または多数のユーザが異なる観点で同時にディスプレイ上の異なるコンテンツを見ることができるように、光を遮断、拡散あるいは分散させるように、２以上の透明ディスプレイを制御する駆動信号を伝送させる。例えば、ディスプレイ装置１１０によってディスプレイされるイメージ内のそれぞれの空間的に多重化されたイメージは、特定視点から見ることができる。そのように、複数のユーザそれぞれが異なる視点に位置すれば、各ユーザは、その視点に対して空間的に多重化されたイメージ、例えば、異なるコンテンツを見ることができる。
【０２９４】
ディスプレイ１４０は、多重体積ディスプレイ、及び／または１以上の視差バリアとして構成されたディスプレイ１５０によってフィルタリングされ、対応する多数の異なる位置において、多数のユーザに同時に見える多数の異なるコンテンツイメージ（例えば、異なる空間的に多重化されたイメージ）を形成する。例えば、ディスプレイ１４０の第１ピクセルセットは、位置１において、ユーザ１に見えるコンテンツイメージ１（例えば、空間的に多重化されたイメージのうち第１イメージ）を生成するのにも使用され、第２ピクセルセットは、位置２において、ユーザ２に見えるコンテンツイメージ２（例えば、空間的に多重化されたイメージのうち第２イメージ）を生成するのにも使用され、第３ピクセルセットは、位置３において、ユーザ３に見えるコンテンツイメージ３（例えば、空間的に多重化されたイメージのうち第３イメージ）などを生成するのにも利用され。
【０２９５】
ディスプレイ１４０からの光は、ディスプレイ１５０（例えば、多重体積ディスプレイ／視差バリア）を介して遮断されるか、あるいは通過されるので、同時に２以上の異なる対応する位置にいる２以上のユーザに見える多重の異なるコンテンツイメージを生成する。例えば、ディスプレイ１５０による光の遮断または通過は、コンテンツイメージ１が位置１において、ユーザ１に見えるようにするが、コンテンツイメージ１は、位置２のユーザ２、または位置３のユーザ３には見えない。選択的に、あるいはさらには、多数の透明ディスプレイ１５０−１ないし１５０−Ｎそれぞれに、イメージのスライスを生成するために、ディスプレイ１４０からの光は、ディスプレイ１５０を介して遮断されるか、あるいは通過され、深さ及び３Ｄ効果を１以上のユーザに見えるイメージに、深さ及び３Ｄ効果を提供する。
【０２９６】
図５９は、ディスプレイ装置１１０の視差具現例の分解図を図示する。図５９において、ディスプレイ１４０は、２個の異なる空間的に多重化されたイメージをディスプレイしている。「Ｌ」と表示されたピクセルまたは領域は、ディスプレイ１１０の正面に向くとき、中心の左側に位置した視点５９０２から見ることができる第１イメージの部分を示す。「Ｒ」と表示されたピクセルまたは領域は、ディスプレイ１１０の前方に向くとき、中心の右側に位置した視点５９０４から見ることができるイメージの第２部分を示す。
【０２９７】
図示されているように、ディスプレイ１５０は、視差障壁を具現する。図５９の実施形態において、ディスプレイ１５０のうち一つは、視差障壁に図示されている。該視差障壁であるディスプレイ１５０は、図示されているように、透明であって黒色である領域を生成する。ディスプレイ１５０は、特定方向にある光を遮断、拡散及び／または散乱させるように制御される。そのように、視点５９０２において、人は、第１イメージに対応する「Ｌ」部分のみを見る。視点５９０４において、人は、第２イメージに対応する「Ｒ」部分のみを見る。特定配列において、ディスプレイ１４０とディスプレイ１５０内の領域との間隔は、視点５９０２と視点５９０４とが肉眼の位置を示すようになっている。その場合、ユーザの各目は、同時に他のイメージを見ることになり、それにより、ディスプレイされた２つのイメージに基づいて、３Ｄ効果が示される。
【０２９８】
特定配列において、ディスプレイ１４０内の領域（例えば、Ｌ及びＲ）、並びにディスプレイ１５０内の領域間隔は、視点５９０２及び５９０４の異なる人が同時に立っている異なる位置を示すように広くなる。その場合、視点５９０２に立っている第１の人は、ディスプレイ１１０の前面を見るとき、第１イメージを見る。第１の人が視点５９０２に立っていると共に、視点５９０４に立っている第２の人は、ディスプレイ１１０の前面を見るとき、第２イメージを見る。そのように、第１の人が視点５９０２に位置し、第２の人が視点５９０４に位置するとき、それぞれの人は、同時に異なるイメージを見る。
【０２９９】
図６０Ａないし図６０Ｃは、図５９のディスプレイ装置１１０の視差構成の例示的なビューを図示する。図６０Ａは、視点５９０２に位置した人が、ディスプレイ１１０の前面を見るとき、見るものを図示する。視点５９０２から、人は、第１イメージを見る。図６０Ｂは、視点５９０２と視点５９０４との間に位置した人が、ディスプレイ装置１１０の前面を見るとき、見るものを図示する。図６０Ｃは、視点５９０４に位置した人が、ディスプレイ１１０の前面を見るとき、見るものを図示する。視点５９０４から、人は、第１イメージと異なる第２イメージを見る。さらに、視点５９０２に位置した人は、視点５９０４に位置した第２の人が第２イメージを見ると共にに、第１イメージを見る。
【０３００】
特定実施形態において、さらなる視差障壁層がディスプレイ１１０に追加される。言及されたように、例えば、ディスプレイ１５０は、１以上の異なる層にも形成される。付加的な視差障壁層が追加されることにより、ディスプレイ１１０は、互いに異なる視点に位置したユーザに、同時に２個以上の異なる空間的に多重化されたイメージをディスプレイすることができる。
【０３０１】
図６１は、図５８のディスプレイ１１０の体積（volumetric）具現例に係わる分解図を図示する。図６１の例において、ディスプレイ１１０は、３Ｄ映像を生成することができる。図示されているように、ディスプレイ１１０は、層６１０２，６１０４，６１０４，６１０６，６１０８，６１１０，６１１２，６１１４，６１１６，６１１８及び６１２０を含む。図示されているように、集合的にされる層６１０２ないし６１２０は、球体の３Ｄビューをディスプレイする。層６１０２ないし６１２０は、例えば、プロセッサとの適切なインターフェース／駆動回路（例えば、図示されていないディスプレイ制御器）を利用して電気的に制御可能である。この例において、層６１０２ないし６１２０それぞれは、球体の互いに異なるスライスや部分（例えば、３Ｄに表示されるイメージ）をディスプレイするために、ピクセルアドレッシング可能である。
【０３０２】
図６１の例において、ディスプレイ装置１１０は、バックライティングまたはフロントライティングを含んでもよい。フロントライティングの場合、ディスプレイ装置１１０は、また側面照明される層を含んでもよい。また、ディスプレイ装置１１０は、１以上のカラーフィルタを含んでもよい。特定実施形態において、該カラーフィルタは、図１７Ａ、１８Ａないし図１８Ｅに係わって説明された１以上のＲＧＢカラーフィルタ構成でもある。図１７Ａ、図１８ａないし図１８Ｅの構成の例示的なフィルタは、体積ディスプレイ例の層間にも使用される。
【０３０３】
図６２は、カラーフィルタ構成の他の例を図示する。図６２の例において、カラーフィルタ構成は青緑色（Ｃ）、黄色（Ｙ）、黄色（Ｙ）及び紫紅色（Ｍ）である。図６２の例示的なフィルタ構成は、体積ディスプレイ例の層間にも使用される。
【０３０４】
図６３は、カラーフィルタ構成の他の例を図示する。図６２の例において、カラーフィルタ構成は青緑色（Ｃ）、黄色（Ｙ）、緑色（Ｇ）及び紫紅色（Ｍ）である。図６３の例示的なフィルタ構成は、体積ディスプレイ例の層間にも使用される。
【０３０５】
図６４は、他の例示的なディスプレイデバイス１１０を図示する。図６４において、プロセッサ６４０２が含まれる。図示されているように、プロセッサ６４０２は、センサ３７０６、並びに駆動期回路５８０４及び５８０８に連結される。センサ３７０６は、例えば、図３７を参照して記述されたように、ここで説明された多様な他タイプのセンサのうち任意のものによっても具現される。例えば、センサ３７０６のうち１以上は、ユーザの物理的存在、ディスプレイ１１０までのユーザの距離、ディスプレイ装置１１０の既定距離内のユーザの位置、ディスプレイ装置１１０の既定範囲内のユーザの数、またはディスプレイ１１０の距離、及び／またはユーザのアイデンティティを決定することができる。１以上のセンサ３７０６は、本明細書で説明されたように、ユーザ属性を検出することができる。１以上の実施形態において、１以上のセンサ３７０６は、ユーザのアイデンティティを決定するために、ユーザと関連するビーコン（beacon）を検出することができる。該ビーコンを検出することができるセンサは、ユーザのアイデンティティ決定が述べられる本明細書で説明された任意の多様な実施形態でも使用されるということを理解しなければならない。１以上のセンサは、光（例えば、周辺光を含む光の強度）を検出することができる。
【０３０６】
特定実施形態において、１以上のセンサ３７０６は、図４７に係わって一般的に記述されたカメラによって具現される。プロセッサ６４０２は、ディスプレイ１４０，１５０を制御するように動作することができる。プロセッサ６４０２は、例えば、スペーサを制御することにより、隣接する層対の離隔距離を計算し、該離隔距離を調節することができる。プロセッサ６４０２は、ディスプレイ装置１１０の前面に位置したカメラの視野にあるユーザの位置及び／または姿勢を追跡し、かつ／または視線検出遂行のために、カメラから獲得されたイメージデータをさらに分析することができる。該分析に基づいて、プロセッサ６４０２は、層間の離隔距離を計算し、計算された離隔距離を獲得するために、層間離隔距離を調節することができる。
【０３０７】
特定実施形態において、カメラは、コンピュータビジョンシステムにも統合される。該コンピュータビジョンシステムは、ユーザのアイデンティティ及び／または視点（例えば、視線方向または視野角）を決定するために、顔認識を使用し、ユーザを追跡することができる。１以上の実施形態において、１以上のセンサ３７０６は、ビームフォーミングアンテナ（beamforming antenna）を含んでもよい。該ビームフォーミングアンテナは、ＲＦＩＤ可能装置（ＲＦＩＤ−enabled device）またはチケットからユーザを識別するために、補強データを提供するように、ＲＦＩＤ質疑（ＲＦＩＤ interrogation）を行うことができる。１以上の実施形態において、該ビームフォーミングアンテナは、Bluetooth（登録商標）、ＷｉＦｉＴＭ、または他のＲＦプロトコルのような短距離無線通信プロトコルを介して、ユーザの電話質疑を行うことができる。カメラを含むシステムは、ディスプレイ装置１１０に対するユーザの位置（user’s position or location）、目の位置、視線の方向、及びユーザのアイデンティティを決定するのにも使用される。１以上の実施形態において、プロセッサ６４０２は、ユーザ位置情報を、ディスプレイ装置１１０のモデル及びセンサ幾何学的構造と結合し、各ユーザの視錐台（viewing frustum）を計算することができる。
【０３０８】
プロセッサ６４０２は、センサ情報に少なくとも部分的に基づいて、ディスプレイ１４０、及び／または１以上、または全てのディスプレイ１５０を制御することができる。例えば、該センサ情報を使用し、プロセッサ６４０２は、ユーザにプライベートディスプレイ（private display）（例えば、ユーザのビューイング軸（user’s viewing axis）周辺の狭い角度内だけ見えるディスプレイ）を提供するために、イメージ及びマスクを計算することができる。例えば、プロセッサ６４０２は、多数のソースイメージ及び所望視点を入力として利用することができ、空間的に多数のソースイメージを、ディスプレイ１４０及び／またはディスプレイ１５０上にディスプレイされる空間的に多重化されたイメージになるように利用することができる。そのように、ディスプレイ装置１１０は、特別なアイウェアなしに、ビュー依存イメージ（view-dependent imagery）を提供することができる自動多次元ディスプレイ（automultiscopic display）の一例である。
【０３０９】
図６５は、ディスプレイ装置を具現する方法（６５００）の例を図示する。ブロック（６５０２）において、第１ディスプレイが提供される。該第１ディスプレイは、イメージを生成することができる。
【０３１０】
ブロック（６５０４）において、複数の透明ディスプレイが提供される。複数の透明ディスプレイのそれぞれは、イメージに、深さ及び３Ｄ効果を提供するために、イメージスライスを生成することができるか、あるいは複数の透明ディスプレイのうち少なくとも一つが、光を遮断、拡散あるいは散乱させることができ、複数のユーザのうち異なるユーザは、ディスプレイ装置上の異なるコンテンツを見る。
【０３１１】
特定実施形態において、それぞれの透明ディスプレイは、実質的に透明である。特定実施形態において、２個の透明ディスプレイのうち少なくとも一つは、スメクチックＡ液晶を使用して製造される。
【０３１２】
一特徴として、それぞれのディスプレイは、多数のピクセルを含む。
【０３１３】
特定実施形態において、複数の透明ディスプレイそれぞれにおいて、深さ及び３Ｄ効果をイメージに提供するために、イメージのスライスが生成され、複数の透明ディスプレイのうち少なくとも一つは、複数のユーザのうち異なるユーザが、３Ｄディスプレイ上の異なるコンテンツを見るように、光を遮断、拡散あるいは散乱させる。
【０３１４】
１以上の実施形態において、第１ディスプレイは、発光型ディスプレイであり、第１複数個の透明ディスプレイは、非発光型ディスプレイである。例えば、各非発光型ディスプレイは、少なくとも９０％以上透明である。該非発光型ディスプレイは、約９０％の透明度レベルを有することができる。例えば、該非発光型ディスプレイそれぞれは、約９５％の透明度を有することができる。発光型ディスプレイは、ＬＣＤ、スメクチックＡ液晶を有するＬＣＤ，ＬＥＤディスプレイ、光強化層、あるいはＯＬＥＤディスプレイによっても具現される。非発光型ディスプレイは、ポリマー分散型液晶ディスプレイ、電気変色ディスプレイ、電気分散ディスプレイまたは電気湿潤ディスプレイでもある。該発光型ディスプレイは、液晶ディスプレイ、発光ダイオードディスプレイあるいは有機発光ダイオードディスプレイでもある。特定実施形態において、該発光型ディスプレイは、透明有機発光ダイオードディスプレイであり、非発光型ディスプレイは、電気泳動ディスプレイである。他の実施形態において、該発光型ディスプレイは、透明発光ダイオードディスプレイであり、該非発光型ディスプレイは、スメクチックＡ液晶を含む液晶ディスプレイである。
【０３１５】
特定実施形態において、少なくとも１つの非発光型ディスプレイの少なくとも１つのピクセルは、染料を含む。特定実施形態において、非発光型ディスプレイのうち少なくとも１つの複数のピクセルのうち少なくとも一つは、染料を含まず、実質的に白色に示される。特定実施形態において、少なくとも１つの非発光型ディスプレイの複数のピクセルのうち少なくとも１つのピクセルは、非発光型ディスプレイの粒子、液晶滴、または液晶内に染料を含む。特定実施形態において、複数の透明ディスプレイそれぞれは、複数の部分発光型ピクセルを含み、それぞれの部分発光型ピクセルは、アドレッシング可能領域及びクリア領域を含む。
【０３１６】
ブロック（６５０６）において、プロセッサは、選択的に提供される。該プロセッサは、さらに提供される駆動回路とも連結される。
【０３１７】
ブロック（６５０８）において、１以上のスペーサが選択的に提供される。特定実施形態において、該スペーサは、ディスプレイのうち連続的なもの間の距離を変化させるように制御可能である。例えば、該スペーサは、プロセッサによっても制御される。例えば、該スペーサは、機械的手段（例えば、ギアリングまたはトラック）、電子的（例えば、電気モータ）または振動（例えば、ピエゾ）を介して、可変的な空間を提供するようにも構成される。該スペーサは、体積ディスプレイ構成または視差構成のうち一つまたは二つとも使用される。異なるディスプレイは、異なる間隔を有することができる。１以上の実施形態において、プロセッサは、視差構成において、ユーザに対するビューイングコーンを変更するために、異なる連続的なディスプレイ間の空間を動的に変更させることができる。
【０３１８】
ブロック（６５１０）において、１以上のセンサが選択的に提供される。該センサは、センサ情報を生成することができる。例えば、少なくとも１つのディスプレイの複数のピクセルのうち少なくとも１つのピクセルは、センサ情報に少なくとも部分的に基づいて、調整される。
【０３１９】
特定実施形態において、該センサ情報は、各複数のユーザからディスプレイ装置までの距離を含み、複数のピクセルのうち少なくとも１つのピクセルは、その距離に基づいて調整される。特定実施形態において、該センサ情報は、ディスプレイ装置の既定距離内で検出された多数のユーザ数を特定し、多数のピクセルの選択されたピクセルは、ユーザ数に少なくとも部分的に基づいて調整され、複数のユーザのうち各ユーザは、異なるコンデンツを見る。例えば、プロセッサは、検出されたユーザ数に基づいて、視差層、及び／または複数の視差層（例えば、新たなものであったり追加された視差層を具現することを含む）を調整することができ、各ユーザは、異なるコンデンツを見ることができ、各ユーザは、当該ユーザのコンデンツだけ見ることができる。
【０３２０】
特定実施形態において、該センサ情報は、ディスプレイ装置の既定距離内の１以上のユーザの位置を含む。プロセッサは、ユーザの位置に少なくとも部分的に基づいて、複数のピクセルのうち１以上を調整することができる。例えば、該プロセッサは、検出されたユーザの数、及び／またはそれぞれの検出されたユーザの位置に基づいて、視差層、及び／または複数の視差層（例えば、新たなものであったり、追加された視差層を具現することを含む）を調整することができ、各ユーザが異なるコンデンツを見ることができ、各ユーザは、当該ユーザのコンデンツだけ見ることができる。
【０３２１】
特定実施形態において、該センサ情報は、複数のユーザのユーザアイデンティティを特定し、ユーザアイデンティティに少なくとも部分的に基づいて、少なくとも１つのディスプレイの複数ピクセルのうち選択されたピクセルが調整される。プロセッサは、例えば、ユーザを識別することに応答し、該ユーザに、特定のコンテンツをディスプレイすることができる。例えば、センサを介してプロセッサは、ユーザの携帯電話にアクセスし、購買内訳、選好度、ブラウザ記録、電話通話、予定された約束、及び／またはその他情報にアクセスすることができる。該プロセッサは、決定されたアイデンティティ、及びユーザに対して獲得された任意の他情報に基づいて、ユーザに係わるコンデンツを選択することができる。
【０３２２】
特定実施形態において、該センサ情報は、ディスプレイ装置の既定距離内において、複数のユーザのうち１以上のユーザの１以上の属性を特定する。従って、ディスプレイ装置のプロセッサは、ユーザ、またはユーザの１以上の属性に少なくとも部分的に基づいて、１以上のディスプレイ内の複数のピクセルのうち選択されたピクセルを調整することができる。プロセッサは、例えば、ユーザの背丈決定に応答し、ディスプレイ装置１１０にディスプレイされたコンデンツに対する視聴角度を調整し、ユーザが位置する視点で見えるコンデンツがユーザに見える。ユーザ属性は、物理的特性、例えば、年齢、ユーザがめがねを着用しているか否かということ、ここで記述された他の属性を含む任意の属性を含んでもよいが、それらに限定されるものではない。特定実施形態において、特定ユーザに見える空間的に多重化されたイメージは、そのユーザ属性に基づいても変更される。例えば、ユーザがめがねを着用していると感知すれば、プロセッサが当該ユーザに対する空間的に多重化されたイメージの大きさを拡大させるか、あるいは当該ユーザに対して、空間的に多重化されたイメージのテキストサイズを拡大させることができる。
【０３２３】
図６６は、ディスプレイ装置の動作のための例示的な方法（６６００）を図示する。ブロック（６６０２）において、ディスプレイ装置は、第１ディスプレイ、例えば、後方ディスプレイを使用し、イメージをディスプレイする。ブロック（６６０４）において、ディスプレイ装置は、深さ及び３Ｄ効果をイメージに提供するために、複数の透明ディスプレイそれぞれに、イメージのスライスを生成することにより、イメージをディスプレイするか、あるいは複数のユーザのうち異なるユーザは、第１ディスプレイ、及び複数の透明ディスプレイを含むディスプレイ装置上のイメージから類推された異なるコンテンツを見るように、複数の透明ディスプレイのうち少なくとも一つを利用し、イメージに係わる光を遮断、拡散あるいは散乱させる。透明ディスプレイそれぞれは、実質的に透明でもある。２つの透明ディスプレイのうち少なくとも一つは、スメクチックＡ液晶を使用して作られる。
【０３２４】
特定実施形態において、それぞれのディスプレイは、複数の電気的に制御可能なピクセルを含む。従って、複数の電気的に制御可能なピクセルの１以上のピクセルの外観は、センサ情報に少なくとも部分的に基づいて調整される。該センサ情報は、ユーザ、周辺光、または他のデータに係わり、そこで説明された異なる類型のセンサ情報のうち任意のものでもある。例えば、プロセッサは、センサ情報を処理することに応答し、１以上のディスプレイのピクセルのうち１以上のピクセルの外観を調整することができる。該センサ情報は、ここに記述されているように、ユーザのディスプレイまでの距離、ユーザの数、ユーザのアイデンティティ、または他の情報でもある。
【０３２５】
一例として、該センサ情報は、ユーザ（例えば、複数のユーザのうち）のディスプレイまでの距離を特定する。従って、複数の透明ディスプレイそれぞれの上に、イメージのスライスを生成することにより、イメージをディスプレイするか、あるいはイメージに係わる光を遮断、拡散または散乱させることは、その距離に少なくとも部分的に基づいて、１以上のディスプレイの複数の電気的に制御可能なピクセルの少なくとも１つのピクセルを調整することを含んでもよい。
【０３２６】
他の例において、該センサ情報は、ディスプレイ装置の既定距離内で検出された多数のユーザ数を特定する。従って、複数の透明ディスプレイのそれぞれ上に、イメージのスライスを生成することにより、イメージをディスプレイするか、あるいはイメージに係わる光を遮断、拡散または散乱させることは、複数のユーザのうち各ユーザが、異なるコンテンツを見るように、複数のユーザの数に少なくとも部分的に基づいて、１以上のディスプレイのうち複数の電気的に制御可能なピクセルのうち選択されたピクセルを調整することを含んでもよい。
【０３２７】
他の例において、該センサ情報は、複数のユーザのうち選択されたユーザ属性を特定する。従って、複数の透明ディスプレイそれぞれの上に、イメージのスライスを生成することにより、イメージをディスプレイするか、あるいはイメージと関連する光を遮断、拡散または散乱させることは、選択されたユーザ属性に少なくとも部分的に基づいて、少なくとも１つのディスプレイのうち複数の電気的に制御可能なピクセルのうち選択されたピクセルを調整することを含んでもよい。
【０３２８】
述べられたように、複数の透明ディスプレイのそれぞれ上に、イメージのスライスを生成することにより、イメージをディスプレイし、複数の透明ディスプレイのうち少なくとも一つを使用し、イメージに係わる光を遮断、拡散または散乱させることは、同時に遂行されることができる。例えば、プロセッサは、ディスプレイ１４０及びディスプレイ１５０を制御し、体積ビューを生成し、１以上の視差層を生成し、異なる位置にある多数の異なるユーザが、ディスプレイ装置に同時に提示される異なる３Ｄコンテンツ、例えば、空間的に多重化された３Ｄイメージを見ることができる。
【０３２９】
例示的であって非制限的な例として、例えば、体積モードでのイメージ、または視差構造の空間的に多重化されたイメージにおいて、フォントサイズは、ディスプレイからのユーザの距離、及び／またはユーザ属性に基づいても調整される。該フォントサイズは、ユーザが、ディスプレイからの最小距離という決定に応答し、あるいは、例えば、ユーザが少なくとも最若年齢、及び／またはめがねを着用しているという決定に応答し、プロセッサの制御下、該フォントサイズは、拡大される。他の例において、ユーザのアイデンティティ、ユーザのディスプレイまでの距離、あるいはユーザの他の属性を検出することに応答し、決定されたユーザの選好度に基づいて、プロセッサは、効果、イメージスケーリング、カラー調整及び／または強化、または他のイメージプロセッシングを適用することができる。
【０３３０】
他の例において、プロセッサは、ユーザの視野角に基づいて、ディスプレイのうち１以上によってディスプレイされたイメージをシフトすることができる。そのようなシフトは、視差層を具現するディスプレイによってディスプレイされたイメージをシフトすることを含んでもよい。他の例において、ディスプレイ１４０は、プロセッサによって制御されてそれぞれの検出されたユーザに対して、異なるコンテンツを有するイメージをディスプレイすることができる。また、ディスプレイ１５０のうち１以上は、それぞれの検出されたユーザに対する異なるコンテンツのディスプレイを容易にするために、検出されるユーザ数に基づいて、視差バリアを具現するように、該プロセッサによっても制御される。例えば、該プロセッサは、検出されたユーザの数、及びそのような各ユーザに提供される他のコンデンツに基づいて、視差障壁として使用されるディスプレイ数を増やすことができる。例えば、視差障壁数が増加すれば、角度選択度及び空間イメージ解像度も高くなるので、ユーザがさらに高いイメージ品質と、強化されたプライバシーとを体感する。
【０３３１】
特定実施形態において、１以上のセンサは、ユーザの動きに対する方向を検出することができる。プロセッサは、センサ情報の受信に応答し、ディスプレイ装置に対して、ユーザが歩いたり移動したりしている検出された方向に基づいて、ユーザに誂え化されたコンテンツを提供することができる。
【０３３２】
例えば、ディスプレイ装置１１０が、空港、汽車駅、または他の道路内に位置する場合、ユーザの歩く方向は、ユーザの予想目的地を示すことができる。空港ターミナルのゲートに向けて歩くユーザは、飛行する予定であり、出発日程をコンデンツとして表示することができる。ゲートから遠くなるように歩いて行くユーザは、空港を離れるか、あるいは手荷物受け取り場に移動する可能性がある。プロセッサは、当該ユーザに、他の飛行のための手荷物を受領する場所に係わる地図または情報を提供することができる。視差具現を使用し、異なる方向に歩くか、あるいは移動するユーザは、他のコンテンツを見ることになる。
【０３３３】
ユーザが移動する方向に付け加え、ディスプレイがユーザの移動電話からの情報にアクセスすることができるならば、そのような情報は、ユーザにディスプレイされる特定情報、広告、地図、次の約束に係わる文脈情報などの選択にも利用される。述べられたように、視差具現において、ユーザに誂え化されたコンデンツは、他の位置にいるユーザによって見られず、相対的に私的である。
【０３３４】
そこで説明された多様な実施形態それぞれは、プロジェクションシステム、カラー強化層、視覚効果層、体積ディスプレイ及び／または視差障壁具現、任意の多様なセンサのうち任意の組み合わせが含まれるか、あるいは含まれてもよいということを理解しなければならない。生成されたセンサ情報は、検出されたユーザの距離、ユーザの位置、ユーザのアイデンティティ、及び／またはユーザの数に基づいて、色補正、同期化、積層された層でのイメージ整列、イメージシフト、明るさ調整、ディスプレイ出力の低下及び／または増大（明るさ）、イメージをフォーカシングさせること、イメージを縮小させるか、あるいは拡大すること、ユーザの定義されたコンテンツを表示すること、コンテンツを変化させること、及び／または視覚的効果を適用することにより、任意のディスプレイにディスプレイされるイメージの調整にも利用される。
【０３３５】
特定実施形態において、そこで説明されたようなディスプレイ１５０、例えば、１以上のディスプレイは、多様な他のディスプレイ１４０のうち任意のものにも統合される。ディスプレイ１５０は、プロセッサによって制御され、任意の多様な異なる動作を遂行することができる。例示的であって非制限的な例において、１以上、または全てのディスプレイ１５０は、ピクセルが透明に制御される透明な動作モードで動作するようにも設定される。１以上のユーザを検出するセンサに応答し、プロセッサは、ディスプレイ１５０のうち１以上において、視差障壁を具現することにより、視差障壁モードを活性化することができる。前述のように、具現された視差障壁の数は、検出されたユーザの数に依存する。従って、該視差障壁具現は、ユーザを検出（例えば、特定フラスタム（frustum）及び／またはディスプレイ装置の距離内で）することに応答し、必要によって動的に呼び出される必要がある。与えられた範囲または領域において、ユーザが検出されない場合、ディスプレイ装置１１０は、ディスプレイ１５０が透明な状態に維持される正規ディスプレイとして動作することができる。
【０３３６】
１以上の他の実施形態において、前方ディスプレイ１５０（例えば、単一ディスプレイ）が、既存ディスプレイ、例えば、後方ディスプレイ１４０にも追加される。例えば、自動販売機、または多くのユーザが定期的に使用する他のディスプレイの場合、ディスプレイ表面が頻繁な使用により、かなり破損及び／または汚くなるか、あるいは汚染されたりする。そのような例において、タッチスクリーンディスプレイとして具現される前方ディスプレイ１５０は、高品質ディスプレイでもある後方ディスプレイ１４０に対する保護を提供する。例えば、前方ディスプレイ１５０は、割れたときに交換され、後方ディスプレイ１４０は、作動及び保護されたまま維持される。
【０３３７】
１以上の実施形態において、前方ディスプレイ１５０、例えば、１以上のディスプレイが、鏡またはミラーリングされた表面の上に位置する。前方ディスプレイ１５０が透明になるように構成されるとき、ミラー、またはミラーリングされた表面は、ユーザに見える。特定実施形態において、前方ディスプレイ１５０は、タッチスクリーンとして具現される。その場合、透明に残された前方ディスプレイ１５０は、ユーザからのタッチに応答し、ユーザにコンテンツを表示するようにも活性化される。従って、内容がミラー、またはミラーリングされた表面の上に重畳される。
【０３３８】
ここで使用された用語は、ただ特定実施形態を記述するためのものであり、制限されることを意図するものではない。それにもかかわらず、本文書全般にわたって適用されるいくつかの定義が提示される。
【０３３９】
コンピュータで読み取り可能な記録媒体は、命令実行システム、装置またはデバイスにより、またはそれについて使用するためのプログラムコードを含むか、あるいは保存する記録媒体を指す。本明細書に定義されたように、「コンピュータで読み取り可能な記録媒体」は、一時的な電波信号そのものではない。コンピュータで読み取り可能な記録媒体は、電子保存デバイス、磁気保存デバイス、光学保存デバイス、電磁気保存デバイス、半導体保存デバイス、あるいは前述のものなどの任意の適切な組み合わせでもあるが、それらに限定されるものではない。そこで説明されたようなメモリは、コンピュータで読み取り可能な記録媒体の例である。コンピュータで読み取り可能な記録媒体のさらに具体的な例に係わる限定的なリストは、携帯用コンピュータディスケット（portable computer diskette）、ハードディスク、ＲＡＭ（random access memory）、ＲＯＭ（read-only memory）、消去可能プログラマブル読み取り専用メモリメモリ（ＥＰＲＯＭ（electrically programmable read only memory）またはフラッシュメモリ）、ＳＲＡＭ（static random access memory）、携帯用コンパクトディスク読み取り専用メモリ（ＣＤ−ＲＯＭ）、デジタル汎用ディスク（ＤＶＤ）、メモリスティック、フロッピィーディスクなどを含んでもよい。
【０３４０】
コンピュータで読み取り可能な記録媒体は、１以上の半導体基盤、または他の集積回路（ＩＣ）、ハードディスクドライブ（ＨＤＤ）、ハイブリッドハードディスクドライブ（ＨＨＤ）、光ディスク、磁気・光ディスクドライブ（ＯＤＤ）、光・磁気ディスク、光・磁気ドライブ、フロッピィディスケット、フロッピィディスクドライブ（ＦＤＤ）、磁気テープ、ＳＳＤ（solid state drive）、ＲＡＭドライブ、保安デジタル（SECURE DIGITAL）カードまたはそのドライブ、その他コンピュータで読み取り可能なその他非一時的記録媒体、または適切な場合、２以上の適切な組み合わせを含んでもよい。コンピュータで読み取り可能な非一時的記録媒体は、揮発性、不揮発性、あるいは適切な場合、揮発性及び不揮発性の組み合わせでもある。
【０３４１】
本明細書において、「または」は、異なるように表示されるか、あるいは文脈により、取り立てて指示されない限り、包括的であり、排他的ではない。従って、本明細書において、「ＡまたはＢ」は、他に明示上に表示されるか、あるいは文脈により、取り立てて指示されない限り、「Ａ、Ｂ、またはいずれも」を意味する。また、「及び」は、異なるように表示されるか、あるいは取り立てて文脈によって表示されない限り、共同及び個別である。それにより、本文において、「Ａ及びＢ」は、異なるように表示されるか、あるいは文脈により、取り立てて指示されない限り、「共同的及び個別的に、Ａ及びＢ」を意味する。
【０３４２】
「プロセッサ」という用語は、少なくとも１つのハードウェア回路を意味する。該ハードウェア回路は、プログラムコードに含まれた命令を遂行するようにも構成される。該ハードウェア回路は、集積回路でもある。該プロセッサの例は、中央処理装置（ＣＰＵ）、アレイプロセッサ、ベクトルプロセッサ、デジタル信号プロセッサ（ＤＳＰ）、フィールドプログラマブルゲートアレイ（ＦＰＧＡ）、プログラマブルロジックアレイ（ＰＬＡ）、注文型集積回路（ＡＳＩＣ）、プログラム可能論理回路及び制御器を含むが、それらに制限されるものではない。
【０３４３】
本明細書に定義されたように、「リアルタイム」という用語は、ユーザまたはシステムが、特定プロセスまたは決定を下すのに十分に即刻に感知するか、あるいはプロセッサが、一部外部プロセスに従わせる応答処理レベルを意味する。本明細書に定義されたように、「ユーザ」という用語は、人を意味する。
【０３４４】
本明細書に定義されたように、「もし」と言う用語は、文脈により、「とき」、「場合」、「応答として」または「反応して」ということを意味する。それにより、「もしそれが決定されれば」、または「もし［明示された条件または事件が検出］されれば」という文言は、文脈により、「決定されるとき」、「決定されたことに反応して」、「［明示された条件または事件を検出］するとき」、「［明示された条件またはイベント］を検出したことに対する応答として」、または「［明示された条件またはイベント］の検出に応答し」を意味する。
【０３４５】
本明細書に定義されたように、「一実施形態」、「実施形態」、または類似の言語は、実施形態に係わる特定の特徴、構造または特性、が本開示内容で説明された少なくとも１つの実施形態に含まれるということを意味する。従って、「一実施形態において」、「実施形態において」、「特定実施形態において」、「１以上の実施形態において」、及び本開示物全般にわたって類似した表現の出現は、いずれも同一であるということを示すことができるが、必ずしもそうでばかりではない。
【０３４６】
「実質的に」という用語は、列挙された特性、パラメータまたは値が、正確に達成される必要はないが、例えば、公差、測定誤差、測定正確度限界、及び当業者に公知された他要素を含む偏差または変動が、特性が提供する効果を排除しない量で発生しうるということを意味する。
【０３４７】
第１、第２のような用語は、本明細書において、多様な要素について説明するためにも使用される。それら用語は、異なって言及されない限り、１つの成分を区別するためにのみ使用され、他の文脈で取り立てて明示しない限り、それら用語によって制限されるものではない。
【０３４８】
コンピュータプログラム製品は、プロセッサをして、本発明の様相を遂行させるためのコンピュータで読み取り可能なプログラム命令語を有するコンピュータで読み取り可能な記録媒体（または、媒体）を含んでもよい。本開示内容において、「プログラムコード」という用語は、メモリに保存された「コンピュータで読み取り可能なプログラム命令語」または「命令語」という用語と交換可能に使用される。
【０３４９】
説明の単純化及び明瞭性のために、図面に図示された要素は、必ずしも一定比率で描かれたものではない。例えば、一部要素の寸法は、明確性のために、他の要素に比べ、誇張されてもいる。また、適切であると考慮される場合、対応するか、あるいは類似していたりするというような特徴を示すために、参照番号が図面間で反復される。
【０３５０】
以下の特許請求の範囲で発見されることができる対応する構造、物質、動作、全ての手段または段階、及び機能要素の等価物は、具体的に請求されたように、他の請求された要素と組み合わせ、機能を遂行するための任意の構造、物質または動作を含むものであると意図される。
【０３５１】
本開示の範囲は、当業者が理解することができる本明細書の例示的な実施形態に対する全ての変更、代替、変形、変更及び修正を含む。本開示の範囲は、ここで説明されるか、あるいは図示された例示的な実施形態に制限されるものではない。また、本開示物は、特定構成要素、要素、機能、動作または段階を含むものであり、それぞれの実施形態について説明するか、あるいは例示するが、ここに記述されるか、あるいは図示された任意の構成要素、要素、機能、動作、段階の、当業者が理解することができる任意の組み合わせまたは順列を含んでもよい。また、特許請求の範囲で参照する装置、システムまたは特定機能を遂行するために、適応され、配列され、機能を備え、構成され、許諾され、動作可能であり、動作する装置、システムの構成要素は、装置、システムまたは構成要素が、そのように適応され、配列され、機能を備え、構成され、許諾され、動作可能であり、動作する限り、そのような特定機能が、活性化されたり、オンになったり、ロッキング解除されたりするか否かということと係わりなく、装置、システム、構成要素を含む。
【符号の説明】
【０３５２】
１００…ディスプレイ装置
１１０…ディスプレイ
１２０…動的部分
１３０…半静的部分
１３０…ディスプレイ
１４０…ＯＬＥＤディスプレイ
１４０…後方ディスプレイ
１５０…前方ディスプレイ
１６０…ピクセル
１６４…ポイント
１７０…バックライト
１８０…バックレイヤ
１９０…フロントライト
２００…部分発光型ディスプレイ
２１０…層
２２０…層
３００…基板
３１０…電極
３２０…ＬＣ液滴
３２０…液晶（ＬＣ）液滴
３３０…重合体
３３０…ポリマー
３４０…入射光線
３５０…イオン保存層
３６０…イオン伝導性電解質
３７０…電気変色層
４００…前面電極
４１０…アトラクタ電極
４２０…分散器電極
４３０…ピクセルエンクロージャ
４４０…電気分散粒子
４５０…流体
４６０…疎水性コーティング
４７０…透明流体
３２００…コンピュータシステム
３２０２…プロセッサ
３２０４…メモリ
３２０６…保存装置
３２０８…入出力（Ｉ／Ｏ）インターフェース
３２１０…通信インターフェース
３２１２…バス
３７００…プロジェクションシステム
３７０２…投射装置
３７０４…プロジェクタ
３７０６…センサ
３７０８…コンピューティングシステム
３７１０…信号分配器
３８０２…電力回路
３８０４…光学プロジェクションシステム（ＯＰＳ）
３８０６…遠隔受信器（Ｒｘ）
３８０８…無線装置
３８１０…冷却システム
３８１２…プロセッサ
３８１４…カメラ
３８１８…メモリ
３８２０…ユーザインターフェース
３９０２…電力回路
３９０４…投射層
３９０６…遠隔受信器（Ｒｘ）
３９０８…無線装置
３９１０…ディスプレイ制御器
３９１２…プロセッサ
３９１４…メモリ
３９１６…ユーザインターフェース
４６０２…サブピクセル
４６０４…アルファ領域
４６０６…伝導性ライン
４７０２…カメラ
４７０４…メモリ
４７０６…プロセッサ
５００２…スペーサ
５００４…フレーム
５００６…領域
５００８…プロセッサ
５０１０…メモリ
５１０２…信号
５１０４…駆動回路
５１０６…信号
５１０８…駆動回路
５４０２…口径食
５４０４…イメージ
５４０６…客体
５４０８…客体
５４１０…領域
５４１２…領域
５４１４…領域
５４１６…テキスト
５４１８…サブ領域
５４２０…領域
５４２２…領域
５４２４…領域
５４３０…ティッカテープ
５４３２…イメージ
５５０２…イメージ
５５０４…イメージ
５５０６…散乱領域
５５０８…散乱領域
５５１０…イメージ
５８０２…信号
５８０４…駆動回路
５８０６…信号
５８０８…駆動回路
６４０２…プロセッサ
【図１】
2019525234.tif 000003
【図２】
2019525234.tif 000004
【図３】
2019525234.tif 000005
【図４】
2019525234.tif 000006
【図５】
2019525234.tif 000007
【図６】
2019525234.tif 000008
【図７】
2019525234.tif 000009
【図８】
2019525234.tif 000010
【図９】
2019525234.tif 000011
【図１０】
2019525234.tif 000012
【図１１】
2019525234.tif 000013
【図１２】
2019525234.tif 000014
【図１３】
2019525234.tif 000015
【図１４】
2019525234.tif 000016
【図１５】
2019525234.tif 000017
【図１６】
2019525234.tif 000018
【図１７】
2019525234.tif 000019
【図１８Ａ】
2019525234.tif 000020
【図１８Ｂ】
2019525234.tif 000021
【図１８Ｃ】
2019525234.tif 000022
【図１８Ｄ】
2019525234.tif 000023
【図１８Ｅ】
2019525234.tif 000024
【図１９】
2019525234.tif 000025
【図２０】
2019525234.tif 000026
【図２１】
2019525234.tif 000027
【図２２】
2019525234.tif 000028
【図２３】
2019525234.tif 000029
【図２４Ａ】
2019525234.tif 000030
【図２４Ｂ】
2019525234.tif 000031
【図２５】
2019525234.tif 000032
【図２６】
2019525234.tif 000033
【図２７】
2019525234.tif 000034
【図２８Ａ】
2019525234.tif 000035
【図２８Ｂ】
2019525234.tif 000036
【図２８Ｃ】
2019525234.tif 000037
【図２９】
2019525234.tif 000038
【図３０】
2019525234.tif 000039
【図３１Ａ】
2019525234.tif 000040
【図３１Ｂ】
2019525234.tif 000041
【図３１Ｃ】
2019525234.tif 000042
【図３２】
2019525234.tif 000043
【図３３】
2019525234.tif 000044
【図３４】
2019525234.tif 000045
【図３５Ａ】
2019525234.tif 000046
【図３５Ｂ】
2019525234.tif 000047
【図３５Ｃ】
2019525234.tif 000048
【図３５Ｄ】
2019525234.tif 000049
【図３６Ａ】
2019525234.tif 000050
【図３６Ｂ】
2019525234.tif 000051
【図３７Ａ】
2019525234.tif 000052
【図３７Ｂ】
2019525234.tif 000053
【図３７Ｃ】
2019525234.tif 000054
【図３７Ｄ】
2019525234.tif 000055
【図３８】
2019525234.tif 000056
【図３９】
2019525234.tif 000057
【図４０】
2019525234.tif 000058
【図４１】
2019525234.tif 000059
【図４２】
2019525234.tif 000060
【図４３】
2019525234.tif 000061
【図４４】
2019525234.tif 000062
【図４５Ａ】
2019525234.tif 000063
【図４５Ｂ】
2019525234.tif 000064
【図４５Ｃ】
2019525234.tif 000065
【図４５Ｄ】
2019525234.tif 000066
【図４５Ｅ】
2019525234.tif 000067
【図４６】
2019525234.tif 000068
【図４７】
2019525234.tif 000069
【図４８】
2019525234.tif 000070
【図４９】
2019525234.tif 000071
【図５０】
2019525234.tif 000072
【図５１】
2019525234.tif 000073
【図５２】
2019525234.tif 000074
【図５３】
2019525234.tif 000075
【図５４Ａ】
2019525234.tif 000076
【図５４Ｂ】
2019525234.tif 000077
【図５４Ｃ】
2019525234.tif 000078
【図５４Ｄ】
2019525234.tif 000079
【図５４Ｅ】
2019525234.tif 000080
【図５４Ｆ】
2019525234.tif 000081
【図５４Ｇ】
2019525234.tif 000082
【図５４Ｈ】
2019525234.tif 000083
【図５４Ｉ】
2019525234.tif 000084
【図５４Ｊ】
2019525234.tif 000085
【図５４Ｋ】
2019525234.tif 000086
【図５４Ｌ】
2019525234.tif 000087
【図５５】
2019525234.tif 000088
【図５６】
2019525234.tif 000089
【図５７】
2019525234.tif 000090
【図５８】
2019525234.tif 000091
【図５９】
2019525234.tif 000092
【図６０Ａ】
2019525234.tif 000093
【図６０Ｂ】
2019525234.tif 000094
【図６０Ｃ】
2019525234.tif 000095
【図６１】
2019525234.tif 000096
【図６２】
2019525234.tif 000097
【図６３】
2019525234.tif 000098
【図６４】
2019525234.tif 000099
【図６５】
2019525234.tif 000100
【図６６】
2019525234.tif 000101
【手続補正書】
【提出日】平成31年1月28日(2019.1.28)
【手続補正１】
【補正対象書類名】特許請求の範囲
【補正対象項目名】全文
【補正方法】変更
【補正の内容】
【特許請求の範囲】
【請求項１】
複数のピクセルを含む投射層を含み、
前記複数のピクセルは、前記投射層に投射されるイメージと共に、前記複数のピクセルのうち少なくとも１つの外観を変化させるように、電気的に制御可能なシステム。
【請求項２】
前記投射層は、前記投射層に投射される前記イメージと共に、同期化及び整列されたイメージを表示することを特徴とする請求項１に記載のシステム。
【請求項３】
前記投射層は、少なくとも１つの非透明ディスプレイを含むことを特徴とする請求項１または２に記載のシステム。
【請求項４】
前記投射層は、少なくとも１つの透明ディスプレイを含むことを特徴とする請求項１ないし３のうちいずれか１項に記載のシステム。
【請求項５】
前記透明ディスプレイは、非発光型であることを特徴とする請求項４に記載のシステム。
【請求項６】
前記非発光型ディスプレイは、前記複数のピクセルのうち染料を含む１以上のピクセルを含むことを特徴とする請求項５に記載のシステム。
【請求項７】
前記非発光型ディスプレイは、前記複数のピクセルのうち染料を含まず、実質的に白色に見える１以上のピクセルを含むことを特徴とする請求項５または６に記載のシステム。
【請求項８】
前記投射層は、複数の非発光型及び透明ディスプレイを含むことを特徴とする請求項１ないし７のうちいずれか１項に記載のシステム。
【請求項９】
前記投射層は、
光を検出するように構成された以上の第１センサと、
前記投射層に対してユーザの距離を検出するように構成された第２センサと、
前記投射層の既定距離内でユーザ属性を検出するように構成された第３センサと、を含み、
前記複数のピクセルは、前記第１センサによって検出された光に少なくとも部分的に基づいて、電気的に制御可能であり、
前記複数のピクセルは、前記第２センサによって検出された距離に少なくとも部分的に基づいて、電気的に制御可能であり、
前記複数のピクセルは、前記第３センサによって検出されたユーザ属性に少なくとも部分的に基づいて、電気的に制御可能であることを特徴とする請求項１ないし８のうちいずれか１項に記載のシステム。
【請求項１０】
前記投射層に前記イメージを投射するように構成されたプロジェクタをさらに含むことを特徴とする請求項１ないし９のうちいずれか１項に記載のシステム。
【請求項１１】
前記プロジェクタは、前記投射層に投射された前記イメージのイメージデータをキャプチャするように構成されたカメラを含み、
前記プロジェクタは、前記カメラからの前記イメージデータに基づいて、前記投射層に投射された前記イメージを調整するように構成されたことを特徴とする請求項１０に記載のシステム。
【請求項１２】
複数のピクセルを含む投射層を提供する段階を含み、
前記複数のピクセルは、前記投射層に投射されたイメージと共に複数のピクセルのうち少なくとも１つの外観を変化させるように、電気的に制御可能であり、
前記投射層は、前記投射層に投射されたイメージと共に同期化及び整列し、イメージを表示する方法。
【請求項１３】
前記投射層は、
光を検出するように構成された１以上の第１センサと、
前記投射層に対してユーザの距離を検出するように構成された第２センサと、
前記投射層の既定距離内でユーザ属性を検出するように構成された第３センサと、を含み、
前記複数のピクセルは、前記第１センサによって検出された光に少なくとも部分的に基づいて、電気的に制御可能であり、
前記複数個のピクセルは、前記第２センサによって検出された距離に少なくとも部分的に基づいて、電気的に制御可能であり、
前記複数のピクセルは、前記第３センサによって検出されたユーザ属性に少なくとも部分的に基づいて、電気的に制御可能なことを特徴とする請求項１２に記載の方法。
【請求項１４】
前記投射層に前記イメージを投射するように構成されたプロジェクタを提供する段階をさらに含むことを特徴とする請求項１２または１３に記載の方法。
【請求項１５】
前記投射層に投射された前記イメージのイメージデータをキャプチャするように構成されたカメラを提供する段階をさらに含み、
前記プロジェクタは、前記カメラからの前記イメージデータに基づいて、前記投射層に投射された前記イメージを調整するように構成されたことを特徴とする請求項１４に記載の方法。
【国際調査報告】
2019525234.tif 000102
2019525234.tif 000103